(57)【要約】高速ダウンリンクパケットアクセスのマルチポイント送信（ＭＰ−ＨＳＤＰＡ）についてのアップリンクフィードバックのためのシステムおよび方法は、ダウンリンク送信の効率性およびセルのカバレッジを改善することができる。例えば、調整された動的ネットワークスケジューリングの必要性に対処することができる、チャネル品質インジケータ（ＣＱＩ）および／またはプリコーディング制御インジケータ（ＰＣＩ）を算出することができる。また、ＭＰ−ＨＳＤＰＡから複数のＣＱＩおよびＨＡＲＱ−ＡＣＫフィードバックを搬送することができる、様々なフレームストラクチャを生成することができる。当該フレームストラクチャはまた、２つのセル間における非対称ダウンリンク送信に対処することができる。さらに、ＣＱＩおよびＨＡＲＱ−ＡＣＫフィールド双方についてのＨＳ−ＤＰＣＣＨ電力オフセットセッティングを修正および／または生成して、信頼できるアップリンクフィードバック送信を保証することができる。
2013539325.tif 000002
【特許請求の範囲】
【請求項１】
高速ダウンリンクパケットアクセスのマルチポイント送信（ＭＰ−ＨＳＤＰＡ）におけるアップリンクフィードバックを提供する方法であって、
無線送信／受信ユニットを介して、第１のダウンリンクから受信された第１のサブフレームについての第１の到着時間を判定するステップと、
第２のダウンリンクから受信された第２のサブフレームについての第２の到着時間を判定するステップと、
前記第１のサブフレームを使用して第１のフィードバックメッセージを生成するステップと、
前記第２のサブフレームを使用して第２のフィードバックメッセージを生成するステップと、
アローアンス（allowance）パラメータを判定するステップであって、前記アローアンスパラメータはアップリンクフィードバックを送信するためのタイムスロットの許容値を示すことと、
前記第１の到着時間、前記第２の到着時間および前記アローアンスパラメータを使用してペアリングルールを判定するステップであって、前記ペアリングルールは前記第１のフィードバックメッセージと前記第２のフィードバックメッセージとを合成して複合フィードバックメッセージにすることを可能にすることと、
タイムオフセットを判定するステップであって、前記タイムオフセットは前記第１の到着時間と前記複合フィードバックメッセージの送信との間のタイムスロットの数を示すことと、
前記タイムオフセットを使用して前記複合フィードバックメッセージを送信するステップと
を備えることを特徴とする方法。
【請求項２】
アローアンスパラメータを判定するステップは、プリセットされた値を読み出すステップと、前記アローアンスパラメータを前記プリセットされた値に割り当てるステップとを含むことを特徴とする請求項１に記載の方法。
【請求項３】
アローアンスパラメータを判定するステップは、ＲＲＣシグナリングを介してネットワークが前記アローアンスパラメータを構成することを可能にするステップを含むことを特徴とする請求項１に記載の方法。
【請求項４】
前記第１のフィードバックメッセージは、肯定応答／否定応答（ＡＣＫ／ＮＡＣＫ）メッセージであることを特徴とする請求項１に記載の方法。
【請求項５】
前記第１の到着時間および前記第２の到着時間を使用してペアリングルールを判定するステップは、
前記第２の到着時間から前記第１の到着時間を減算することにより到着時間の差異を算出するステップと、
前記アローアンスパラメータからタイムスロットの数を減算することにより、下限範囲を定義するステップと、
前記アローアンスパラメータを使用して上限範囲を定義するステップと、
前記到着時間の差異を、前記下限範囲および前記上限範囲により定義された範囲と比較するステップと、
前記到着時間の差異が前記範囲に入るときに、前記第１のフィードバックメッセージと前記第２のフィードバックメッセージをペアにするステップと
を含むことを特徴とする請求項１に記載の方法。
【請求項６】
タイムオフセットを判定するステップは、プリセットされた値を読み出すステップと、前記プリセットされた値に前記タイムオフセットを割り当てるステップとを含むことを特徴とする請求項５に記載の方法。
【請求項７】
タイムオフセットを判定するステップは、前記到着時間の差異が前記下限範囲もしくは前記上限範囲に近接するときに、前記タイムオフセットを調節するステップをさらに含むことを特徴とする請求項６に記載の方法。
【請求項８】
タイムオフセットを判定するステップは、ＲＲＣシグナリングを介してネットワークが前記タイムオフセットを構成することの可能にするステップを含むことを特徴とする請求項５に記載の方法。
【請求項９】
タイムオフセットを判定するステップは、前記第１および前記第２のサブフレームの前記到着時間の差異が前記下限範囲もしくは前記上限範囲に近接するときに、前記構成されたタイムオフセットを調節するステップをさらに含むことを特徴とする請求項８に記載の方法。
【請求項１０】
前記ペアとした第１のフィードバックメッセージおよび前記第２のフィードバックメッセージを使用して、ともに符号化されたハイブリッド自動再送要求肯定応答（ＨＡＲＱ−ＡＣＫ）フィードバックメッセージを生成することにより、前記第１のフィードバックメッセージと前記第２のフィードバックメッセージとを合成して複合フィードバックメッセージにするステップをさらに備えることを特徴とする請求項５に記載の方法。
【請求項１１】
前記タイムオフセットを使用して前記複合フィードバックメッセージを送信するステップは、高速専用物理制御チャネル（ＨＳ−ＤＰＣＣＨ）を介して前記複合フィードバックメッセージを送信するステップを含むことを特徴とする請求項１０に記載の方法。
【請求項１２】
高速ダウンリンクパケットアクセスのマルチポイント送信（ＭＰ−ＨＳＤＰＡ）においてアップリンクフィードバックの受信を提供する方法であって、
基地局から、ダウンリンクにおけるサブフレームを送信するステップと、
アップリンクフィードバックを受信するステップと、
前記アップリンクフィードバックに関する到着時間を判定するステップと、
前記到着時間および前記サブフレームを使用して、ペアリングルールを判定するステップであって、前記ペアリングルールは前記アップリンクフィードバックを前記サブフレームにいつ関連付けるかを判定することと
を備えることを特徴とする方法。
【請求項１３】
ペアリングルールを判定するステップは、
タイムオフセットパラメータを判定するステップと、
前記到着時間から、前記サブフレームの送信時間を減算することにより時間差を算出するステップと、
第１のアローアンス量を前記タイムオフセットパラメータに加算することにより、上限範囲を判定するステップと、
前記タイムオフセットパラメータから第２のアローアンスパラメータを減算することにより、下限範囲を判定するステップと、
前記時間差を、前記上限範囲および前記下限範囲により定義される範囲と比較するステップと、
前記時間差が前記範囲内にあるときに、前記アップリンクフィードバックを前記サブフレームに関連付けるステップと
を含むことを特徴とする請求項１２に記載の方法。
【請求項１４】
ペアリングルールを判定するステップは、
タイムオフセットパラメータを判定するステップと、
アローアンスパラメータを判定するステップであって、前記アローアンスパラメータはアップリンクフィードバックを受信するためのタイムスロットの許容値を示すことと、
前記到着時間から前記サブフレームの送信時間を減算することにより、時間差を算出するステップと、
前記タイムオフセットパラメータから前記アローアンスパラメータを減算することにより、下限範囲を定義するステップと、
前記下限範囲に定数を加算することにより、上限範囲を定義するステップと、
前記時間差を、前記上限範囲および前記下限範囲により定義された範囲と比較するステップと、
前記時間差が前記範囲内にあるときに、前記アップリンクフィードバックを前記サブフレームに関連付けるステップと
を含むことを特徴とする請求項１２に記載の方法。
【請求項１５】
アップリンクフィードバックのついての電力オフセットを調節することにより、マルチポイント高速ダウンリンクパケットアクセス（ＭＰ−ＨＳＤＰＡ）送信におけるアップリンクフィードバックの信頼性を改善する方法であって、
無線送信／受信ユニットを介して、ダウンリンクから送信電力制御（ＴＰＣ）コマンドを受信するステップと、
Ｎ個のスロットサイクル上で前記受信したＴＰＣコマンドを処理するステップと、
前記受信したＴＰＣコマンドに基づいて、ＴＰＣ＿ｃｍｄ＿ａｖｅｒａｇｅを算出するステップと、
前記ＴＰＣ＿ｃｍｄ＿ａｖｅｒａｇｅが閾値よりも大きいときに、送信電力ブーストを判定するステップと、
前記送信電力ブーストを使用して、前記アップリンクフィードバックについての前記電力オフセットを調節するステップと
を備えることを特徴とする方法。
【請求項１６】
前記ダウンリンクは、前記マルチポイント送信に含まれるサービングセルからであることを特徴とする請求項１５に記載の方法。
【請求項１７】
ＴＰＣ＿ｃｍｄ＿ａｖｅｒａｇｅを算出するステップは、前記Ｎ個のスロット上で前記受信したＴＰＣコマンドを平均化するステップを含むことを特徴とする請求項１５に記載の方法。
【請求項１８】
ＴＰＣ＿ｃｍｄ＿ａｖｅｒａｇｅを算出するステップは、式１に準じて前記Ｎ個のスロット上で前記受信したＴＰＣコマンドを平均化するステップを含み、
【数１】
2013539325.tif 000092
ｉによりラベル付けされたスロットにおけるＴＰＣ＿ｃｍｄの値は、
前記サービングセルから受信される前記ＴＰＣコマンドが０のときに、ＴＰＣ＿ｃｍｄ＿ｓｅｃｏｎｄａｒｙ（ｉ）が−１であることと、
前記サービングセルから受信される前記ＴＰＣコマンドが１のときに、ＴＰＣ＿ｃｍｄ＿ｓｅｃｏｎｄａｒｙ（ｉ）が１であることと、から導出される
ことを特徴とする請求項１６に記載の方法。
【請求項１９】
前記送信電力ブーストを使用して、前記アップリンクフィードバックについての前記電力オフセットを調節するステップは、前記送信電力ブーストを、モニタリングされるセルをターゲットとする高速送信専用物理制御チャネル（ＨＳ−ＤＰＣＣＨ）の送信電力に加算するステップを含むことを特徴とする請求項１５に記載の方法。
【請求項２０】
前記送信電力ブーストを使用して、前記アップリンクフィードバックについての前記電力オフセットを調節するステップは、前記送信電力ブーストを、高速送信専用物理制御チャネル（ＨＳ−ＤＰＣＣＨ）フィールド全体の送信電力に加算するステップを含むことを特徴とする請求項１５に記載の方法。
【発明の詳細な説明】
【技術分野】
【０００１】
本出願は、無線通信に関する。
【背景技術】
【０００２】
本出願は、２０１０年１０月１日に出願された米国仮特許出願第６１／３８８９７９号、２０１１年４月１３日に出願された米国仮特許出願第６１／４７５０４７号、２０１１年１月１０日に出願された米国仮特許出願第６１／４３１２４７号の利益を主張するものであり、それらの内容は参照により本明細書に組み込まれる。
【０００３】
マルチポイント高速ダウンリンクパケットアクセス（ＭＰ−ＨＳＤＰＡ：multipoint high-speed downlink packet access）送信が、その可能性について関心を集めており、無線ネットワークのセル端においてユーザ経験を向上させている。どのようにセルからのダウンリンク送信を連携するかに応じて、多くの方法でＭＰ−ＨＳＤＰＡを実装することができる。例えば、ＨＳ−ＤＤＸ、マルチフローアグリゲーション（ＭＦ）、ＨＳ−ＳＦＮまたはダイナミックセクタスイッチ（ＤＳＳ）として、ＭＰ−ＨＳＤＰＡを実装することができる。
【０００４】
ＭＰ−ＨＳＤＰＡ技術は、異なるセルの間においてデータパケットをアグリゲート（aggregate）し、または切り替えることが可能な、調整されたネットワークスケジューリングに依存する。マルチポイント送信をサポートし、その利益を最大化するために、複数のサービング基地局により受信されるアップリンクフィードバックのための改良された技術を提供することが望ましい。
【発明の概要】
【０００５】
ＭＰ−ＨＳＤＰＡは、例えば、ＴＴＩ−ＴＴＩベースの（TTI to TTI basis）の、異なるセルの間においてデータパケットをアグリゲートし、または切り替えることが可能な、調整されたネットワークスケジューリングに依存する。とりわけ、セル端において、最適なスペクトル効率およびピークデータレートを達成するために、ネットワークに対して、セルからＵＥへの各伝搬経路上でのチャネル条件を通知し、および／またはダウンリンクデータの受信状態を通知することが重要となる。
【０００６】
チャネル品質インジケータ（ＣＱＩ）が、ネットワークに対してチャネル条件をレポートする効率的な方法となり得る。例えば、ＨＳＤＰＡにおいてＣＱＩを使用して、ＵＥにおいて推定される信号対干渉雑音比（ＳＩＮＲ）に基づいて、特定の測定間隔の最良なコードレートを指示することができる。しかしながら、ＭＰ−ＨＳＤＰＡに適用されるときには、干渉回避または信号強調技術が動的に適用され得るので、ＣＱＩを算出する従来の方法は、問題となり得る。特定のＵＥに関連する信号品質および干渉元は、ネットワークスケジューリングに準じて変化する場合がある。結果として、従来のように算出されたＣＱＩは、実際のチャネル条件よりも過小に推定し、または過大に推定するかのいずれかとなる場合がある。
【０００７】
ＭＩＭＯまたはビームフォーミング（ＢＦ）技術が、ＭＰ−ＨＳＤＰＡと同時に展開される場合に、複数のセルを交差する複数のアンテナ上に適用される重みの間におけるクロスセル調整（cross-cell coordination）が重要となる場合があり、ユーザに対して構成されたＭＩＭＯまたはＢＦについてのＭＰ−ＨＳＤＰＡからのシステムゲイン（system gain）を最大化する。例えば、好ましいプリコーディング制御インジケータ（ＰＣＩ）をネットワークにレポートすることにより、複数のアンテナの制御を達成することができる。
【０００８】
ＣＱＩ／ＰＣＩレポートは、ダウンリンクデータ送信をアシストするために、ＨＳ−ＤＰＣＣＨなどのアップリンクフィードバック制御チャネルにより伝送することができる。この制御チャネルは、ダウンリンクデータパケットの正確な受信を指示することができる、ハイブリッド自動再送要求肯定応答（ＨＡＲＱ−ＡＣＫ）フィールドを伝送することもできる。アップリンクフィードバック制御チャネルは、ダウンリンクデータ送信として同一の周波数で動作することができるため、１つのＨＳ−ＤＰＣＣＨのみが利用可能となる場合がある。１つの例示的な実施形態では、複数のＣＱＩレポートおよびＨＡＲＱ−ＡＣＫメッセージを伝送して、ＭＰ−ＨＳＤＰＡの最適な動作をサポートすることができる、ＨＳ−ＤＰＣＣＨが開示される。
【０００９】
本開示の実施形態に準じて、高速専用物理制御チャネル（ＨＳ−ＤＰＣＣＨ）フィードバックなどのアップリンクフィードバックを提供するための、マルチポイント高速ダウンリンクパケットアクセス（ＭＰ−ＨＳＤＰＡ）送信のためのダウンリンク送信効率およびＵＥのセルカバレッジを向上させることができるシステムおよび方法が開示される。調整された動的ネットワークスケジューリングの要求に対応し、マルチポイント送信の利点を最適化する必要性に対応するために使用することができる、チャネル品質インジケータ（ＣＱＩ）および／またはプリコーディング制御インジケータ（ＰＣＩ）を算出するためのシステムおよび方法がまた開示される。さらに、ＭＰ−ＨＳＤＰＡからの複数のＣＱＩおよびＨＡＲＱ−ＡＣＫフィードバックを伝送することができ、２つのセル間における非同期ダウンリンク送信の問題に対処することができる、アップリンクフィードバックのための様々なフレームストラクチャが開示される。その上、ＳＦＭＣの動作に含まれるセルに関する信頼できるアップリンクフィードバック送信を保証することができる、ＣＱＩおよびＨＡＲＱ−ＡＣＫフィールドの双方のためのセル依存ＨＳ−ＤＰＣＣＨ電力オフセットセッティング（cell-dependent HS-DPCCH power offset settings）が開示される。
【００１０】
高速ダウンリンクパケットアクセス（ＨＳＤＰＡ）送信のためのアップリンクフィードバックのシステムおよび方法が開示される。一態様に準じて、ユーザ機器において方法を実装することができる。方法は、同一の送信時間間隔（ＴＴＩ）における共通パイロットチャネル（ＣＰＩＣＨ）強度値を推定することを含むことができる。さらに、当該方法は、ネットワークへＣＰＩＣＨ強度値を通信することを含むことができる。
【００１１】
高速ダウンリンクパケットアクセス（ＨＳＤＰＡ）送信のためのアップリンクフィードバックのシステムおよび方法が開示される。一態様に準じて、方法はネットワークコンポーネントにおいて複数のＣＱＩ値を受信することを備えることができる。次に、ネットワークコンポーネントは複数のＣＱＩ値を識別することができる。
【００１２】
マルチポイント高速ダウンリンクパケットアクセス（ＭＰ−ＨＳＤＰＡ）において、アップリンクフィードバックを提供するためのシステムおよび方法が開示される。一実施形態に準じて、第１のダウンリンクから受信される第１のサブフレームについての第１の到着時間を判定することができる。第２のダウンリンクから受信される第２のサブフレームについての第２の到着時間を判定することができる。第１のサブフレームを使用して第１のフィードバックメッセージを生成することができる。第２のサブフレームを使用して第２のフィードバックメッセージを生成することができる。アローアンス（allowance）パラメータを判定することができる。アローアンスパラメータは、アップリンクフィードバックを送信するためのタイムスロットを指示することができる。第１の到着時間、第２の到着時間およびアローアンスパラメータを使用した、ペアリングルール（pairing rule）を判定することができる。当該ペアリングルールは、第１のフィードバックメッセージと第２のフィードバックメッセージとを合成して、複合フィードバックメッセージにすることを可能にする。タイムオフセットを判定することができる。タイムオフセットは、第１の到着時間および複合フィードバックメッセージの送信の間のタイムスロットの数を指示することができる。タイムオフセットを使用して、複合フィードバックメッセージを送信することができる。
【００１３】
高速ダウンリンクパケットアクセスのマルチポイント送信（ＭＰ−ＨＳＤＰＡ：multiple point transmission of high-speed downlink packet access）におけるアップリンクフィードバックの受信を提供するためのシステムおよび方法が開示される。一実施形態に準じて、ダウンリンクにおいてサブフレームを送信することができる。アップリンクフィードバックを受信することができる。アップリンクフィードバックについての到着時間を判定することができる。当該到着時間およびサブフレームを使用して、ペアリングルールを判定することができる。当該ペアリングルールは、アップリンクフィードバックをいつサブフレームに関連させるのかを判定することができる。
【００１４】
アップリンクフィードバックについての電力オフセットを調整することにより、高速ダウンリンクパケットアクセス（ＨＳＤＰＡ）におけるアップリンクフィードバックの信頼性を向上させるためのシステムおよび方法が開示される。一実施形態に準じて、送信電力制御（ＴＰＣ）コマンドをダウンリンクから受信する。受信したＴＰＣコマンドを、Ｎ番目のスロットサイクル上で処理することができる。受信したＴＰＣコマンドに基づいて、ＴＰＣ＿ｃｍｄ＿ａｖｅｒａｇｅを算出することができる。ＴＰＣ＿ｃｍｄ＿ａｖｅｒａｇｅが閾値よりも大きいときは、送信電力ブースト（transmit power boost）を判定することができる。送信電力ブーストを使用して、アップリンクフィードバックについての電力オフセットを調整することができる。
【００１５】
ＣＱＩレポートパターンを使用して、マルチポイント高速ダウンリンクパケットアクセス（ＭＰ−ＨＳＤＰＡ）においてチャネル品質インジケータ（ＣＱＩ）をレポートするためのシステムおよび方法が開示され、複数のＣＱＩメッセージをレポートする。オーバーヘッドを減少させるために、複数のフィードバックサイクルを使用することにより、ＣＱＩレポートを、各々が、異なるＣＱＩフィードバックサイクルにより構成されるグループに分割することができる。次に、レポートパターンに準じて、ＣＱＩレポートを送信してＣＱＩタイプを指示することができる。
【図面の簡単な説明】
【００１６】
添付図面とともに与えられる、以下の詳細な説明からより詳細な理解を得ることができる。
【図１Ａ】１または複数の開示された実施形態を実装することができる、例示的な通信システムを示すシステム図である。
【図１Ｂ】図１Ａで示した通信システム内で使用することができる、例示的な無線送信／受信ユニット（ＷＴＲＵ）を示すシステム図である。
【図１Ｃ】図１Ａで示した通信システム内で使用することができる、例示的な無線アクセスネットワーク（ＲＡＮ）および例示的なコアネットワークを示すシステム図である。
【図１Ｄ】一実施形態に準じた、別の例示的なＲＡＮおよびコアネットワークを示すシステム図である。
【図１Ｅ】一実施形態に準じた、別の例示的なＲＡＮおよびコアネットワークを示すシステム図である。
【図２】共通パイロットチャネル（ＣＰＩＣＨ）信号強度を推定するための例示的な実施形態を示す。
【図３】ネットワークスケジューリングのためのＣＱＩ推定の例示的な実施形態を示す。
【図４】ＴＴＩ境界が配置されないときのＣＱＩ推定のための例示的な実施形態を示す。
【図５】ＨＳ−ＳＦＮ送信のための例示的な実施形態を示す。
【図６】送信ダイバーシティを構成することができるときのグローバルプリコーディングによるジョイント送信のための例示的な実施形態を示す。
【図７】送信ダイバーシティによるジョイント送信のための例示的な実施形態を示す。
【図８】セルにおける単一アンテナによるクロスサイト送信ダイバーシティのための例示的な実施形態を示す。
【図９】ＭＩＭＯモードにおいてＵＥが構成されるときのジョイント送信のための例示的な実施形態を示す。
【図１０】ＭＩＭＯモードにおいてＵＥが構成されるときのクロスサイトプリコーディングによるジョイント送信のための例示的な実施形態を示す。
【図１１】ＴＸダイバーシティモードにおいてＵＥが構成されるときのクロスサイトプリコーディングによるマルチフローアグリゲーションのための例示的な実施形態を示す。
【図１２】ＭＩＭＯモードにおいてＵＥが構成されるときのクロスサイトプリコーディングによるマルチフローアグリゲーションのための例示的な実施形態を示す。
【図１３】調整されたビームフォーミングのための例示的な実施形態を示す。
【図１４】異なるＣＱＩフィードバックサイクルによるＣＱＩフィードバックに基づくＴＤＭのための例示的な実施形態を示す。
【図１５】２つのＣＱＩフィードバックサイクルによるデュアルＣＱＩフィールドＨＳ−ＤＰＣＣＨデザインのための例示的な実施形態を示す。
【図１６】２つのＣＱＩフィードバックサイクルによるデュアルチャネライゼーションコードＨＳ−ＤＰＣＣＨデザインのための例示的な実施形態を示す。
【図１７】デュアルチャネライゼーションコードによるフレームストラクチャを使用した非同期フィードバック構成の例示的な実施形態を示す。
【図１８】非同期ＨＡＲＱ−ＡＣＫによるデュアルフィールドＨＳ−ＤＰＣＣＨデザインの例示的な実施形態を示す。
【図１９】ともに符号化されたＨＡＲＱ−ＡＣＫフィードバックの例示的な実施形態を示す。
【図２０】本開示に準じたペアリングルールを適用するための例示的な実施形態を示す。
【図２１】配置されたＨＡＲＱ−ＡＣＫによるデュアルチャネライゼーションコードＨＳ−ＤＰＣＣＨの例示的な実施形態を示す。
【図２２】配置されたＨＡＲＱ−ＡＣＫによるデュアルフィールドＨＳ−ＤＰＣＣＨデザインの例示的な実施形態を示す。
【図２３】肯定応答／否定応答（ＡＣＫ／ＮＡＣＫ）およびＣＱＩをサブフレームにおける２つのメッセージに配置する例示的な実施形態を示す。
【図２４】ＤＦ−４ＣのためのＨＡＲＱ−ＡＣＫマッピングの例示的な実施形態を示す。
【図２５】非アクティブ化した後のＤＦ−４ＣのためのＨＡＲＱ−ＡＣＫマッピングを行う例示的な実施形態を示す。
【図２６】非アクティブ化した後のＤＦ−４ＣのためのＨＡＲＱ−ＡＣＫマッピングを行う別の例示的な実施形態を示す。
【図２７】非アクティブ化した後のＤＦ−４ＣのためのＨＡＲＱ−ＡＣＫマッピングを行う別の例示的な実施形態を示す。
【図２８】ＤＦ−４ＣのためのＣＱＩマッピングの例示的な実施形態を示す。
【図２９】ＤＦ−４ＣのためのＣＱＩマッピングの別の例示的な実施形態を示す。
【図３０】Ｃ１およびＣ２が非アクティブ化されるときのＣＱＩマッピングの例示的な実施形態を示す。
【発明を実施するための形態】
【００１７】
近年、マルチポイント高速ダウンリンクパケットアクセス（ＭＰ−ＨＳＤＰＡ）送信がその可能性について関心を集めており、無線ネットワークのセル端においてユーザ経験を向上させる。ＭＰ−ＨＳＤＰＡは同一のまたは異なる周波数において動作する複数のセルを向上させる。どのようにセルからのダウンリンク送信を連携するかに応じて、多くの方法でＭＰ−ＨＳＤＰＡを実装することができる。例えば、ＨＳ−ＤＤＸ、マルチフローアグリゲーション（ＭＦ）、ＨＳ−ＳＦＮまたはダイナミックセクタスイッチ（ＤＳＳ）としてＭＰ−ＨＳＤＰＡを実装することができる。ＭＰ−ＨＳＤＰＡのスキームはまた、デュアルまたはマルチ周波数動作に適用することができる。
【００１８】
ＨＳ−ＤＤＴにおいては、隣接干渉セルからのＨＳＤＰＡダウンリンク送信をともにスケジューリングすることができる。これは、データ送信のスケジューリングが、現在ユーザ機器（ＵＥ）について、サービス中のセルに対して強い干渉を生成する場合に、サブフレームにおいていかなるデータ送信をスケジューリングしないことにより（データ不連続送信（Data DTXed））、ＵＥに対する干渉を低減させることができる。この干渉回避技術は、多くの調整されたセルまたはセクタ上でネットワークからのスマートスケジューリングを介して発生し得る。
【００１９】
データフローに依存したマルチフローアグリゲーション（ＭＦ）を、セルについてのネイティブスクランブルコードを使用して、同一の周波数において動作するいくつかのセルから同一のＵＥに対して送信することができる。ＵＥはいくつかのセルのＨＳ−ＤＰＳＣＨを受信することが可能であり、これらのセルから同時にＨＳＤＰＡデータを受信するようにスケジューリングすることができる。ネットワークが完全にロードされていないときに、予備能力を有し、アグリゲートデータフローを増大させることができるセルを利用することにより、空間的なアグリゲーションゲインを得ることができる。
【００２０】
ＨＳ−ＳＦＮにおいては、単一周波数の概念を、マルチメディアブロードキャストマルチキャストサービス（ＭＢＭＳ）（ＷＣＤＭＡ（登録商標）とともにＬＴＥにおけるものなど）からＨＳＤＰＡデータ送信まで拡張することができる。例えば、同一のデータまたは信号をスケジューリングして、ネットワークにおける複数のセルを通じて送信することができ、ＵＥは複数のセルを通じて送信された信号を受信することができる。ＨＳ−ＳＦＮは、複数のセクタの送信電力を合成することができ、同時に特定の送信時間間隔（ＴＴＩ）において特定のＵＥに対する最も強い干渉を除去することができる。
【００２１】
ダイナミックセクタスイッチ（ＤＳＳ）では、単一のＲｘアンテナを備えるＵＥは、受信機ダイバーシティを備えるＵＥと同程度に効率的に、セル干渉を抑えることは不可能である場合がある。同一の周波数におけるサービングセルおよびセカンダリサービングセルの両方からＵＥに対し同時に送信する代わりに、それら２つのセルのより強いほうからのパケットをスケジューリングすることができ、ＣＱＩフィードバックに基づいてＴＴＩにおいて送信することができる。これは、ＴＴＩベースでＵＥのサービングセルを動的に切り替えることに相当する。
【００２２】
上述したように、ＭＰ−ＨＳＤＰＡ技術は、異なるセル間で迅速にデータパケットを切り替えることを可能にする調整されたネットワークスケジューリングに依存する。最適なスペクトル効率およびピークデータレートを達成するために、特にセル端において、セルからＵＥへの各伝搬経路上のチャネル条件をネットワークに通知することが重要となり得る。当該チャネル条件は、当初はＵＥにおいて推定することができる。したがって、ＭＰ−ＨＳＤＰＡのためのアップリンクフィードバックの改良された技術を提供することが望ましい。
【００２３】
本開示の実施形態に準じて、高速専用物理制御チャネル（ＨＳ−ＤＰＣＣＨ）フィードバックなどの、マルチポイントＨＳＤＰＡ（ＭＰ−ＨＳＤＰＡ）送信のためのダウンリンク送信の効率性およびＵＥのセルカバレッジを向上させることができる、アップリンクフィードバックを提供するためのシステムおよび方法が開示される。調整された動的ネットワークのスケジューリングの必要性に対応し、マルチポイント送信の利点を最適化するために使用することができる、チャネル品質インジケータ（ＣＱＩ）および／またはプリコーディング制御インジケータ（ＰＣＩ）を算出するためのシステムおよび方法が開示される。さたに、ＭＰ−ＨＳＤＰＡから複数のＣＱＩおよびＨＡＲＱ−ＡＣＫを搬送することができ、２つのセル間での非同期ダウンリンク送信問題に対処することができる、アップリンクフィードバックのための様々なフレームストラクチャが開示される。加えて、ＳＦＭＣ動作に含まれるセルのための信頼できるアップリンクフィードバック送信を保証することができる、ＣＱＩおよびＨＡＲＱ−ＡＣＫフィールドの双方のためのセル依存ＨＳ−ＤＰＣＣＨ電力オフセットセッティングが開示される。
【００２４】
本明細書で説明される例示的なシステムおよび方法は、同一周波数複数セル送信に適用されるものとして説明されるが、それらは一般に、いずれもが同一の周波数または異なる周波数の使用を含む、任意の複数セル／マルチポイント送信技術に適用可能であることを理解すべきである。したがって、本開示において、同一の周波数（ＳＦ）および異なる周波数（ＤＦ）は互いに交換が可能である。
【００２５】
図１Ａは、１または複数の開示された実施形態を実装することができる、例示的な通信システム１００を示す。通信システム１００は、音声、データ、映像、メッセージ、ブロードキャストなどのコンテンツを複数の無線ユーザに提供する多元接続システムであってもよい。通信システム１００は、複数の無線ユーザが、無線帯域を含むシステムリソースの共有を通じてそのようなコンテンツにアクセスすることを可能にする。例えば、通信システム１００は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）およびＳＣ−ＦＤＭＡ（single-carrier FDMA）などの１つまたは複数のチャネル接続方法を採用してもよい。
【００２６】
図１Ａで示すように、通信システム１００は無線送信／受信ユニット（ＷＴＲＵ）１０２ａ、１０２ｂ、１０２ｃおよび１０２ｄ、無線アクセスネットワーク（ＲＡＮ）１０４、コアネットワーク１０６、公衆交換電話網（ＰＳＴＮ）１０８、インターネット１１０、ならびにその他のネットワーク１１２を含んでもよいが、開示された実施例では任意の数のＷＴＲＵ、基地局、ネットワークおよび／またはネットワーク要素を想定できることが理解されるであろう。ＷＴＲＵ１０２ａ、１０２ｂ、１０２ｃおよび１０２ｄのそれぞれは、無線環境において動作し、および／または通信するように構成された任意のタイプのデバイスであってもよい。例によると、ＷＴＲＵ１０２ａ、１０２ｂ、１０２ｃおよび１０２ｄは、無線信号を送信し、および／または受信するように構成されてもよく、かつ、ユーザ機器（ＵＥ）、移動局、固定または移動加入者ユニット、ページャ、携帯電話、携帯情報端末（ＰＤＡ）、スマートフォン、ラップトップ、ネットブック、パーソナルコンピュータ、無線センサ、および家庭用電化製品などを含んでもよい。
【００２７】
通信システム１００はまた、基地局１１４ａおよび１１４ｂを含んでもよい。基地局１１４ａおよび１１４ｂのそれぞれは、コアネットワーク１０６、インターネット１１０、およびその他のネットワーク１１２のような１または複数の通信ネットワークへのアクセスを円滑にするために、ＷＴＲＵ１０２ａ、１０２ｂ、１０２ｃおよび１０２ｄのうちの少なくとも１つと無線インターフェースで接続するように構成される任意のデバイスであってもよい。例によると、基地局１１４ａおよび１１４ｂは、ベーストランシーバ基地局（ＢＴＳ）、ＮｏｄｅＢ、ｅＮｏｄｅＢ、ホームＮｏｄｅＢ、ホームｅＮｏｄｅＢ、サイトコントローラ、アクセスポイント（ＡＰ）および無線ルータなどであってもよい。基地局１１４ａおよび１１４ｂは、それぞれが単一の要素として記載されているが、基地局１１４ａおよび１１４ｂは、任意の数の相互接続された基地局および／またはネットワーク要素を含んでもよいことが理解されるであろう。
【００２８】
基地局１１４ａは、ＲＡＮ１０４の一部であってもよく、当該ＲＡＮ１０４は、基地局制御装置（ＢＳＣ）、無線ネットワーク制御装置（ＲＮＣ）、中継ノードなどのその他の基地局および／またはネットワーク要素（図示せず）を含んでもよい。基地局１１４ａおよび／または基地局１１４ｂは、セル（図示せず）と称される特定の地理的領域内で無線信号を送信し、および／または受信するように構成されてもよい。さらに、セルはセルセクタに分割されてもよい。例えば、基地局１１４ａに関連するセルは、３つのセクタに分割されてもよい。したがって１の実施例では、基地局１１４ａは３つのトランシーバを含んでもよい（すなわち、セルのそれぞれのセクタごとに１つのトランシーバ）。別の実施例では、基地局１１４ａはＭＩＭＯ（multiple-input multiple output）技術を採用してもよく、したがって、セルのそれぞれのセクタごとに複数のトランシーバを利用してもよい。
【００２９】
基地局１１４ａおよび１１４ｂは、エアインターフェース１１６上でＷＴＲＵ１０２ａ、１０２ｂ、１０２ｃおよび１０２ｄのうちの１つまたは複数と通信してもよい。当該エアインターフェースは、任意の適切な無線通信リンク（例えば、ラジオ周波数（ＲＦ）、マイクロ波、赤外線（ＩＲ）、紫外線（ＵＶ）、および可視光線など）であってもよい。エアインターフェース１１６は、任意の適切な無線アクセス技術（ＲＡＴ）を使用して確立されてもよい。
【００３０】
上述したように、特に通信システム１００は多元接続システムであってもよく、ＣＤＭＡ、ＴＤＭＡ、ＦＤＭＡ、ＯＦＤＭＡ、およびＳＣ−ＦＤＭＡなどのような１または複数のチャネルアクセススキームを採用してもよい。例えば、ＲＡＮ１０４における基地局１１４ａ、ならびにＷＴＲＵ１０２ａ、１０２ｂおよび１０２ｃ、ＵＴＲＡ（Universal Mobile Telecommunications System (UMTS) Terrestrial Radio Access）のような無線技術を実装してもよい。ＵＴＲＡは、広帯域ＣＤＭＡ（ＷＣＤＭＡ）を使用してエアインターフェース１１６を確立することができる。ＷＣＤＭＡは、ＨＳＰＡ（High-Speed Packet Access）および／またはＨＳＰＡ＋（Evolved HSPA）のような通信プロトコルを含むことができる。ＨＳＰＡは、ＨＳＤＰＡ（High-Speed Downlink Packet Access）および／またはＨＳＵＰＡ（High-Speed Uplink Packet Access）を含むことができる。
【００３１】
別の実施例では、基地局１１４ａ、ならびにＷＴＲＵ１０２ａ、１０２ｂおよび１０２ｃは、Ｅ−ＵＴＲＡ（Evolved UMTS Terrestrial Radio Access）などの無線技術を実装することができる。Ｅ−ＵＴＲＡは、ＬＴＥ（Long Term Evolution）および／またはＬＴＥ−Ａ（LTE-Advance）を使用して、エアインターフェース１１６を確立することができる。
【００３２】
その他の実施例では、基地局１１４ａ、ならびにＷＴＲＵ１０２ａ、１０２ｂおよび１０２ｃは、ＩＥＥＥ８０２．１６（すなわち、ＷｉＭＡＸ（Worldwide Interoperability for Microwave Access）、ＣＤＭＡ２０００、ＣＤＭＡ２０００−１Ｘ、ＣＤＭＡ２０００ＥＶ−ＤＯ、ＩＳ−２０００（Interim Standard 2000）ＩＳ−９５（Interim Standard 95）、ＩＳ−８５６（Interim Standard 856）、ＧＳＭ（Global System for Mobile communications：登録商標）、ＥＤＧＥ（Enhanced Data rates for GSM Evolution）、およびＧＥＲＡＮ（GSM EDGE）などの無線技術を実装してもよい。
【００３３】
図１Ａにおける基地局１１４ｂは、例えば、無線ルータ、ホームＮｏｄｅＢ、ホームｅＮｏｄｅＢ、またはアクセスポイントであってもよく、事業所、家庭、自動車およびキャンパスなどの局所エリアにおいて無線接続性を円滑にするのに適切な任意のＲＡＴを利用してもよい。１の実施例では、基地局１１４ｂ、ならびにＷＴＲＵ１０２ｃおよび１１２ｄは、ＩＥＥＥ８０２．１１などの無線技術を実装して、無線ＬＡＮ（ＷＬＡＮ）を確立してもよい。別の実施形態では、基地局１１４ｂ、ならびにＷＴＲＵ１０２ｃおよび１１２ｄは、ＩＥＥＥ８０２．１５などの無線技術を実装して、無線ＰＡＮ（ＷＰＡＮ）を確立してもよい。さらなる別の実施形態では、基地局１１４ｂ、ならびにＷＴＲＵ１０２ｃおよび１１２ｄは、セルラベースのＲＡＴ（例えば、ＷＣＤＭＡ、ＣＤＭＡ２０００、ＧＳＭ、ＬＴＥ、ＬＴＥ-Ａ）を利用して、ピコセルまたはフェムトセルを確立してもよい。図１Ａで示すように、基地局１１４ｂはインターネット１１０との直接接続を有してもよく、したがって、基地局１１４ｂは、コアネットワーク１０６を介してインターネット１１０にアクセスする必要はない。
【００３４】
ＲＡＮ１０４はコアネットワーク１０６と通信してもよく、当該コアネットワーク１０６は音声、データ、アプリケーションおよび／またはＶｏＩＰ（voice over internet protocol）サービスを、ＷＴＲＵ１０２ａ、１０２ｂ、１０２ｃおよび１０２ｄのうちの１または複数に提供するように構成された任意のタイプのネットワークでよい。例えば、コアネットワーク１０６は、呼制御、請求サービス、モバイル位置情報サービス、プリペイドコーリング、インターネット接続性、映像配信などのサービスを提供してもよく、および／またはユーザ認証などのハイレベルなセキュリティ機能を実行してもよい。図１Ａでは示されないが、ＲＡＮ１０４および／またはコアネットワーク１０６は、ＲＡＮ１０４と同一のＲＡＴを採用するその他のＲＡＮ、または異なるＲＡＴを採用するその他のＲＡＮと直接的に、または間接的に通信してもよいことが理解されるであろう。例えば、Ｅ−ＵＴＲＡ無線技術を利用しているＲＡＮ１０４に接続されることに加え、コアネットワーク１０６はまた、ＧＳＭ無線技術を採用する別のＲＡＮ（図示せず）と通信してもよい。
【００３５】
コアネットワーク１０６はまた、ＰＳＴＮ１０８、インターネット１１０、および／またはその他のネットワーク１１２にアクセスするために、ＷＴＲＵ１０２ａ、１０２ｂ、１０２ｃおよび１０２ｄに対するゲートウェイとしてサービスしてもよい。ＰＳＴＮ１０８は、旧来の電話サービス（アナログ回線のみの）（ＰＯＴＳ：plain old telephone service）を提供する回線交換電話ネットワークを含んでもよい。インターネット１１０は、相互接続されたコンピュータネットワークおよびデバイスのグローバルシステムを含んでもよく、当該コンピュータネットワークおよびデバイスは、ＴＣＰ／ＩＰインターネットプロトコル群におけるＴＣＰ（transmission control protocol）、ＵＤＰ（user datagram protocol）およびＩＰ（internet protocol）などの共通の通信プロトコルを使用する。ネットワーク１１２は、その他のサービスプロバイダにより所有および／または運用される有線または無線通信ネットワークを含んでもよい。例えば、ネットワーク１１２は、１または複数のＲＡＮに接続された別のコアネットワークを含んでもよく、前記ＲＡＮはＲＡＮ１０４と同一のＲＡＴまたは異なるＲＡＴを採用してもよい。
【００３６】
通信システム１００におけるＷＴＲＵ１０２ａ、１０２ｂ、１０２ｃおよび１０２ｄの一部または全ては、マルチモードケイ能力を含んでもよく、すなわち、ＷＴＲＵ１０２ａ、１０２ｂ、１０２ｃおよび１０２ｄは、異なる無線リンク上で異なる無線ネットワークと通信するための複数のトランシーバを含んでもよい。例えば、図１Ａに示すＷＴＲＵ１０２ｃは、セルラベースの無線技術を採用することができる基地局１１４ａと通信し、ＩＥＥＥ８０２無線技術を採用することができる基地局１１４ｂと通信するように構成されてもよい。
【００３７】
図１Ｂは例示的なＷＴＲＵ１０２を示すシステム図である。図１Ｂに示すように、ＷＴＲＵ１０２は、プロセッサ１１８、トランシーバ１２０、送受信素子１２２、スピーカ／マイクロフォン１２４、キーパッド１２６、ディスプレイ／タッチパッド１２８、着脱不能メモリ１３０、着脱可能メモリ１３２、電源１３４、全地球測位システム（ＧＰＳ）チップセット１３６、およびその他の周辺機器１３８を含んでもよい。本発明の実施形態との一貫性を維持したまま、ＷＴＲＵ１０２は上述した要素の任意の組み合わせを含んでもよいことが理解されるであろう。
【００３８】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアに関連した１または複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、およびステートマシンなどであってもよい。プロセッサ１１８は、信号符号化、データ処理、電力制御、入出力処理、および／または無線環境においてＷＴＲＵ１０２が動作することを可能にするその他の任意の機能を実行してもよい。プロセッサ１１８は、トランシーバ１２０と結合されてもよく、当該トランシーバ１２０は送受信素子１２２と結合されてもよい。図１Ｂは、プロセッサ１１８とトランシーバ１２０とを別々のコンポーネントとして表現しているが、プロセッサ１１８およびトランシーバ１２０は、１つの電子パッケージまたは電子チップ内に統合されてもよいことが理解されるであろう。
【００３９】
送受信素子１２２は、エアインターフェース１１６上で基地局（例えば、基地局１１４ａ）へ信号を送信し、または当該基地局から信号を受信するように構成されてもよい。例えば１の実施形態では、送受信素子１２２はＲＦ信号を送信し、および／または受信するように構成されたアンテナでもよい。別の実施形態では、送受信素子１２２は、例えばＩＲ、ＵＶまたは可視光線などを送信し、および／またはそれらを受信するように構成されたエミッタ／ディテクタであってもよい。さらなる別の実施例では、送受信素子１２２はＲＦおよび光信号の双方を送信／受信するように構成されてもよい。送受信素子１２２が無線信号の任意の合成を送信し、および／またはそれらを受信するように構成されてもよいことが理解されるであろう。
【００４０】
さらに、送受信素子１２２は、図１Ｂにおいては単一の要素として表現されているが、ＷＴＲＵ１０２は任意の数の送受信素子１２２を含んでもよい。特に、ＷＴＲＵ１０２は、ＭＩＭＯ技術を採用してもよい。したがって１の実施形態では、ＷＴＲＵ１０２はエアインターフェース１１６上で無線信号を送信し、および受信するための２以上の送受信素子１２２（例えば、複数のアンテナ）を含んでもよい。
【００４１】
トランシーバ１２０は、送受信素子１２２により送信される信号を変調し、かつ送受信素子１２２により受信される信号を復調するように構成されてもよい。上述したように、ＷＴＲＵ１０２はマルチモード能力を有してもよい。したがって、トランシーバ１２０は、ＷＴＲＵ１０２が、例えば、ＵＴＲＡおよびＩＥＥＥ８０２．１１などの複数のＲＡＴを介して通信することを可能にする複数のトランシーバを含んでもよい。
【００４２】
ＷＴＲＵ１０２のプロセッサ１１８は、スピーカ／マイクロフォン１２４、キーパッド１２６および／またはディスプレイ／タッチパッド１２８（例えば、液晶ディスプレイ（ＬＣＤ）ユニット、または有機発光ダイオード（ＯＬＥＤ）ディスプレイユニット）に結合され、かつ当該スピーカ／マイクロフォン１２４、キーパッド１２６および／またはディスプレイ／タッチパッド１２８からユーザ入力データを受信してもよい。また、プロセッサ１１８は、スピーカ／マイクロフォン１２４、キーパッド１２６および／またはディスプレイ／タッチパッド１２８へユーザデータを出力してもよい。さらに、プロセッサ１１８は、着脱不能メモリ１３０および着脱可能メモリ１３２などの任意のタイプの適切なメモリから情報にアクセスし、当該メモリにデータを格納してもよい。着脱不能メモリ１３０は、ＲＡＭ（random-access memory）、ＲＯＭ（read-only memory）、ハードディスク、またはその他の任意のタイプのメモリ記憶デバイスを含んでもよい。着脱可能メモリ１３２は、加入者識別モジュール（ＳＩＭ）カード、メモリスティック、セキュアディジタル（ＳＤ）メモリカードなどを含んでもよい。その他の実施形態では、プロセッサ１１８は、ＷＴＲＵ１０２上に物理的に位置しないメモリ（例えば、サーバまたはホームコンピュータ（図示せず））から情報にアクセスし、当該メモリにデータを格納してもよい。
【００４３】
プロセッサ１１８は、電源１３４から電力を受信してもよく、ＷＴＲＵ１０２におけるその他のコンポーネントに電力を分配し、および／または当該コンポーネントへの電力を制御するように構成されてもよい。電源１３４は、ＷＴＲＵ１０２に電源供給を行うための任意の適切なデバイスであってもよい。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池および燃料電池などを含んでもよい。
【００４４】
プロセッサ１１８はまた、ＧＰＳチップセット１３６に結合されてもよく、当該ＧＰＳチップセット１３６は、ＷＴＲＵ１０２の現在位置に関する位置情報（例えば、経度および緯度）を提供するように構成される。ＧＰＳチップセットからの情報に加えて、または当該情報の代わりに、ＷＴＲＵ１０２は、エアインターフェース上で基地局１０２（例えば、基地局１１４ａおよび１１４ｂ）から位置情報を受信し、近隣の２以上の基地局から受信する信号のタイミングに基づいて、自身の位置を判定してもよい。本発明の実施形態との一貫性を維持したまま、ＷＴＲＵ１０２は任意の適切な位置判定手法により位置情報を取得してもよいことが理解されるであろう。
【００４５】
プロセッサ１１８さらに、その他周辺機器１３８に結合されてもよく、当該周辺機器は追加的な特徴、機能、および／または有線もしくは無線接続性を提供する１または複数のソフトウェアおよび／またはハードウェアモジュールを含んでもよい。例えば、周辺機器１３８は、加速度計、電子コンパス、衛星トランシーバ、ディジタルカメラ（写真または映像向け）、ＵＳＢ（universal serial bus）ポート、振動デバイス、テレビトランシーバ、ハンズフリーヘッドセット、Ｂｌｕｅｔｏｏｔｈ（登録商標）モジュール、周波数変調（ＦＭ）無線ユニット、ディジタルミュージックプレイヤ、メディアプレイヤ、ビデオゲームプレイヤモジュール、およびインターネットブラウザなどを含んでもよい。
【００４６】
図１Ｃは、実施形態に準じて、ＲＡＮ１０４およびコアネットワーク１０６を示すシステム図である。上述したように、ＲＡＮ１０４は、ＵＴＲＡ無線技術を採用して、エアインターフェース１１６上でＷＴＲＵ１０２ａ、１０２ｂおよび１０２ｃと通信することができる。ＲＡＮ１０４はまた、コアネットワーク１０６と通信してもよい。図１Ｃで示すように、ＲＡＮ１０４は、ＮｏｄｅＢ１４０ａ、１４０ｂおよび１４０ｃを含んでもよく、当該ＮｏｄｅＢの各々は、エアインターフェース１１６上でＷＴＲＵ１０２ａ、１０２ｂおよび１０２ｃと通信するための１または複数のトランシーバを含んでもよい。ＮｏｄｅＢ１４０ａ、１４０ｂおよび１４０ｃは、それぞれがＲＡＮ１０４内で特定のセル（図示せず）に関連付けられてもよい。ＲＡＮ１０４はまた、ＲＮＣ１４２ａおよび１４２ｂを含んでもよい。本発明の実施形態との一貫性を維持したまま、ＲＡＮ１０４は任意の数のＮｏｄｅＢおよびＲＮＣを含んでもよいことが理解されるであろう。
【００４７】
図１Ｃに示すように、ＮｏｄｅＢ１４０ａおよび１４０ｂは、ＲＮＣ１４２ａと通信してもよい。また、ＮｏｄｅＢ１４０ｃは、ＲＮＣ１４２ｂと通信してもよい。ＮｏｄｅＢ１４０ａ、１４０ｂおよび１４０ｃは、Ｉｕｂインターフェースを介して、それぞれのＲＮＣ１４２ａおよび１４２ｂと通信してもよい。ＲＮＣ１４２ａおよび１４２ｂは、Ｉｕｒインターフェースを介して互いに通信してもよい。ＲＮＣ１４２ａおよび１４２ｂの各々は、接続されるそれぞれのＮｏｄｅＢ１４０ａ、１４０ｂおよび１４０ｃを制御するように構成されてもよい。さらに、ＲＮＣ１４２ａおよび１４２ｂの各々は、アウターループ電力制御、負荷制御、アドミッション制御、パケットスケジューリング、ハンドオーバー制御、マクロダイバーシティ、セキュリティ機能およびデータ暗号化などのその他の機能を実行し、またはサポートするよう構成されてもよい。
【００４８】
図１Ｃに示すコアネットワーク１０６は、メディアゲートウェイ（ＭＧＷ）１４４、移動通信交換局（ＭＳＣ）１４６、加入者パケット交換機（ＳＧＳＮ）１４８、および／または中継パケット交換機（ＧＧＳＮ）１５０を含んでもよい。上記要素の各々は、コアネットワーク１０６の一部として表現されるが、それら要素のうちの任意の１つは、コアネットワークのオペレータとは別の集団により所有および／または運営されてもよいことが理解されるであろう。
【００４９】
ＲＡＮ１０４におけるＲＮＣ１４２ａは、ＩｕＣＳインターフェースを介してコアネットワーク１０６におけるＭＳＣ１４６に接続されてもよい。ＭＳＣ１４６は、ＭＧＷ１４４に接続されてもよい。ＭＳＣ１４６およびＭＧＷ１４４は、ＷＴＲＵ１０２ａ、１０２ｂおよび１０２ｃに、ＰＳＴＮ１０８などの回線交換ネットワークへのアクセスを提供して、ＷＴＲＵ１０２ａ、１０２ｂおよび１０２ｃと、従来の固定電話通信装置との間の通信を円滑にすることができる。
【００５０】
ＲＡＮ１０４におけるＲＮＣ１４２ａはまた、ＩｕＰＳインターフェースを介してコアネットワーク１０６におけるＳＧＳＮ１４８に接続されてもよい。ＳＧＳＮ１４８はまた、ＧＧＳＮ１５０に接続されてもよい。ＳＧＳＮ１４８、およびＧＧＳＮ１５０は、ＷＴＲＵ１０２ａ、１０２ｂおよび１０２ｃに、インターネット１１０などのパケット交換ネットワークへのアクセスを提供して、ＷＴＲＵ１０２ａ、１０２ｂおよび１０２ｃと、ＩＰ通信可能な装置との間の通信を円滑にすることができる。
【００５１】
上述したように、コアネットワーク１０６はまた、ネットワーク１１２に接続されてもよく、当該ネットワークはその他のサービスプロバイダにより所有および／または運営されるその他の有線または無線ネットワークを含んでもよい。
【００５２】
図１Ｄは、一実施形態に準じたＲＡＮ１０４およびコアネットワーク１０６のシステム図を示す。上述したように、ＲＡＮ１０４はＥ−ＵＴＲＡ無線技術を採用して、ＷＴＲＵ１０２ａ、１０２ｂおよび１０２ｃとエアインターフェース上で通信してもよい。ＲＡＮ１０４はまた、コアネットワーク１０６と通信してもよい。
【００５３】
ＲＡＮ１０４はｅＮｏｄｅＢ１４０ａ、１４０ｂおよび１４０ｃを含んでもよいが、一実施形態との整合性を維持しながら、ＲＡＮ１０４は任意の数のｅＮｏｄｅＢを含んでもよいことが理解されよう。ｅＮｏｄｅＢ１４０ａ、１４０ｂおよび１４０ｃは各々が、エアインターフェース１０６上でＷＴＲＵ１０２ａ、１０２ｂおよび１０２ｃと通信するための１つまたは複数のトランシーバを含んでもよい。一実施形態では、ｅＮｏｄｅＢ１４０ａ、１４０ｂおよび１４０ｃはＭＩＭＯ技術を採用してもよく、例えば、複数のアンテナを使用して、ＷＴＲＵ１０２ａに無線信号を送信し、ＷＴＲＵ１０２ａから無線信号を受信してもよい。
【００５４】
ｅＮｏｄｅＢ１４０ａ、１４０ｂおよび１４０ｃの各々は、特定のセルに関連付けられてもよく、無線リソース管理決定、ハンドオーバー決定およびアップリンクおよび／またはダウンリンクにおけるユーザのスケジューリングなどを処理するように構成されてもよい。図１Ｄに示すように、ｅＮｏｄｅＢ１４０ａ、１４０ｂおよび１４０ｃはＸ２インターフェース上で互いに通信してもよい。
【００５５】
図１Ｄに示すコアネットワーク１０６は、モビリティ管理ゲートウェイ（ＭＭＥ）１４２、サービングゲートウェイ１４４およびパケットデータネットワーク（ＰＤＮ）ゲートウェイ１４６を含んでもよい。上記要素の各々はコアネットワーク１０６の一部として表しているが、それらの要素のうちの任意の１つはコアネットワークオペレータ以外のエンティティにより所有されおよび／または運用されてもよいことが理解されよう。
【００５６】
ＭＭＥ１４２はＲＡＮ１０４におけるｅＮｏｄｅＢ１４２ａ、１４２ｂおよび１４２ｃの各々とＳ１インターフェースを介して接続されてもよく、制御ノードとしてサービスしてもよい。例えば、ＭＭＥ１４２はＷＴＲＵ１０２ａ、１０２ｂおよび１０２ｃのユーザの認証、ベアラ活性化／非活性化、ならびにＷＴＲＵ１０２ａ、１０２ｂおよび１０２
の初期アタッチ中の特定のサービングゲートウェイを選択することなどを担当してもよい。ＭＭＥ１４２はまた、ＧＳＭまたはＷＣＤＭＡなどのその他の無線技術を採用するＲＡＮ１０４およびその他のＲＡＮ（図示しない）の間を切り替える、制御プレーン機能を提供してもよい。
【００５７】
サービングゲートウェイ１４４は、Ｓ１インターフェースを介してＲＡＮ１０４におけるｅＮｏｄｅＢ１４０ａ、１４０ｂおよび１４０ｃの各々に接続されてもよい。サービングゲートウェイ１４４は一般に、ＷＴＲＵ１０２ａ、１０２ｂおよび１０２ｃへの／からのユーザデータパケットをルーティングし、および転送することができる。サービングゲートウェイ１４４はまた、ｅＮｏｄｅＢ間ハンドオーバー中のユーザプレーンのアンカリング、ＷＴＲＵ１０２ａ、１０２ｂおよび１０２ｃに対しダウンリンクデータが利用可能であるときのページングのトリガ、ならびにＷＴＲＵ１０２ａ、１０２ｂおよび１０２ｃのコンテキストの管理および記憶などの、その他の機能を実行してもよい。
【００５８】
サービングゲートウェイ１４４はまた、ＰＤＮゲートウェイ１４６に接続されてもよく、当該ＰＤＮゲートウェイ１４６はＷＴＲＵ１０２ａ、１０２ｂおよび１０２ｃに対しインターネット１１０などのパケット交換ネットワークへのアクセスを提供して、ＷＴＲＵ１０２ａ、１０２ｂおよび１０２ｃとＩＰ対応デバイスとの間の通信を円滑にする。
【００５９】
コアネットワーク１０６は、その他のネットワークとの通信を円滑にすることができる。例えば、コアネットワーク１０６は、ＷＴＲＵ１０２ａ、１０２ｂおよび１０２ｃに対しＰＳＴＮ１０８などの回線交換ネットワークへのアクセスを提供して、ＷＴＲＵ１０２ａ、１０２ｂおよび１０２ｃと従来の固定電話通信デバイスとの間の通信を円滑にすることができる。例えば、コアネットワーク１０６は、コアネットワーク１０６とＰＳＴＮ１０８との間のインターフェースとしてサービスするＩＰゲートウェイ（例えば、ＩＰマルチメディアサブシステム（ＩＭＳ）サーバ）を含んでもよく、またはＩＰゲートウェイと通信してもよい。その上、コアネットワーク１０６は、ＷＴＲＵ１０２ａ、１０２ｂおよび１０２ｃに対し、その他のサービスプロバイダにより所有、運用されるその他の無線もしくは優先ネットワークを含むことができる、ネットワーク１１２へのアクセスを提供する。
【００６０】
図１Ｅは、一実施形態に準じたＲＡＮ１０４およびコアネットワーク１０６を示すシステム図である。ＲＡＮ１０４はＩＥＥＥ８０２．１６無線技術を採用して、ＷＴＲＵ１０２ａ、１０２ｂおよび１０２ｃとエアインターフェース１１６上で通信するアクセスサービスネットワーク（ＡＳＮ）であってもよい。以下により詳細に説明するが、ＷＴＲＵ１０２ａ、１０２ｂおよび１０２ｃ、ならびにコアネットワーク１０６の異なる機能のエンティティ間での通信リンクは、リファレンスポイントとして定義されてもよい。
【００６１】
図１Ｅに示すように、ＲＡＮ１０４は基地局１４０ａ、１４０ｂおよび１４０ｃ、ならびにＡＳＮゲートウェイ１４２を含んでもよいが、実施形態との整合性を維持しながら、ＲＡＮ１０４は任意の数の基地局およびＡＳＮゲートウェイを含んでもよいことが理解されよう。基地局１４０ａ、１０４ｂおよび１４０ｃは各々がＲＡＮ１０４における特定のセル（図示しない）に関連付けられてもよく、各々がエアインターフェース１１６上でＷＴＲＵ１０２ａ、１０２ｂおよび１０２ｃと通信する１つまたは複数のトランシーバを含んでもよい。一実施形態では、基地局１４０ａ、１４０ｂおよび１４０ｃはＭＩＭＯ技術を実装してもよい。したがって、基地局１４０ａは、例えば、複数のアンテナを使用して、ＷＴＲＵ１０２ａに無線信号を送信し、ＷＴＲＵ０２ａから無線信号を受信してもよい。基地局１４０ａ、１４０ｂおよび１４０ｃはまたハンドオフのトリガなどのモビリティ管理機能、トンネリング確立、無線リソース管理、トラフィック分類およびサービス品質（ＱｏＳ）ポリシー施行などを提供してもよい。ＡＳＮゲートウェイ１４２は、トラフィックアグリゲーションポイントとしてサービスしてもよく、ページング、加入者プロファイルのキャッシュおよびコアネットワーク１０６へのルーティングなどを担当してもよい。
【００６２】
ＷＴＲＵ１０２ａ、１０２ｂおよび１０２ｃとＲＡＮ１０４との間のエアインターフェース１１６は、ＩＥＥＥ８０２．１６標準を実装するＲ１リファレンスポイントとして定義されてもよい。その上、ＷＴＲＵ１０２ａ、１０２ｂおよび１０２ｃの各々は、コアネットワーク１０６との論理インタフェース（図示しない）を確立してもよい。ＷＴＲＵ１０２ａ、１０２ｂおおび１０２ｃとコアネットワーク１０６との間の論理インターフェースは、認証、承認、ＩＰホスト構成管理および／またはモビリティ管理のために使用することができるＲ２リファレンスポイントとして定義されてもよい。
【００６３】
基地局１４０ａ、１４０ｂおよび１４０ｃの各々の間の通信リンクは、ＷＴＲＵのハンドオーバーおよび基地局間のデータの転送を円滑にするためのプロトコルを含むＲ８リファレンスポイントとして定義されてもよい。基地局１４０ａ、１４０ｂおよび１４０ｃとＡＳＮゲートウェイ２１５との間の通信リンクは、Ｒ６リファレンスポイントとして定義されてもよい。Ｒ６レファレンスポイントは、ＷＴＲＵ１０２ａ、１０２ｂおよび１０２ｃの各々に関連付けられたモビリティイベントに基づいてモビリティ管理を円滑にするためのプロトコルを含んでもよい。
【００６４】
図１Ｅに示すように、ＲＡＮ１０４はコアネットワーク１０６に接続されてもよい。ＲＡＮ１０４とコアネットワーク１０６との間の通信リンクは、例えば、データ転送およびモビリティ管理能力を円滑にするためのプロトコルを含むＲ３リファレンスポイントして定義されてもよい。コアネットワーク１０６は、モバイルＩＰホームエージェント（ＭＩＰ−ＨＡ）１４４、認証・承認・アカウンティング（ＡＡＡ）サーバ１４６およびゲートウェイ１４８を含んでもよい。上記要素の各々は、コアネットワーク１０６の一部として表されているが、これらの要素の任意の１つは、コアネットワークオペレータ以外のエンティティにより所有および／または運用されてもよいことが理解されよう。
【００６５】
ＭＩＰ−ＨＡは、ＩＰアドレス管理を担当してもよく、ＷＴＲＵ１０２ａ、１０２ｂおよび１０２ｃが異なるＡＳＮおよび／または異なるコアネットワーク間でローミングをすることを可能にしてもよい。ＭＩＰ−ＨＡ１４４はＷＴＲＵ１０２ａ、１０２ｂおよび１０２ｃに対し、インターネット１１０などのパケット交換ネットワークへのアクセスを提供して、ＷＴＲＵ１０２ａ、１０２ｂおよび１０２ｃとＩＰ対応デバイスとの間の通信を円滑にしてもよい。ＡＡＡサーバ１４６は、ユーザの認証を担当してもよく、ユーザサービスをサポートしてもよい。ゲートウェイ１４８は、その他のネットワークとの相互動作を円滑にしてもよい。例えば、ゲートウェイ１４８はＷＴＲＵ１０２ａ、１０２ｂおよび１０２ｃに対し、ＰＳＴＮ１０８などの回線交換ネットワークへのアクセスを提供して、ＷＴＲＵ１０２ａ、１０２ｂおよび１０２ｃと従来の固定回線通信デバイスとの間の通信を円滑にしてもよい。その上、ゲートウェイ１４８はＷＴＲＵ１０２ａ、１０２ｂおよび１０２ｃに対し、その他のサービスプロバイダにより所有および／または運用されるその他の無線もしくは有線ネットワークを含むことができるネットワーク１１２へのアクセスを提供してもよい。
【００６６】
図１Ｅでは示さないが、ＲＡＮ１０４はその他のＡＳＮに接続されてもよく、コアネットワーク１０６はその他のコアネットワークに接続されてもよいことが理解されよう。ＲＡＮ１０４とその他のＡＳＮとの間の通信リンクは、ＲＡＮ１０４とその他のＡＳＮとの間における、ＷＴＲＵ１０２ａ、１０２ｂおよび１０２のモビリティを調整するためのプロトコルを含むことができる、Ｒ４リファレンスポイントとして定義されてもよい。コアネットワーク１０６とその他のコアネットワークとの間の通信リンクは、ホームコアネットワークと在圏コアネットワーク（visited core network）との間の相互連動を円滑にするためのプロトコルを含むことができる、Ｒ５インターフェースとして定義されてもよい。
【００６７】
本開示全体を通じて、ＣＱＩは本開示全体を通じてＰＣＩまたはＣＱＩおよびＰＣＩの双方と交換可能に使用することができることに留意する。
【００６８】
図２は、共通パイロットチャネル（ＣＰＩＣＨ）信号強度を推定するための例示的な実施形態を示す。これは、例えば、チャネル品質インジケータ（ＣＱＩ）を算出するために行われる。
【００６９】
ＣＱＩは、ＵＥにより選択されたトランスポートブロックサイズ、変調タイプおよび並列コード数の観点で表現される、ダウンリンクデータ送信レートを指示するインデックスであってもよい。ＣＱＩは、共通パイロットチャネル（ＣＰＩＣＨ）信号強度および干渉／雑音電力を推定することにより算出することができ、次に、設計されたブロックエラーレートに準じて、選択されたテーブルから複合インデックスにそれをマッピングしてもよい。
【００７０】
ＭＰ−ＨＳＤＰＡにより、干渉回避または信号強調技術が利用されるときに、ＵＥにおけるＣＱＩ測定プロシージャが影響を受ける場合がある。
【００７１】
ＣＱＩは、ある特定された測定条件およびエラー確率の下、ＨＳ−ＰＤＳＣＨを受信する最も高い能力に関して、ＵＥにより測定およびレポートされた表の値であってもよい。
【００７２】
ＣＱＩ測定は、受信したＨＳ−ＰＤＳＣＨ電力の総計の特定の値を想定して実行することができる。ＣＱＩは、ＨＳ−ＰＤＳＣＨが受信信号に存在しないときにレポートされる必要があるので、ダウンリンクパイロットＣＰＩＣＨの電力は、何が必要かを導出するための参照として使用されてもよい。ＣＱＩ測定におけるリファレンスＣＰＩＣＨ電力の誤った使用は、ＣＱＩを過大に推定するか、または過小に推定するかのいずれかになる場合があり、ＵＥのスループットの損失または過度のデータエラーの結果となる場合がある。シングルポイント送信のために、ＣＰＩＣＨへの参照は式１のように使用されてもよい。
【００７３】
【数１】
2013539325.tif 000003
【００７４】
ＰＨＳＰＤＳＣＨおよびＰＣＰＩＣＨは、それぞれＨＳ−ＰＤＳＣＨおよびＣＰＩＣＨ電力である。測定電力オフセットΓは、上位レイヤによりシグナリングされてもよく、レファレンス電力調節Δは、適切なＣＱＩテーブルにおいて特定されたパラメータであってもよい。
【００７５】
ＨＳ−ＳＦＮスキームなどのＭＰ−ＨＳＤＰＡ動作の最中に、２以上の送信信号がデータの送信に含まれてもよい。図２は、リファレンスＣＰＩＣＨ電力を推定する例を示す図であり、そこでは処理の組み合わせが累積となり得る。例えば、異なるサービングセルからＵＥにおいて受信されたＣＰＩＣＨ信号は、ＨＳ−ＰＤＳＣＨとして同一の処理経路を通じて通るかのように合成されてもよい。２００では、ＵＥはジョイント送信に含まれる１つまたは複数のセルから信号を受信してもよい。ジョイント送信に含まれるセルからのＣＰＩＣＨは、異なるスクランブルコードを利用してもよいが、ＨＳ−ＰＤＳＣＨはそうではない。受信信号を分割して、例えば、２１０および２１５において、自身のスクランブルコードに準じて、それぞれが信号のスクランブルを解いてもよい。例えば、これを行って、それぞれのＣＰＩＣＨ信号の各々を推定してもよい。２２０および２２５において、スクランブルが解かれたＣＰＩＣＨ信号を拡散してもよい。ＨＳ−ＰＤＳＣＨに適用される任意のクロスセルプリコーディングウェイトが存在する場合は、同一のプリコーディングウェイトが、２３０および２３５においてＣＰＩＣＨ信号に適用されてもよい。ＣＰＩＣＨ信号はそれから合成されて、２４０においてＣＰＩＣＨ電力推定を提供してもよい。例えば、ＵＥはジョイント送信モードにあってもよく、ＣＱＩレポートの目的で受信されたＨＳ−ＰＤＳＣＨ電力の総計を式２のように推測してもよい。
【００７６】
【数２】
2013539325.tif 000004
【００７７】
ＰＣＰＩＣＨは、ジョイント送信において両方のサービングセルからの合成受信ＣＰＩＣＨの電力を意味し、同一のスクランブルコードおよび送信者の重みがＣＰＩＣＨに適用されたかのように判定することができる。
【００７８】
レファレンスＣＰＩＣＨ電力はまた、プライマリサービングセルのＣＰＩＣＨ電力を推定することから算出されてもよく、ＵＥにおいて既に利用可能なチャネル推定結果を利用してもよい。例えば、
【００７９】
【数３】
2013539325.tif 000005
【００８０】
は、プライマリセルに対する信号レベルにおいて、推定されたチャネル係数であってもよく、
【００８１】
【数４】
2013539325.tif 000006
【００８２】
は、セカンダリサービングセルに対する信号レベルにおいて、推定されたチャネル係数であってもよい。レファレンスＣＰＩＣＨ電力は、式３のように推定される。
【００８３】
【数５】
2013539325.tif 000007
【００８４】
【数６】
2013539325.tif 000008
【００８５】
は、プライマリサービングセルからの、ＣＰＩＣＨに対する推定された受信電力であってもよく、ｗ１およびｗ２は、任意のクロスセル送信ダイバーシティ技術が利用される場合の、クロスセルプリコーディングウェイトであってもよい。
【００８６】
別の例示的な実施形態では、ＣＱＩは、ＵＥがジョイント送信モードで構成されるときに使用するために定義されてもよい。ＣＱＩレポートの目的のために、ＵＥは、式４
【００８７】
【数７】
2013539325.tif 000009
【００８８】
の受信ＨＳ−ＰＤＳＣＨ電力の総計と推測してもよい。ＰＣＰＩＣＨは、ジョイント送信における双方のサービングセルからの合成受信ＣＰＩＣＨの電力を意味し、プライマリサービングセルの受信ＣＯＩＣＨのスケーリングされた電力から判定されてもよい。スケーリングファクタは、双方のサービングセルのチャネル推定結果およびクロスセルプリコーディングウェイトにより判定されてもよく、ＰＣＰＩＣＨをＰＰＤＳＣＨに比例させる。
【００８９】
また、レファレンスＣＰＩＣＨ電力を定義する多くの方法が採用されてもよい。例えば、異なるセルからのＣＰＩＣＨ電力がそれぞれ推定されてもよく、リファレンスＣＰＩＣＨ電力は、式５
【００９０】
【数８】
2013539325.tif 000010
【００９１】
の総計であってもよい。
【００９２】
別の例では、レファレンスＣＰＩＣＨは、式６のようにジョイント送信におけるサービングセルからのＣＰＩＣＨ電力の最大値をとることにより定義されてもよい。
【００９３】
【数９】
2013539325.tif 000011
【００９４】
別の例では、レファレンスＣＰＩＣＨは、式７のようにサービングセルからＣＰＩＣＨ電力の平均値をとることにより定義されてもよい。
【００９５】
【数１０】
2013539325.tif 000012
【００９６】
別の例では、レファレンスＣＰＩＣＨは、式８のようにプライマリサービングセルからのＣＰＩＣＨ電力を使用することにより定義されてもよい。
【００９７】
【数１１】
2013539325.tif 000013
【００９８】
いくつかのシナリオでは、サービングセルに関連するチャネル品質情報のみが、ＨＳ−ＰＤＳＣＨデータスケジューリングに関してＮｏｄｅＢに対しレポートするのに必要となり得る。様々なセルの間におけるスケジューリング調整が、ＨＳ−ＤＤＴおよびＨＳ−ＳＦＮなどのマルチポイント送信スキームにより可能となってもよく、ＵＥ受信機における信号および干渉条件が、ＮｏｄｅＢにおいてなされるスケジューリング決定の機能として動的に変化してもよい。ＮｏｄｅＢスケジューラにおける特定の送信時間間隔（ＴＴＩ）でＣＱＩ情報を知ることは、調整されたスケジューリングを使用することを可能にして、ＵＥのスループットを最適化することができる。いつ、どのようにして調整されたスケジューリングイベントが発生したかを、セルの間における交換制御情報を介してＮｏｄｅＢスケジューラに対して知らせることができ、レポートされた推定からの現在のＣＱＩを予測することを成功裏に行うことは、ＵＥが、不連続送信またはジョイント送信により生じる、ＵＥにおける干渉条件の影響をレポートすることが要求される。
【００９９】
一実施形態では、ＵＥが、主要な干渉セルからのＣＰＩＣＨ電力をＨＳ−ＤＰＣＣＨのＣＱＩフィールドを介してレポートすることを可能にする。このレポートされた情報を使用することにより、ＮｏｄｅＢは雑音源の変化においてファクタリングすること、および入来するＴＴＩにおいて調整されたスケジューリングイベントが予想される場合に、レポートされたＣＱＩに基づいて対応する修正をすることを可能にする。
【０１００】
この実施形態を実現するには、ＣＱＩフォーマットは、主要な干渉セルのＣＰＩＣＨ電力をＣＱＩ算出に組み込むことを可能にする。例えば、アシスティブ（assistive）ＣＱＩを算出するための方法は、主要な干渉セルにより使用されるスクランブルコード、および信号内のＣＰＩＣＨコンポーネントを取り出すための、ＣＰＩＣＨについてのチャネライゼーションコードにより処理される受信信号を含んでもよい。ＣＰＩＣＨ信号電力、ＰＣＰＩＣＨ，ｉｎｔは、主要な干渉セルについて推定されてもよい。干渉電力の総計、Ｐｉｎｔは、通常のＣＱＩ推定に使用されるＵＥと同一となり得るＵＥ（主要な干渉セルを含み、サービングセルを除き）において推定されてもよい。ＣＰＩＣＨ−ＳＩＲ＝ＰＣＰＩＣＨ，ｉｎｔ／Ｐｉｎｔが推定されてもよい。事前に定義されたマッピングテーブルにおいて導出され、または事前に定義された式により導出されたＣＱＩとＣＰＩＣＨ−ＳＩＲとのマッピング関係を発見することにより、アシスティブＣＱＩが取得されてもよい。タイプＢのＣＱＩフォーマットが使用される場合に、追加的なＰＣＩフィールドを使用して、アクティブセットにおけるどのセルが主要な干渉セルであるかを指示し、どのセルが２つのビットフィールドにおける４つのセルまでをサポートすることが可能であるかを指示してもよい。
【０１０１】
アシスティブＣＱＩを受信した後、および受信する通常のＣＱＩと比較することにより、ＮｏｄｅＢはプライマリサービングセルのＣＰＩＣＨ電力に関連する干渉セルのＣＰＩＣＨ電力を導くことができる。それから当該情報を使用して、より正確なＣＱＩを取得することによりＮｏｄｅＢのスケジューリングを最適化することができる。
【０１０２】
アシスティブＣＱＩがまた、無制限の監視インターバルに基づいて、主要な干渉セルについて最も高い表のアシスティブＣＱＩ値を、衝突されたサービングセルとして同一の雑音および干渉条件におけるＨＳ−ＰＤＳＣＨ送信に使用されたようにレポートするＵＥとして定義されてもよい。アシスティブＣＱＩレポーティングの目的のために、ＵＥが、
【０１０３】
【数１２】
2013539325.tif 000014
【０１０４】
式９の受信ＨＳ−ＰＤＳＣＨ電力の総計を推測してもよい。ＰＣＰＩＣＨ，ｉｎｔは、主要な干渉セルにより使用されるＣＰＩＣＨの電力を意味する。マルチポイント送信に使用される用語において、主要な干渉セルは特定のセルに固定し、セカンダリサービングセルとして言及してもよい。
【０１０５】
別の実施形態では、アシスティブＣＱＩのためのレポーティングフォーマットは、プライマリサービングセルのＣＰＩＣＨ電力に関連する干渉セルの相対ＣＰＩＣＨ電力を定義する、表の値の新規の組とともに新規のルックアップテーブルを導入することにより完全に修正することができる。このような表の例は、以下の表１のようになる。表１はアシスティブＣＱＩテーブルを示す。
【０１０６】
【表１】
2013539325.tif 000015
【０１０７】
干渉セルに対するＣＰＩＣＨの相対電力をレポートするアシスティブＣＱＩは、無制限の監視インターバルに基づいて、プライマリサービングセル上のＣＰＩＣＨ電力で、ＵＥが主要な干渉セルのＣＰＩＣＨ電力の比率をレポートすることができる、こととして説明される。電力比へのアシスティブＣＱＩのマッピングを、表１において特定することができる。
【０１０８】
図３は、ネットワークスケジューリングのために使用することができるＣＱＩ推定の例示的な実施形態を示す。これは例えば、干渉および／または信号レベルの変化を予測することにより、より正確なＣＱＩ算出を提供するために行われる。例えば、図３は、干渉回避または信号増強の目的のために、調整されたスケジューリングがネットワークに採用されるときに、正確なＣＱＩ推定に使用することができる例を示す。
【０１０９】
説明する目的で、干渉セル２５５が別のＵＥにＨＳ−ＰＤＳＣＨを送信している、２８０における（ｎ−２）番目の送信時間間隔（ＴＴＩ）の期間中に、２４５においてＣＱＩ（ｎ−２）が算出されることを仮定する。干渉セル２５５は、そのサービングセル２６０から現在のＵＥの受信に対する干渉を生成している場合がある。矢印２５０により示されるように、２４５におけるＣＱＩ（ｎ−２）を使用して、２６５においてＴＴＩ間隔ｎ＋２をスケジューリングし、ネットワークがそのＨＳ−ＤＰＳＣＨ送信を停止させることにより、干渉セルの送信を調整することを決定するときに、ＣＱＩ（ｎ−２）内の２４５における指示されたトランスポートブロックサイズは、干渉が取り除かれるために、過小に推定される場合がある。同様に、２７０においては、干渉の存在が考慮されないＣＱＩ（ｎ−１）については過大に推定される状況が発生する場合がある。
【０１１０】
ＣＱＩ算出が 、ＴＴＩ境界を通じて平均化することで、ＣＱＩ（ｎ＋３）についての２７５におけるケースとして実行され、それはまた、ＮｏｄｅＢが最適なスケジューリングを実行するのに困難となる場合がある。
【０１１１】
本開示の実施形態に準じて、干渉セル２５５などの第２のセルからの干渉信号の存在／不存在を補償することにより、同一のＴＴＩ間隔でのＵＥにおいて推定された複数のＣＱＩを有する技術が提供される。マルチセル信号合成技術が使用される場合は、ＣＱＩ算出はそれを考慮して、チャネルがサポートすることができる能力をレポートすることができる。
【０１１２】
これらのＣＱＩ値を、アップリンクフィードバックチャネルＨＳ−ＤＰＣＣＨを介してネットワークにレポートし、最適化されたネットワークスケジューリングを実行することができる。
【０１１３】
以下の段落で、ＭＰ−ＨＤＤＰＡ技術に対してどのようにＣＱＩ算出を扱うことができるかの例が開示される。
【０１１４】
例示的な実施形態では、ＨＳ−ＤＤＴに対しＣＱＩ算出が実行されてもよい。ＨＳ−ＤＤＴ技術の目的は、主に、ネットワークスケジューリングを調整することにより干渉回避を提供することである。したがって、ＴＴＩベースで同時に推定およびレポートされたＣＱＩの２つの組を有することが有益となる場合がある。その２つの組の１つは干渉回避が考慮されたチャネル品質をレポートすることであり、もう一方は干渉回避が考慮されないチャネル品質をレポートすることである。これらのＣＱＩの２つの組は、ＣＱＩＩＡおよびＣＱＩＮＡによりそれぞれ提示されてもよく、ＩＡは干渉回避（Interference Avoidance）を表し、ＮＡは非干渉回避（No Avoidance of interference）を表す。
【０１１５】
図３で、２８０における（ｎ−２）番目のＴＴＩまたは２８５におけるＮ番目のＴＴＩなどの、干渉されたＴＴＩの最中に、ＣＱＩＮＡを算出することが通常、実行されてもよい。例えば、ＣＱＩＮＡを算出することは、
１．サービングセルにより使用されるスクランブルコード、およびＣＰＩＣＨについてのチャネライゼーションコードを使用することにより、受信信号を処理して、受信信号内のＣＰＩＣＨ成分を抜き出すこと。
２．ＣＰＩＣＨ信号電力ＰＣＰＩＣＨを推定すること。
３．その他のすべてのセルから提供された干渉電力Ｐｉｎｔを推定すること。
４．ＣＰＩＣＨ−ＳＩＲ＝ＰＣＰＩＣＨ／Ｐｉｎｔを推定すること。
５．事前に定義されたマッピングテーブルにおいて導出された、またはオフセットへの複数のファクタ（ＨＯＭおよび進化した受信機の使用など）を合成して、より正確なＣＱＩ算出を提供することができる、事前に定義された式により導出されたＣＱＩとＣＰＩＣＨ−ＳＩＲとの間のマッピング関係を発見することによりＣＱＩを取得すること。
を備えることができる。
【０１１６】
同一のＴＴＩにおけるＣＱＩＩＡを算出するときに、調整された干渉セルから生成された一部の干渉成分は、測定が被干渉ＴＴＩの最中になされたことから、除去される必要がある場合がある。例えば、一実施形態では、ＨＳ−ＰＤＳＣＨのみが調整された干渉セルに対し不連続送信のときに、このＨＳ−ＰＤＳＣＨチャネルにより供給される干渉電力が推定され、ＣＰＳＣＨ−ＳＩＲ推定から除去されてもよい。ＣＱＩＩＡを算出することは、
１．サービングセルにより使用されるスクランブルコード、およびＣＰＩＣＨについてのチャネライゼーションコードを使用することにより、受信信号を処理して、受信信号内のＣＰＩＣＨ成分を抜き出すこと。
２．ＣＰＩＣＨ信号電力ＰＣＰＩＣＨを推定すること。
３．その他のすべてのセルから供給される干渉電力Ｐｉｎｔを推定すること。
４．干渉セルにより使用されるスクランブルコードおよびＣＰＩＣＨについてのチャネライゼーションコードを使用して受信信号を処理して、干渉セルにより送信されたＣＰＩＣＨ成分を抜き出すこと。
５．干渉セルからのＣＰＩＣＨ信号電力ＰＣＰＩＣＨ，ｉｎｔを推定すること。
６．ＰＣＰＩＣＨ，ｉｎｔをオフセットして、式１０のように干渉セルからＨＳ−ＰＤＳＣＨ電力を導出する。
【０１１７】
【数１３】
2013539325.tif 000016
【０１１８】
ＧＨＳ−ＤＰＳＣＨ／ＧＣＰＩＣＨは、干渉セルについて使用されるＨＳ−ＤＰＳＣＨおよびＣＰＩＣＨのスケーリングファクタの比であり、ＵＥに知られているものと仮定され、さもなければ、推定されてもよい。
７．送信機において使用される一つからの異なるデスクランブルコードおよびチャネライゼーションコードを適用した後の信号と比較した剰余電力レベルを反映する剰余ファクタ（residue factor）Ｒresを定義すること。
このパラメータは、拡散率および使用されるチャネライゼーションコードの機能とすることができ、理論解析またはシミュレーションのいずれかから取得することができる。ＵＥへのＨＳ−ＤＰＳＣＨ送信に対し、すべてのチャネライゼーションコードが使用されない場合、このＵＥについて実際に使用される部分に基づいてＲｒｅｓを算出し、または推定することができる。
８．式１１のように、干渉ＨＳ−ＰＳＣＨが要因となる電力を除去することによりオフセットすることができる、総計干渉電力を算出すること。
【０１１９】
【数１４】
2013539325.tif 000017
【０１２０】
９．式１２のように、修正したＣＰＩＣＨ−ＳＩＲを推定すること。
【０１２１】
【数１５】
2013539325.tif 000018
【０１２２】
１０．事前に定義されたマッピングテーブルにおいて導出される、または事前に定義された式により導出されるＣＱＩとＣＰＩＣＨ−ＳＩＲとの間のマッピング関係を探し出すことによりＣＱＩＩＡを取得することと
を備えることができる。
【０１２３】
ＨＳ−ＳＣＣＨがまた調整された干渉セルにおいて不連続送信の場合、６乃至８（上記示した）を干渉セルのＨＳ−ＳＣＣＨの電力に適用することができる。Ｒｒｅｓの異なる値を使用してもよく、または使用しなくてもよいことに留意する。
【０１２４】
ＰＣＰＩＣＨはまた、チップあたりのエネルギー（Ｅｃ）、またはビットあたりのエネルギー（Ｅｂ）の観点で、ｄＢまたはリニアスケール（linear scale）のいずれかで示すことができる。雑音電力はまた、雑音スペクトル密度（Ｉｏｃ）の観点から示すことができることにも留意する。
【０１２５】
図３の２９０における（ｎ−１）番目のＴＴＩ、または２６５における（ｎ＋２）番目のＴＴＩなどの、非干渉ＴＴＩの最中は、ＣＱＩＩＡを算出することは、不連続送信となる信号成分がすでに信号から除外されるものとして、容易なものとなる場合がある。一方、ＣＱＩＮＡを算出することは、干渉電力を修正することが必要となり、当該干渉電力は以下に説明する方法の１．に従うが、８．は以下のように修正する必要がある場合がある。
８．式１３のように、干渉ＨＳ−ＰＳＣＨが要因となる電力を追加することにより、オフセットとすることができる総計干渉電力を算出すること。
【０１２６】
【数１６】
2013539325.tif 000019
【０１２７】
上記プロシージャにおける信号または干渉のいずれかについての電力推定は、ＴＴＬ間隔内のデータの平均値をとることにより実施することができることに留意する。
【０１２８】
図４は、ＴＴＩ境界が配置されないときのＣＱＩ推定の例示的な実施形態を示す。２つのセルのＴＴＩ境界が同期されないとき、すなわち、タイムオフセットが存在するとき、図４に示すように、平均化は干渉セルのＴＴＩ境界に従うことができる。例えば、図４は、ＴＴＩ境界が配置されないときのＣＱＩ推定を示す。図４の２９５において示すように、干渉セル３０６からＨＳ−ＰＤＳＣＨ３００により配置され得るＴＴＩ（ｎ＋１）が発生する。しかしながら、サービングセル３０７から送信されたＨＳ−ＰＤＳＣＨ３０５のＴＴＩ境界は、ＨＳ−ＰＤＳＣＨ３００によっては配置されない。３１０においては、ＣＱＩ（ｎ＋１）を生成することができる。
【０１２９】
例示的な実施形態では、ＣＱＩ算出をＭＦのために実行することができる。ＭＦ動作では、マルチポイント送信に含まれるセルを、プライマリセルならびに複数のセカンダリセルもしくはマルチポイントセルとして定義することができる。各セルに対してＣＱＩレポートを作成することができる。このようにして、Ｎ個のＣＱＩレポートが、ＵＥによる推定に必要となり、Ｎは同時ダウンリンクデータ送信にともに使用することができる、構成されたセルの数であってもよい。随意に、Ｎはアクティブセルの数であってもよい。ＣＱＩレポートの各々を、関連するセルにより使用される自身のスクランブルコードを適用することにより算出することができる。
【０１３０】
例示的な実施形態では、ＣＱＩ算出をＨＳ−ＳＦＮのために実行することができる。図５は、ＨＳ−ＳＦＮ送信についての例示的な実施形態を示す。例えば、図５はＨＳ−ＳＦＮ送信を示し、そこでは（ｎ−１番目）、（ｎ＋２）番目および（ｎ＋４）番目のＴＴＩにおいて干渉セルから送信される信号は、サービングセルと同一のスクランブルコードおよび同一の信号を使用する。図５に示すように、ＨＳ−ＰＤＳＣＨ３２５、ＨＳ−ＰＤＳＣＨ３３０およびＨＳ−ＰＤＳＣＨ３３５を、干渉セル３１５により送信することができ、サービングセル３２０からの送信と同一の信号および同一のスクランブルコードを使用することができる。
【０１３１】
ＨＳ−ＳＦＮでは、ネットワークスケジューラは、干渉セルが、単にデータ送信を停止するのではなく、同一のスクランブルコードを使用して同一のデータを送信することを許可することにより、当該干渉セルを調整することができる。このことは、干渉を回避することができ、ＵＥへのＨＳＤＰＡデータ送信についての信号強度を高めることができる。ＣＱＩの２つの組の推定が、最適なネットワークスケジューリング（干渉セルが信号増強に使用され得る場合にチャネル品質を示すためのＣＱＩＳＥ、および干渉セルが干渉している場合にチャネル品質を示すためのＣＱＩＩＮＴ）に対して望ましい場合がある。それらを、現在のＴＴＩの信号状態に別々に応じて算出することができる。
【０１３２】
図５における（ｎ−２）番目のＴＴＩまたはｎ番目のＴＴＩなどの干渉されたＴＴＩの最中は、ＣＱＩＮＴを算出することが容易となり得る。例えば、ＣＱＩを算出する従来の方法を使用してＣＱＩＩＮＴを算出することができる。
【０１３３】
ＣＱＩＳＥを算出している間に、信号と干渉電力の両方が補償され、干渉回避および信号増強技術の両方を採用することができる事実を考慮する必要がある場合がある。一の例示的な実施形態では、以下を実行することができる。
１．サービングセルにより使用されるスクランブルコードおよびＣＰＩＣＨについてのチャネライゼーションコードにより受信信号を処理して、信号内のＣＰＩＣＨ成分を抜き出すこと。
２．ＣＰＩＣＨ信号電力ＰＣＰＩＣＨを推定すること。
３．その他のセルが要因となる干渉電力Ｐｉｎｔを推定すること。
４．干渉セルにより使用されるスクランブルコードおよびＣＰＩＣＨについてのチャネライゼーションコードにより受信信号を処理して、干渉セルにより送信されたＣＰＩＣＨ成分を抜き出すこと。
５．干渉セルからのＣＰＩＣＨ信号電力ＰＣＰＩＣＨ，ｉｎｔを推定すること。
６．式１４のように、ＰＣＰＩＣＨ，ｉｎｔをオフセットして、干渉セルからＨＳ−ＰＤＳＣＨ電力を導出すること。
【０１３４】
【数１７】
2013539325.tif 000020
【０１３５】
ＧＨＳ−ＤＰＳＣＨ／ＧＣＰＩＣＨは、干渉セルについて使用されるＨＳ−ＤＰＳＣＨおよびＣＰＩＣＨのスケーリングファクタの比であってもよく、ＵＥに対して通知されると仮定してもよく、さもなければ推定されてもよい。
７．送信機において使用される１つからの異なるデスクランブルコードおよびチャネライゼーションコードを適用した後の信号と比較した、剰余電力レベルを反映することができる剰余係数Ｒｒｅｓを定義すること。
このパラメータは、使用される拡散率およびチャネライゼーションコードの機能とすることができ、理論解析またはシミュレーションから取得することができる。ＵＥへのＨＳ−ＤＰＳＣＨ送信にすべてのチャネライゼーションコードが使用されない場合に、このＵＥに対し実際に使用される部分に基づきＲｒｅｓを算出し、または推定することができる。
８．式１５のように、干渉ＨＳ−ＰＳＣＨを要因とする電力を除去することにより、総計干渉電力をオフセットすること。
【０１３６】
【数１８】
2013539325.tif 000021
【０１３７】
９．式１６のように、ＣＰＩＣＨ電力を式１６により補償すること。
【０１３８】
【数１９】
2013539325.tif 000022
【０１３９】
１０．式１７のように、修正したＣＰＩＣＨ−ＳＩＲ。
【０１４０】
【数２０】
2013539325.tif 000023
【０１４１】
１１．従来のケースと類似する、事前に定義されたマッピングテーブルにおいて導出される、または事前に定義された式により導出されるＣＱＩとＣＰＩＣＨ−ＳＩＲとの間のマッピング関係を探し出すことによりＣＱＩＳＥを取得すること。
【０１４２】
９．におけるＣＰＩＣＨ電力を多くの方法で補償することができる。例えば、９．におけるＣＰＩＣＨ電力を、式１８により補償することができる。
【０１４３】
【数２１】
2013539325.tif 000024
【０１４４】
【数２２】
2013539325.tif 000025
【０１４５】
および
【０１４６】
【数２３】
2013539325.tif 000026
【０１４７】
は、サービングセルおよび干渉セルのそれぞれについてのチャネル推定の結果であってもよい。
【０１４８】
別の例では、９．におけるＣＰＩＣＨ電力を式１９により補償することができる。
【０１４９】
【数２４】
2013539325.tif 000027
【０１５０】
【数２５】
2013539325.tif 000028
【０１５１】
および
【０１５２】
【数２６】
2013539325.tif 000029
【０１５３】
は、サービングセルおよび干渉セルそれぞれについてのＨＳ−ＰＳＣＨ−ＣＰＩＣＨ電力比であってもよい。
【０１５４】
別の例では、９．におけるＣＰＩＣＨ電力を式２０により補償することができる。
【０１５５】
【数２７】
2013539325.tif 000030
【０１５６】
図５における（ｎ−１）番目のＴＴＩ、または（ｎ＋２）番目のＴＴＩなどの、非干渉ＴＴＩの最中は、ＣＱＩＩＮＴを算出することができる。例えば、以下を使用してＣＱＩＩＮＴを算出することができる。
１．サービングセルにより使用されるスクランブルコードおよびＣＰＩＣＨについてのチャネライゼーションコードを使用して受信信号を処理すること。
２．ＣＰＩＣＨ信号電力ＰＣＰＩＣＨを推定すること。
３．その他のセルが要因となる干渉電力Ｐｉｎｔを推定すること。
４．干渉セルにより使用されるスクランブルコードおよびＣＰＩＣＨについてのチャネライゼーションコードを使用して受信信号を処理すること。
５．干渉セルからのＣＰＩＣＨ信号電力ＰＣＰＩＣＨ，ｉｎｔを推定すること。
６．式２１のように、ＰＣＰＩＣＨ，ｉｎｔをオフセットして、干渉セルからＨＳ−ＰＤＳＣＨ電力を導出すること。
【０１５７】
【数２８】
2013539325.tif 000031
【０１５８】
ＧＨＳ−ＤＰＳＣＨ／ＧＣＰＩＣＨは、干渉セルについて使用されるＨＳ−ＤＰＳＣＨおよびＣＰＩＣＨのスケーリングファクタの比であってもよく、ＵＥに対して通知されると仮定してもよく、さもなければ推定されてもよい。
７．送信機において使用される１つからの異なるデスクランブルコードおよびチャネライゼーションコードを適用した後の信号と比較した、剰余電力レベルを反映することができる剰余係数Ｒｒｅｓを定義すること。ＵＥへのＨＳ−ＤＰＳＣＨ送信にすべてのチャネライゼーションコードが使用されない場合に、このＵＥに対し実際に使用される部分に基づきＲｒｅｓを算出し、または推定することができる。
８．式２２のように、干渉ＨＳ−ＰＳＣＨを要因とする電力を追加することにより、総計干渉電力をオフセットすること。
【０１５９】
【数２９】
2013539325.tif 000032
【０１６０】
９．修正したＣＰＩＣＨ−ＳＩＲを式２３により推定すること。
【０１６１】
【数３０】
2013539325.tif 000033
【０１６２】
１０．事前に定義されたマッピングテーブルにおいて導出される、または事前に定義された式により導出されるＣＱＩとＣＰＩＣＨ−ＳＩＲとの間のマッピング関係を探し出すことによりＣＱＩＩＮＴを取得すること。
【０１６３】
以下を使用してＣＱＩＳＥを算出することができる。
１．サービングセルにより使用されるスクランブルコードおよびＣＰＩＣＨについてのチャネライゼーションコードを使用して受信信号を処理して、信号内のＣＰＩＣＨ成分を抜き出すこと。
２．ＣＰＩＣＨ信号電力ＰＣＰＩＣＨを推定すること。
３．その他のセルが要因となる干渉電力Ｐｉｎｔを推定すること。
４．干渉セルにより使用されるスクランブルコードおよびＣＰＩＣＨについてのチャネライゼーションコードにより受信信号を処理して、干渉セルにより送信されたＣＰＩＣＨ成分を抜き出すこと。
５．干渉セルからのＣＰＩＣＨ信号電力ＰＣＰＩＣＨ，ｉｎｔを推定すること。
６．式２４にように、ＣＰＩＣＨ電力をオフセットすること。
【０１６４】
【数３１】
2013539325.tif 000034
【０１６５】
ＣＰＩＣＨはまた、上記式１８乃至式２０により算出されてもよい。
７．式２５のように、修正したＣＰＩＣＨ−ＳＩＲを推定すること。
【０１６６】
【数３２】
2013539325.tif 000035
【０１６７】
８．事前に定義されたマッピングテーブルにおいて導出される、または事前に定義された式により導出されるＣＱＩとＣＰＩＣＨ−ＳＩＲとの間のマッピング関係を探し出すことによりＣＱＩＳＥを取得すること。
【０１６８】
本明細書で説明される信号／干渉電力を平均化している間のＴＴＩ境界の配置の方法はまた、ＨＳ−ＳＦＮが配置される場合に適用されてもよい。
【０１６９】
例示的な実施形態では、ＣＱＩ算出をＤＳＳのために実行することができる。ＤＳＳを採用するＭＰ−ＨＳＤＰＡでは、２つのセルの間で（または可能であれば３以上）、サービングセルを切り替えることができる。１つのセルが動作中であり、同時にＵＥへ送信することができるので、ＨＳ−ＤＤＴに使用されるＩＡもしくはＮＡについてのＣＱＩの２つの組の概念をいまだに使用することができる。例えば、本明細書で説明する以下のプロシージャによりＣＱＩＩＡおよびＣＱＩＮＡを算出することができる。干渉セルはまたサービングセルの１つであると考えられるので、例えば、第２のサービングセルと関連付けられたスクランブルコードを使用することにより、ＵＥにおいてＣＱＩＩＡおよびＣＱＩＮＡの追加の組が推定される必要がある場合がある。
【０１７０】
上記提示したＣＱＩを算出するための様々な方法の実施例の要約において、ＵＥはＣＱＩの２つのカテゴリーを推定し、それをＴＴＩベース毎にネットワークへレポートする必要がある。その２つのカテゴリーのうちの１つは有効となったＭＰ−ＨＳＤＰＡによる、より高い値であり、もう一方はＭＰ−ＨＳＤＰＡなしのより低い値である。必要であれば、ＵＥは干渉レベルまたは信号レベルの変化を予測して、対応するＣＱＩの正確な推定を取得する必要がある。前者を「上位ＣＱＩ」として、後者を「下位ＣＱＩ」として言及すると、ＵＥがＭＰ送信モードにおいて構成されるときに、以下の段落で証明されるものとしてそれらを定義することができる。
【０１７１】
上位ＣＱＩについては、無制限の観測間隔に基づいて、ＵＥは、単一のＨＳ−ＤＳＣＨサブフレームがトランスポートブロックサイズによりフォーマットされる、最も高い表のＣＱＩ値をレポートすることができ、ＨＳ−ＰＤＳＣＨコードの数、およびレポートされたＣＱＩ値もしくはより低いＣＱＩ値に対応する変調が、レポートされたＣＱＩ値が送信される最初のスロットの開始前の、１スロットを終了させる３スロット参照期間において０．１を超えないトランスポートブロックエラーの可能性とともに受信されてもよい。このことは、構成されたＭＰ送信が観測間隔において動作していると仮定することができる。構成されたＭＰ送信が動作していない観測間隔の間にＣＱＩが測定される場合、ＵＥはＣＱＩ測定における干渉レベルもしくは信号レベルのバリエーションを、あたかも構成されたＭＰ送信が使用されているように予測することができる。
【０１７２】
下位ＣＱＩについては、無制限の観測間隔に基づいて、ＵＥは、単一のＨＳ−ＤＳＣＨサブフレームがトランスポートブロックサイズによりフォーマットされる、最も高い表のＣＱＩ値をレポートすることができ、ＨＳ−ＰＤＳＣＨコードの数、およびレポートされたＣＱＩ値もしくはより低いＣＱＩ値に対応する変調が、レポートされたＣＱＩ値が送信される最初のスロットの開始前の、１スロットを終了させる３スロット参照期間において０．１を超えないトランスポートブロックエラーの可能性とともに受信されてもよい。このことは、構成されたＭＰ送信が観測間隔において動作していないと仮定することができる。構成されたＭＰ送信が動作している観測間隔の最中にＣＱＩが測定される場合、ＵＥはＣＱＩ測定における干渉レベルもしくは信号レベルのバリエーションを、あたかも構成されたＭＰ送信が使用されていないように予測することができる。
【０１７３】
以下に開示する実施形態では、用語「セル１」および「セル２」が使用される。しかしながら、セル１およびセル２の番号付けは、セルがプライマリセルか、またはセカンダリセルかの区別をするものではない。例えば、セル１がプライマリサービングセルであってもよく、セル２がセカンダリサービングセルであってもよい。さらに、セル２がプライマリサービングセルであってもよく、セル１がセカンダリサービングセルであってもよい。さらにその上、他のネーミングがまた、区別なしにセル１およびセル２と関連付けられてもよい。
【０１７４】
図６は、送信機ダイバーシティが構成されるときの、グローバルプリコーディングによるジョイント送信の例示的な実施形態を示す。
【０１７５】
本明細書で説明されるマルチポイント高速ダウンリンクパケットアクセス送信（ＭＰ−ＨＳＤＰＡ）技術は、セル端におけるＵＥのスループットを向上させることができる。例えば、送信に含まれる複数のセルの間での調整された動作の一部として、各サイト上で複数のアンテナに適用されるプリコーディングウェイトをともに最適化することができる。さらに、複数のセルにわたるグローバルプリコーディングはまた、さらなる性能向上を可能にする。
【０１７６】
ＭＰ−ＨＳＤＰＡのコンテキストにおいてどのようにプリコーディングウェイトを構成および設計するかが以下の段落で提供される。
【０１７７】
一の例示的な実施形態では、クロスセルプリコーディングウェイトの最適化を実行することができる。異なる位相および可能であれば振幅の調節を、各々のセルにおいて送信された信号に適用して、マルチポイント送信の利点を最大化することができる。これらの調節は複合プリコーディングウェイトとして数学的に表現することができる。最適化としてのクロスセルプリコーディングと呼ばれるこのような動作は、複数のセルの間の調整に応じて達成することができる。
【０１７８】
例示的な実施形態では、ＨＳ−ＳＦＮなどのジョイント送信のためにクロスセルプリコーディングを実行することができる。図６は、送信機ダイバーシティが構成されるときの、グローバルプリコーディングによるジョイント送信を有する例示的なシステムを示す図である。図６では、送信機セル３５０および送信機セル３５５などの各セル毎に、アンテナ３４０および３４５などの少なくとも２つのアンテナを使用して、送信ダイバーシティによるダウンリンク送信におけるビームフォーミングをサポートすることができる。また、アンテナ３６０および３６５を使用して、ビームフォーミングをサポートすることができる。プリコーディングウェイトの２つの組（セル毎に１つ）が、複数のアンテナによる送信ダイバーシティを実現する目的に必要とされる場合がある。例えば、プリコーディングウェイトｗ１１およびｗ１２を送信機セル３５０に対して使用し、およびプリコーディングウェイトｗ２１およびｗ２２を送信機セル３５５に対して使用することができる。双方のセルがＭＰ−ＨＳＤＰＡ構成において同一のデータを送信することができるので、アンテナ特有のプリコーディング、ならびに各セルに対して追加的な位相および振幅調節を適用することにより、送信機ダイバーシティの別のレイヤを形成するのに役立ち得る。追加的な位相および振幅調節を複数のセルにわたって同時に最適化することができ、図６においてｗ１およびｗ２として示されるグローバルプリコーディングウェイトを連結することにより実現することができる。
【０１７９】
関連するプリコーディングウェイトを、ベクトル形式で示す。
【０１８０】
【数３３】
2013539325.tif 000036
【０１８１】
一の例示的な実施形態では、最適なグローバルプリコーディングベクトルを探し出す基準の１つは、以下の式２６となり、
【０１８２】
【数３４】
2013539325.tif 000037
【０１８３】
Ｈは、クロスサイトＣＳＩマトリックスであってもよく、それは、式２７により各セルのＣＳＩマトリックスに関連する。
【０１８４】
【数３５】
2013539325.tif 000038
【０１８５】
ＮｏｄｅＢに対するプリコーディングウェイトの選択をシグナリングすることは、コードブックベースの方法を式２８のように使用することができる。
【０１８６】
【数３６】
2013539325.tif 000039
【０１８７】
さらに、より細かな粒度の１つを上回るまたはその１つによる同一のコードブックを使用することにより、クロスセルプリコーディングを適用することができる。例えば、式２９のように、
【０１８８】
【数３７】
2013539325.tif 000040
【０１８９】
ＰＣＩの３つの組はアップリンクフィードバックにおいてＮｏｄｅＢに対しシグナリングされる必要があり、２つはｗ１２およびＷ２２に対してであって、もう１つはクロスセルプリコーディング係数Ｗ２に対してである。
【０１９０】
図７は、送信ダイバーシティによるジョイント送信の例示的な実施形態を示す図である。一実施形態では、ｗ１およびｗ２が合成されてアンテナ特有のプリコーディングウェイトとなり、それにより生じるプリコーディングはｗ１、ｗ２、ｗ３およびｗ４により示すことができる。このような構成は、送信ダイバーシティによるジョイント送信の図を示す図７で示される。
【０１９１】
プリコーディングウェイトの値を、式３０のようにコードブックから選択することができる。
【０１９２】
【数３８】
2013539325.tif 000041
【０１９３】
Ｎは、コードブックサイズであってもよい。
【０１９４】
図８は、セルにおける単一のアンテナによるクロスサイト送信ダイバーシティの例示的な実施形態を示す。セルにおいて１つのアンテナが構成されるときに、クロスセルプリコーディングウェイトが式３１により判定される。
【０１９５】
【数３９】
2013539325.tif 000042
【０１９６】
Ｎは、コードブックサイズであってもよい。例えば、Ｎは２の電力から算出される整数であってもよい。
【０１９７】
図９は、ＭＩＭＯモードにおいてＵＥを構成するときの、ジョイント送信の例示的な実施形態を示す。Ｓ１およびＳ２などの、データの２つのストリームが送信されるＭＩＭＯモードにおいて、ＵＥ１０２を構成するときに、複数のセルからのジョイント送信が、本明細書で開示する実施形態においていつでも実現することができる。データの２つのストリームを、セル１における送信機である送信機３５０、およびセル２における送信機である送信機３５６から送信することができる。図９を参照すると、データの同一のストリームＳ１およびＳ２を異なるセルから送信することができ、プリコーディングウェイトの２つの異なる組を、各セルについてのアンテナにそれぞれ適用することができる。
【０１９８】
２つのセルそれぞれに対するプリコーディングウェイトは、以下のように示すことができる。
【０１９９】
【数４０】
2013539325.tif 000043
【０２００】
特定の最適な基準に準じて、プリコーディングウェイトを同時に最適化することができる。例えば、プリコーディングウェイトを選択して、式３２になるようにすることができ、
【０２０１】
【数４１】
2013539325.tif 000044
【０２０２】
式３２では、
【０２０３】
【数４２】
2013539325.tif 000045
【０２０４】
Ｈ１およびＨ２はそれぞれ、各セルのＣＳＩマトリックスである。
【０２０５】
アップリンクフィードバックのオーバーヘッドを軽減する方法を容易にするために、式３３のコードブックを採用することができる。
【０２０６】
【数４３】
2013539325.tif 000046
【０２０７】
３つの複合プリコーディング係数を判定するのに必要となり得る。したがって、プリコーディング制御インジケータの３つの組をＮｏｄｅＢにシグナリングして、優先された選択を示すのに必要となり得る。残りのプリコーディングウェイト、
【０２０８】
【数４４】
2013539325.tif 000047
【０２０９】
を選択して、ベクトル
【０２１０】
【数４５】
2013539325.tif 000048
【０２１１】
が
【０２１２】
【数４６】
2013539325.tif 000049
【０２１３】
に直交し、
【０２１４】
【数４７】
2013539325.tif 000050
【０２１５】
が
【０２１６】
【数４８】
2013539325.tif 000051
【０２１７】
に直交するようにすることができる。
【０２１８】
図１０は、ＭＩＭＯモードにおいてＵＥを構成するときの、クロスサイトプリコーディングによるジョイント送信の例示的な実施形態を示す。例示的な実施形態では、各セルに対して、ＭＩＭＯプリコーディングに加えて、クロスサイトプリコーディング調節が追加される。図１０を参照すると、各セルに対するＭＩＭＯプリコーディングウェイトは、以下のように示される。
【０２１９】
【数４９】
2013539325.tif 000052
【０２２０】
プリコーディングウェイトを、各セルに対しそれぞれ最適化することができる。クロスサイトプリコーディングウェイトを判定するために、最適な基準を使用することができる。例えば、クロスセルプリコーディング係数を以下のルールにより選択することができる。
ルール１
【０２２１】
【数５０】
2013539325.tif 000053
【０２２２】
ルール２
ｗ２は
【０２２３】
【数５１】
2013539325.tif 000054
【０２２４】
の中から選択されて、式３４を最大化することができる。
【０２２５】
【数５２】
2013539325.tif 000055
【０２２６】
上記説明した送信機の構造について、ＮｏｄｅＢにレポートするのに必要なＰＣＩの３つの組があり、そのうちの２つが各セルに対するＭＩＭＰプリコーディングウェイトについてであり、１つがクロスセルプリコーディングについてである。
【０２２７】
１つの例示的な実施形態では、マルチフローアグリゲーションスキームにより送信ダイバーシティを使用することができる。例えば、図６および図１０に関して示すように、送信機ストラクチャを、異なるセルが異なるデータストリームを送信することができる、マルチフローアグリゲーションスキームに拡張することができ、これらのデータストリームはＵＥにおいてアグリゲートされ、ダウンリンクのスループットを改善することができる。
【０２２８】
図１１は、ＴＸダイバーシティモードにおいてＵＥ１０２を構成するときの、クロスサイトプリコーディングによるマルチフローアグリゲーションの例示的な実施形態を示す。図１１に示すように、異なるセルが、Ｓ１およびＳ２などの異なるデータストリームを送信することができ、これらのデータストリームはＵＥ１０２においてアグリゲートされ、ダウンリンクのスループットを改善することができる。例えば、送信ダイバーシティまたはＭＩＭＯモードにおいてＵＥ１０２を構成するときに、結果として生じる送信機ストラクチャを使用することができる。
【０２２９】
本明細書において他に開示された、優先されたプリコーディングウェイトを示す、類似する技術を使用することができる。したがって、ＰＣＩ値の３つの組をＮｏｄｅＢにシグナリングして、ＵＥ選択を示すのに必要となり得る。
【０２３０】
図１２は、ＭＩＭＯモードにおいてＵＥを構成するときの、クロスサイトプリコーディングによるマルチフローアグリゲーションの例示的な実施形態を示す。図１２で示すように、異なるセルが、Ｓ１、Ｓ２、Ｓ３およびＳ４などの異なるデータストリームを送信することができる。これらのデータストリームはＵＥ１０２においてアグリゲートされ、ダウンリンクのスループットを改善することができる。送信ダイバーシティまたはＭＩＭＯモードにおいてＵＥ１０２を構成するときに、結果として生じる送信機ストラクチャを使用することができる。
【０２３１】
本明細書において他に開示された、優先されたプリコーディングウェイトを示す、類似する技術を使用することができる。したがって、ＰＣＩ値の３つの組をＮｏｄｅＢにシグナリングして、ＵＥ選択を示すのに必要となり得る。
【０２３２】
例示的な実施形態では、ビームフォーミングのためにクロスセルプリコーディングウェイトの最適化を実行することができる。ビームフォーミングのためにＮｏｄｅＢが複数のアンテナを装備するときに、干渉回避のためのＨＳ−ＤＤＸの概念を一般化してより合理的な調整を有することができる。干渉セルの送信を停止する代わりに、干渉セルにおけるＮｏｄｅＢのスケジューラは意図的に自身の無線周波数（ＲＦ）のビームを非干渉ＵＥから回避して、このＵＥへの干渉を最小化することができる。
【０２３３】
図１３は、調整されたビームフォーミングの例示的な実施形態を示す。図１３に示すように、セル３７５におけるＮｏｄｅＢ１４０ｂが、セル３７０におけるＮｏｄｅＢ１４０ａからＵＥ１０２ａへの送信を認識している場合に、当該ＮｏｄｅＢは意図的にＵＥ１０２ｂへのデータをスケジュールすることができる。セル３７０およびセル３７０の双方が、ＵＥ１０２ａおよびＵＥ１０２ｂへのデータをスケジュールしている場合は、クロス干渉はより著しくなる場合がある。調整されたビームフォーミングをアシストするには、ＵＥが自身のサービングセルおよび干渉セルに対する自身の位置を示す必要がある。この位置情報をプリコーディングウェイトから抜き出すことができる。したがって、ＵＥは自身のサービングセルに対しＰＣＩをレポートし、干渉セルに対し最も好ましくないプリコーディング値を示すアシスティブＰＣＩをレポートすることを要求される場合がある。加えて、別のアシスティブＰＣＩがまた、どの隣接セルが主要な干渉を生成するかを示すのに必要となる場合がある。
【０２３４】
調整されたビームフォーミングの動作のためにＰＣＩの３つの組が必要となる場合があり、そのうちの１つはサービングセルについてであり、１つは干渉セルについてであり、もう１つはどの隣接セルを調整に含ませるかを示すためのものである。
【０２３５】
１つの例示的な実施形態では、新たなプリコーディング制御インジケーションを特定することができる。本明細書で開示するように、クロスセルプリコーディングのために新たなＰＣＩの定義を提供することができる。例えば、ＵＥはプライマリセルおよびセカンダリセルから送信されたＣＰＩＣＨを使用し、ＮｏｄｅＢにおいて適用されるべき優先されたクロスセルプリコーディングのベクトルを算出して、現在のチャネル条件の下でサポートすることができるアグリゲートトランスポートブロックサイズを最大化することができる。セカンダリプリコーディングのベクトルはプライマリプリコーディングの機能であるので、１つまたは２つのトランスポートブロックがどんなに優先されようと、ＵＥからＮｏｄｅＢに対し、優先されたプライマリプリコーディングのベクトル、
【０２３６】
【数５３】
2013539325.tif 000056
【０２３７】
をシグナリングするのに十分となり得る。シングルストリームの制限が構成されないときに、１つまたは２つのトランスポートブロックが優先されるか否かの情報をＣＱＩレポーティングの一部とすることができる。優先されたプライマリプリコーディングのベクトル
【０２３８】
【数５４】
2013539325.tif 000057
【０２３９】
の第１のプリコーディングウェイト
【０２４０】
【数５５】
2013539325.tif 000058
【０２４１】
が定数となり得るので、セカンダリセルについてのプリコーディングウェイトを判定するのに十分となり得る。ＵＥが複合ＰＣＩ／ＣＱＩレポートを導出している間の各ＴＴＩにおいては、当該ＵＥはセカンダリサービングセルについての最適なプリコーディングウェイト、
【０２４２】
【数５６】
2013539325.tif 000059
【０２４３】
を算出することができ、
【０２４４】
【数５７】
2013539325.tif 000060
【０２４５】
の組から選択することができる。
【０２４６】
以下の表２で定義するように、プリコーディングウェイト、
【０２４７】
【数５８】
2013539325.tif 000061
【０２４８】
をＰＣＩ値にマッピングすることができる。表２はＰＣＩ値への優先されたプリコーディングウェイト、
【０２４９】
【数５９】
2013539325.tif 000062
【０２５０】
のマッピングを示す。
【０２５１】
【表２】
2013539325.tif 000063
【０２５２】
調整されたビームフォーミングのサポートは、主要な干渉セルを示すアシスティブＰＣＩが要求される場合がある。新たなＰＣＩの定義を特定することの例は、ＵＥが隣接セルからプライマリサービングセルに送信されたＣＰＩＣＨを使用し、最も強い電力を探し出すことができることを提供することができる。このセルのラベルを、以下の表３で定義するように、アシスティブＰＣＩ値により示すことができる。表３はアシスティブＰＣＩ値へのセルラベルのマッピングを示す。
【０２５３】
【表３】
2013539325.tif 000064
【０２５４】
例示的な実施形態では、ＭＰ−ＨＳＤＰＡのためにアップリンクフィードバックチャネルを設計することができる。上述したように、ＵＥにおいて複数のＣＱＩレポートを生成して、ネットワークに十分な情報を提供し、調整された複数のセルＨＳＤＰＡ送信における利得を最大化することができる。複数のセルからの同時ダウンリンクデータ送信により、ＡＣＫ／ＮＡＣＫ情報を増大させることができる。単一周波数アップリンク送信において１つのＨＳ−ＤＰＣＣＨ物理アップリンクフィードバックチャネルが利用可能であるので、ＭＰ−ＨＳＤＰＡのためにＨＳ−ＤＰＣＣＨが構成される必要がある場合がある。以下の段落は、簡易な提示のためにデュアルセルの動作に焦点をあてているが、複数のセルのシナリオにおいて、開示される実施形態を使用することができる。
【０２５５】
表４は、２つのセルがＭＰ−ＨＳＤＰＡダウンリンク送信に含まれるときに、伝送するのにＨＳ−ＤＰＣＣＨ物理チャネルが必要となるＣＱＩおよびＨＡＲＱ−ＡＣＫ情報を要約したものである。表４はＭＰ−ＨＳＤＰＡのためのフィードバック情報を示す。
【０２５６】
【表４】
2013539325.tif 000065
【０２５７】
本開示を通じて、ＴＴＩおよびサブフレームを交換可能に使用することができることに留意されたい。
【０２５８】
１つの例示的な実施形態では、ＣＱＩレポートのためにＨＳ−ＤＰＣＣＨを設計することができる。説明を容易にするために、フィードバック設計において使用することができるＣＱＩのタイプは区別されない。したがって、ＣＱＩレポートをＣＱＩ１、ＣＱＩ２およびＣＱＩＮにより示し、ＮはＨＳ−ＤＰＣＣＨにおける伝送に必要とされるＣＱＩレポートの総計とすることができる。
【０２５９】
１つの例示的な実施形態では、３ＧＰＰ標準リリースからの提案されたＣＱＩコーディングスキームを再使用することにより、表４および表５における既存のコーディングスキームを使用してＣＱＩの各々を独立してコーディングすることができる。表５は、既存のコーディングスキームを使用したＣＱＩの符号化を示す。
【０２６０】
【表５】
2013539325.tif 000066
【０２６１】
別の例示的な実施形態では、非ＭＩＭＯケースの場合に、（２０，１０）ＲｅｅｄＭｕｌｌｅｒコーダにより２つのＣＱＩレポートをともにコーディングすることができる。
【０２６２】
以下で開示するように、多くの実装を使用して、シングルＨＳ−ＤＰＣＣＨにおいて複数のＣＱＩ／ＰＣＩレポートを伝送することができる。
【０２６３】
例示的な実施形態では、単一のＣＱＩフィールドとともにＨＳ−ＤＰＣＣＨフレームストラクチャを使用することができる。例えば、ＨＳ−ＤＰＣＣＨ物理チャネルはＳＦ＝２５６であるスロットフォーマット０を維持することができ、そこではＣＱＩフィールドは２つのタイムスロットを持つことができる。時分割多重化（ＴＤＭ）アプローチにより複数のＣＱＩレポートを送信することができ、すなわち、それらを異なるサブフレームで伝送することができる。
【０２６４】
ＴＤＭベースのＣＱＩの例示的な実施形態では、複数のフィードバックサイクルを使用して、ＣＱＩレポートを、各々が異なるＣＱＩフィードバックサイクルにより構成されるグループに分割することができる。例えば、このことを行って、フィードバックのオーバーヘッドを減少させることができる。高速フィードバックサイクルを有するグループにおけるＣＱＩレポートを使用して、データを送信しているアクティブセルに対しチャネル品質を示すことができる一方で、アクティブな組におけるセルの残りを監視する目的で、より低速なフィードバックサイクルを有するグループを使用することができる。例えば、図１４に示すように、Ｎ＝３に対し、ＣＱＩ１およびＣＱＩ２をともにグループ化して、３８０、３９０および３９５に示す３つのサブフレームと等しいフィードバックサイクルを有することができる一方で、ＣＱＩ３は３８５および４００に示す６つのサブフレームのフィードバックサイクルを有することができる。
【０２６５】
図１５は、２つのＣＱＩフィードバックサイクルによるデュアルＣＱＩフィールドＨＳ−ＤＰＣＣＨ設計の例示的な実施形態を示す。デュアルＣＱＩフィールドのためにＨＳ−ＤＰＣＣＨフレームストラクチャを設計することができる。例えば、ＨＳ−ＤＰＣＣＨ物理チャネルはＳＦ＝１２８であるスロットフォーマット１を維持することができ、そこではＣＱＩフィールドは１つのタイムスロットをとることができ、サブフレームにおいてデュアルＣＱＩフィールドを割り当てることができる。Ｎ＝２の場合、ＣＱＩレポートをサブフレームにおける各々のＣＱＩフィールド上で送信することができる。Ｎ＞２について、ＣＱＩレポートを２つのグループに分割することができ、各々を１つのＣＱＩフィールドに割り当てることができる。ＨＳ−ＤＰＣＣＨにおいて割り当てるのに必要とされるグループで１より大きいＣＱＩレポートがある場合は、時分割多重（ＴＤＭ）を使用することができる。１つまたは２つのフィードバックサイクルのいずれかをＣＱＩグループの各々にそれぞれに割り当てることができる。図１５に示すように、高速フィードバックサイクルを有する組においてグループ化されたＣＱＩレポートを使用して、データを送信しているアクティブセルに対しチャネル品質を示すことができる一方で、アクティブの組における残りのセルを監視する目的でより低速なフィードバックサイクルによる組を使用することができる。例えば、４０５、４１５、４２５、４３０、４３５および４４５で示すように、２つのサブフレームのフィードバックサイクルによりＣＱＩ１およびＣＱＩ２を送信することができる。４１０、４２０、４４０および４５０で示すように、４つのサブフレームのフィードバックサイクルによりＣＱＩ３およびＣＱＩ４を送信することができる。さらに関連付けられた複数のフィードバックサイクルによりＣＱＩレポートを２つ以上のグループに分割することができる。
【０２６６】
図１６は、２つのＣＱＩフィードバックサイクルを有するデュアルチャネライゼーションコードＨＳ−ＤＰＣＣＨ設計の例示的な実施形態を示す。デュアルチャネライゼーションコードのためにＨＳ−ＤＰＣＣＨフレームストラクチャを設計することができる。例えば、ＨＳ−ＤＰＣＣＨ物理チャネルはＳＦ＝２５６であるスロットフォーマット０を維持することができ、そこではＣＱＩフィールドは２つのタイムスロットをとることができる。さらに、ＳＦ＝２５６である別のチャネライゼーションコードを使用して、４６５などの新たなフィードバックチャネルを円滑にすることができる。Ｎ＝２の場合に、各チャネライゼーションコード上で、ＣＱＩレポートを送信することができる。Ｎ＞２の場合に、ＣＱＩレポートを、各々が１つのチャネライゼーションコードに割り当てられる２つのグループに分割することができる。割り当てられる必要があるグループにおいて２以上のＣＱＩレポートがある場合に、時分割多重化（ＴＤＭ）を使用することができる。上記説明した複数のＣＱＩフィードバックサイクルの概念はまた、本明細書で適用することができる。図１６で示すように、デュアルチャネライゼーションコードＨＳ−ＤＰＣＣＨ設計を、２つのＣＱＩフィードバックサイクルにより使用することができる。例えば、４７０、４７５および４８０で示すように、２つのサブフレームのフィードバックサイクルによりＣＱＩ１およびＣＱＩ２を送信することができる。４８５および４９０で示すように、４つのサブフレームのフィードバックサイクルによりＣＱＩ３およびＣＱＩ４を送信することができる。
【０２６７】
別の例示的な実施形態では、ジョイントエンコーディングにより複数のＣＱＩレポートを実行することができる。例えば、ＨＳ−ＤＰＣＣＨ物理チャネルストラクチャおよびＣＱＩレポーティングプロシージャを変更しないまま維持することができる。ＭＰ−ＨＳＤＰＡにより要求されるＣＱＩレポートの複数のタイプに適応するには、追加のＣＱＩ情報を従来のＣＱＩによりパッキング（pack）して、ともに送信することができる。言い換えると、より高い符号化ビットによるチャネルコーディングを使用して、同一の２０ビットのメッセージ長をいまだに維持している間に、２つのＣＱＩをともに符号化することができる。このような実装の例は、以下のように与えられる。
（２０，５）ＲｅｅｄＭｕｌｌｅｒにより符号化されるよりはむしろ、非ＭＩＭＯ−ＣＱＩメッセージを、各々が５ビット長である２つのＣＱＩを含むことができる、（２０，１０）チャネルコーディングにより符号化することができる。（２０，１０）チャネルコーディングは、ＴｙｐｅＡ−ＣＱＩについての３ＧＰＰ−ＴＳ２５．２１２（「多重化およびチャネルコーディング（ＦＤＤ）」と題する）により規定された１つと同一であることができる。選択的に、第２のＣＱＩに割り当てられた２ビットを有する（２０，７）チャネルコーディングを使用することができる。（２０，７）チャネルコーディングは、ＴｙｐｅＢ−ＣＱＩについての３ＧＰＰ−ＴＳ２５．２１２において規定された一つと同一であることができる。
（２０，７）コーディングスキームにより符号化されるよりはむしろ、ＴｙｐｅＢ−ＣＱＩメッセージを、第２のＣＱＩに割り当てることができる追加的な３ビットを有する２つのＣＱＩを含むことができる、（２０，１０）チャネルコーディングにより符号化することができる。（２０，１０）チャネルコーディングは、ＴｙｐｅＡ−ＣＱＩについての３ＧＰＰ−ＴＳ２５．２１２において規定された１つと同一であることができる。
ＴｙｐｅＡについて、ＣＱＩは追加的なＣＱＩ情報を送信せずに、自己のフォーマットを変更しないまま維持することができ、より高いレートの符号化スキームによりＴｙｐｅＡ−ＣＱＩを設計して、更なるビットに適応することができる。例えば、（２０，１３）チャネルコーディングを導入して、３ビットの第２のＣＱＩを含めることができる。
【０２６８】
上述した実施形態から、標準において既存のチャネルコーディングスキームを再使用する場合に、第２のＣＱＩはより短い長さであることが見える場合がある。ＭＰ−ＨＳＤＰＡ動作に関しては、ＣＱＩの２つのタイプが、差異が干渉回避または信号増強による利得を表すものとして、相関する可能性がある事実を十分に考慮する必要がある。より短い長さの第２のＣＱＩを効率的に利用するために、当該第２のＣＱＩが以下の情報の異なるフォーマットを表す場合がある。
同一のメッセージにおいて符号化された第１のＣＱＩへの参照によるインクリメンタル。例えば、追加的なビットをオフセットとして解釈することができる。当該オフセットに基づいて第１のＣＱＩを調節することにより、ネットワークにおいて第２のＣＱＩを算出することができる。
より大きい粒度によるチャネル品質へのコースインデックス（Coarse Index）。
【０２６９】
１つの例示的な実施形態では、複数のＰＣＩレポートを生成することができる。とりわけ、ＨＳ−ＳＦＮに関して、複数のアンテナの使用を含む、複数のセル／ポイント送信動作においては、２つのセルからの信号が合成されて単なる一つのダウンリンクを形成するので、１つのＣＱＩのみが必要となる場合でさえ、２つのセルに対するそれぞれのＵＥの優先されたプリコーディングウェイトに関してネットワークが通知を受ける必要がある状況が発生する場合がある。したがって、アップリンクフィードバックチャネルを介して２つのＰＣＩおよび１つのＣＱＩをレポートする必要がある場合がある。
【０２７０】
以下の実施形態を使用して、複数のＰＣＩをレポートすることができる。
（２０，１０）から導出することができる（２０，１０）コーディングスキームまたは（２０，９）コーディングスキームによりＴｙｐｅＢ−ＣＱＩを符号化することができる。セカンダリセルに対し、ＰＣＩをレポートするために追加ビットを使用することができる。
２つのサブフレームにおいてＴＤＭ形式で２つのＰＣＩをシグナリングすることができる。例えば、偶数のサブフレームにおいてはプライマリセルについてのＰＣＩをＣＱＩ／ＰＣＩメッセージで伝送することができ、奇数のサブフレームにおいてはセカンダリセルについてのＰＣＩをレポートすることができる。
【０２７１】
例示的な実施形態では、ＣＱＩのレポーティングパターンを特定することによりＣＱＩを識別することができる。アップリンクフィードバック物理チャネルを介して送信されるときに、サブフレームにわたる特定の方法で事前に配置されたＣＱＩ／ＰＣＩを有する１つまたは複数のレポーティングパターンを定義することにより、異なるタイプのＣＱＩを識別することができる。これらのパターンをＵＥおよびＮｏｄｅＢの双方に知らせることができる。したがって、特定のレポーティングパターンおよび当該パターンを開始するタイミングが構成されると、ＮｏｄｅＢは正確なタイプのＣＱＩを識別することが可能になり、サブフレーム番号に基づいて受信することができる。
【０２７２】
ＣＱＩレポーティングパターンを定義する例示的な方法は、識別子としてサブフレーム番号を使用する式を導入することである。ＣＦＮ（ＤＰＣＨに関連する連続フレーム番号）が既に、無線フレームをラベリングするための既存のＨＳＰＡセルラシステムで実装されているので、それを式３５によりサブフレーム番号に容易に関連付けることができる。
【０２７３】
【数６０】
2013539325.tif 000067
【０２７４】
ｍはアップリンクＤＰＣＨの境界への無線フレームにおけるＨＳ−ＤＰＣＣＨの各サブフレームのタイミングの関係を示す。ＤＰＣＨ境界と比較したＨＳ−ＤＳＣＨの送信タイミングに応じて、５つのとり得る値の組の１つをとることができる。
【０２７５】
一実施形態では、ＣＱＩレポーティングパターンに基づく式を、ＣＱＩをレポートすることができるサブフレーム番号に基づいて定義することができる。例えば、特定のタイプのＣＱＩについて特別に設計された式を算出するときに、条件の組が満たされる場合、このタイプのＣＱＩをレポートすることができる。
【０２７６】
１つの例は以下のように与えられる。
１．レポートされるべきＣＱＩ／ＰＣＩのＪのタイプを仮定すると、ならびにＮ＿ｃｑｉ＿Ｔｙｐｅ１、Ｎ＿ｃｑｉ＿Ｔｙｐｅ２およびＮ＿ｃｑｉ＿ＴｙｐｅＪは、Ｍ＿ｃｑｉサブフレーム間で送信するのに望まれるＣＱＩの各タイプの番号である。
２．ｍを満たす場合、式３６となり、
【０２７７】
【数６１】
2013539325.tif 000068
【０２７８】
ＵＥはＣＱＩもしくは複合ＰＣＩ／ＣＱＩ値を送信するであろう。
３．ｍを満たす場合に、式３７になり、
【０２７９】
【数６２】
2013539325.tif 000069
【０２８０】
ＵＥはＴｙｐｅ１−ＣＱＩをレポートするであろうし、式３８を維持する場合は、
【０２８１】
【数６３】
2013539325.tif 000070
【０２８２】
ＵＥはＴｙｐｅＪ−ＣＱＩをレポートするであろう、
式３８では、ｋ‘はサブフレームで示されるＣＱＩフィードバックサイクルである。
ｍの値を算出する。
【０２８３】
【数６４】
2013539325.tif 000071
【０２８４】
および
【０２８５】
【数６５】
2013539325.tif 000072
【０２８６】
は、以下または上記それぞれからのｘへの最も近い整数を示す。
【０２８７】
ＭＩＭＯ動作によりＵＥを構成することができる場合は、上記実施形態をさらに適用することができ、そこでは、ＴｙｐｅＡおよびＴｙｐｅＢを、上記定義されたＪのタイプの間の１つとして扱うことができる。
【０２８８】
上述したＣＱＩレポーティングパターンを特定するのに使用されるパラメータの組、Ｎ＿ｃｉｑ＿Ｔｙｐｅ１、．．．、Ｎ＿ｃｉｑ＿ＴｙｐｅＪおよびＭｃｑｉは、上位レイヤを介してネットワークにより事前定義されてもよく、または事前構成されてもよい。異なるアプリケーションシナリオにおける異なるニーズに対応するために、ネットワークはまた、Ｌ１または上位レイヤを介してネットワークにより命令され、または特定の条件によりトリガされ得るのに使用される、このようなパラメータの複数の組を構成することができる。
【０２８９】
混合ＣＱＩレポーティングパターンの併用を利用することができる。結果として、ＣＱＩレポートは、サブフレームにおいて衝突する場合がある。このケースでは、衝突が発生する場合に、１つのＣＱＩレポーティングパターンが他のパターンにより生成される他のＣＱＩとオーバーライドするので、１つのＣＱＩレポーティングパターンがより高い優先度を有することのルールを指定することができる。別の実施形態では、ＣＱＩの異なるタイプを優先して、高優先のＣＱＩタイプが低い優先度のＣＱＩをオーバーライドすることができる。
【０２９０】
異なるＣＱＩフィードバックサイクル（式のｋ‘により特定される）を有するＣＱＩレポーティングパターンをまた同時に構成し、および使用することができる。例えば、頻繁にレポートされるべきＣＱＩ／ＰＣＩを、短いＣＱＩフィードバックサイクルに割り当て、時間内により少ないバリエーションを有するＣＱＩ／ＰＣＩを、長いフィードバックサイクルに関連付けることができる。サブフレームにおいて２つのレポーティングパターンの衝突が発生するときに、その衝突があまり発生せず、またはショートタームＣＱＩ／ＰＣＩがより重要なものとしてレポートすることができるので、ロングタームＣＱＩ／ＰＣＩを送信するために選択する方法で、ルールを設定することができる。
【０２９１】
ＣＱＩおよびＰＣＩを 、それらのタイプの定義に分離することができることに留意されたい。そのことは、ＣＱＩおよびＰＣＩは常に同一のタイプにより合成されて、複合ＣＱＩ／ＰＣＩを構成しているわけではないことを意味する。ＣＱＩおよびＰＣＩのペアにおける可能な様々なタイプの適応性は、それらを合成して送信するときでさえ、ＣＱＩおよびＰＣＩレポートそれぞれに対するフィードバックサイクルの個々のレポーティングパターンを使用することの可能性を与えることができる。
【０２９２】
１つの例示的な実施形態では、ＣＱＩ／ＰＣＩレポーティングパターンを特定することを、複数のサブフレームにわたるＣＱＩ／ＰＣＩの様々なタイプの連続配列を示す、定義されたテーブルを使用して実行することができる。このテーブルは、スタンダードアグリーメントにより事前定義されてもよく、またはネットワークにより事前構成されてもよい。例えば、タイプ１およびタイプ２のＣＱＩ／ＰＣＩが、頻繁にレポートされる必要があるＣＱＩ／ＰＣＩであり、タイプ３のＣＱＩ／ＰＣＩが、長期間の使用のためにあると仮定すると、レポーティングパターンを以下の表６ように定義することができる。表６は、ＣＱＩレポーティングパターン定義の例である。
【０２９３】
【表６】
2013539325.tif 000073
【０２９４】
別の実施形態では、ＭＰモードでＵＥを構成するときに、以下を使用してＣＱＰレポーティングパターンを特定することができる。
１．ＵＥはサービングＨＳ−ＤＳＣＨセルに関するＣＱＩ／ＰＣＩ値を導出することができる。
ＭＰ＿Ａｃｔｉｖｅが０でなく、Ｓｅｃｏｎｄａｒｙ＿Ｃｅｌｌ＿Ａｃｔｉｖｅが０でない場合は、ＵＥはまたアクティブ化されたセカンダリサービングＨＳ−ＤＳＣＨセルに関するＣＱＩ／ＰＣＩ値を、３ＧＰＰ−ＴＳ２５．２１４の６Ａ．２．１項で定義されたものとして導出することができる。
ＣＱＩレポートはＣＱＩ／ＰＣＩ値から構成される。
２．Ｋ＝０に関して、ＵＥは、ＣＱＩ／ＰＣＩレポートを送信することができない。
ＤＴＸ＿ＤＲＸ＿ＳＴＡＴＵＳが真でないときのＫ＞０に関して、ＵＥは、式３９のｍを満たす、関連するアップリンクＤＰＣＣＨフレームの開始後の、ｍ×２５６チップを開始する各サブフレームにおけるサービングＨＳ−ＤＳＣＨに関するＣＱＩ値を含むＣＱＩ／ＰＣＩレポートを送信することができる。
【０２９５】
【数６６】
2013539325.tif 000074
【０２９６】
ＣＦＮは、関連するＤＰＣＨについての接続フレーム番号を示し、ｍの５つのとり得る値の組は、「On deploying DC-HSDPA UEs in Single Frequency Networks」と題し、Ｑｕａｌｃｏｍｍ  Ｉｎｃｏｒｐｏｒａｔｅｄにより記述されたＲ１−１０４１５７の７．７項で説明されるものとして算出されてもよい。
３．Ｒ１−１０４１５７で定義されているように、ＵＥはＣＱＩ／ＰＣＩにそれぞれ割り振られるスロットにおける次の（Ｎ＿ｃｑｉ＿ｔｒａｎｓｍｉｔ−１）連続したＨＳ−ＤＰＣＣＨサブフレーム上で、１．で導出したサービングＨＳ−ＤＳＣＨセルに関するＣＱＩ／ＰＣＩ値を含むＣＱＩ／ＰＣＩレポートの送信を繰り返すことができる。
４．上記１．において追加的なＣＱＩ／ＰＣＩレポートを導出する場合、ＵＥは表で特定されたシーケンスに準じてこのＣＱＩ／ＰＣＩレポートを送信し、上記２．および３．におけるＣＱＩ／ＰＣＩレポートの送信に続いて、次のＮ＿ｃｑｉ＿ｔｒａｎｓｍｉｔの時に、ＣＱＩ／ＰＣＩの各タイプを繰り返すことができる。ＵＥは、ｋ‘＜２・Ｎ＿ｃｑｉ＿ｔｒａｎｓｍｉｔのケースをサポートすることができない。
５．上記２．、３．および４．で説明した以外の他のサブフレームにおいては、ＵＥはＣＱＩ／ＰＣＩレポートを送信することができない。
【０２９７】
別の実施形態では、異なるサブフレーム上でＴＤＭアプローチを使用してＣＱＩの２つのタイプを送信する場合、偶数のサブフレームにおいてＣＱＩの１つのタイプをレポートすることができ、奇数のサブフレームにおいてＣＱＩの他のタイプをレポートすることができる。例えば、ＣＱＩの第１のタイプを偶数番号のサブフレームで送信し、ＣＱＩの第２のタイプを奇数番号のサブフレームで送信することができる。
【０２９８】
別の例示的な実施形態では、異なるチャネライゼーションコードまたはＣＱＩフィールドを使用してＣＱＩを識別することができる。例えば、上記説明したデュアルチャネライゼーションコードまたはデュアルＣＱＩフィールドＨＳ−ＤＰＣＣＨフレームストラクチャを使用する場合、ＣＱＩの１つのタイプを１つの特定のチャネライゼーションコードまたは１つのＣＱＩフィールドに関連付けることができる。したがって、ＣＱＩタイプを送信する場所により、当該ＣＱＩタイプを識別することができる。
【０２９９】
別の実施形態では、ＣＱＩレポーティングはネットワークにより制御されてもよい。例えば、ネットワークは、例えば動的な形式でのＬ１を介し、もしくは半静的な形式での上位レイヤ上で制御信号を送信して、ＣＱＩのどのタイプを送信することができるかを制御することができる。例えば、ＵＥに送信することができる、ＨＳ−ＳＣＣＨにおける新たな順序を導入して、ＣＱＩのどのタイプをネットワークが予測しているかを特に示すことができる。この実施形態は、ＣＱＩレポーティング上のＵＥの振舞いの全制御をネットワークに与えることができる。
【０３００】
一例では、ネットワークはまた、異なるＣＱＩフィードバックサイクルを有する複数のＣＱＩ／ＰＣＩレポーティングパターンによりＵＥを構成することができる。これらのレポーティングパターンを、上述したようなＬ１もしくは上位レイヤシグナリングのいずれかを介してネットワークにより命令されるものとして、動的に切り替えることができる。定期的なＣＱＩ／ＰＣＩレポーティングはまた、ネットワーク制御シグナリングによりサポートされてもよく、当該シグナリングでは、ＵＥは、ネットワークからの要求を受信すると、オンデマンド（on-demand）ＣＱＩ／ＰＣＩもしくは特定のタイプのＣＱＩ／ＰＣＩを送信することができる。
【０３０１】
１つの例示的な実施形態では、ＣＱＩレポーティングをトリガすることができる。本明細書で上記説明したマルチポイント送信をサポートするのに要求されるＣＱＩ／ＰＣＩは、特定の時にネットワークにレポートされる必要はない。このことは、シグナリングオーバーヘッドを減少させることができる。これらのＣＱＩ／ＰＣＩを送信することを、特定の条件によりＵＥにおいてトリガすることができる。ＭＰ−ＣＱＩをレポートする基準をトリガすることは、以下の１つまたはその組み合わせを含むことができる。
サービングセルへの信号から測定されるＣＱＩを以下の閾値とすることができ、当該閾値は上位レイヤシグナリングを介してネットワークにより事前定義されてもよく、または事前構成されてもよい。
代わりに、サービングセルのリファレンスＤＬチャネル（すなわちＣＰＩＣＨ）の受信信号レベル（すなわちＲＳＣＰ）もしくは品質（すなわちＥｃ／Ｉｏ）を、閾値と比較することができ、当該閾値は、上位レイヤにより事前に判定され、もしくはシグナリングされた値にオフセットを付加することにより随意に取得することができる。
アクティブセットにおける非サービングセルへの信号から測定されるＣＱＩを上記閾値とすることができる。
１つの実施形態では、非サービングセルからのリファレンスＤＬチャネル（すなわちＣＰＩＣＨ）の受信信号レベル（すなわちＲＳＣＰ）もしくは品質（すなわちＥｃ／Ｌｏ）を閾値と比較することができ、当該閾値は上位レイヤにより事前に判定され、もしくはシグナリングされた値にオフセットを付加することにより随意に取得することができる。
サービングセルと非サービングセルとの間で感知したＣＱＩにおける差異は、以下の閾値とすることができる。
１つの実施形態では、サービングセルおよび非サービングセルからのリファレンスＤＬチャネル（すなわちＣＰＩＣＨ）の受信信号レベル（すなわちＲＳＣＰ）もしくは品質（すなわちＥｃ／Ｉｏ）における差異を、閾値と比較することができ、当該閾値は、上位レイヤにより事前に判定され、もしくはシグナリングされた値にオフセットを付加することにより随意に取得することができる。
ＲＲＣ測定トリガイベントに基づく。例えば、ＵＥがイベント１ｂより前のイベント１ａをレポートした後に、アクティブセットにおける非サービングセルへの信号から測定された最良のＣＱＩを上記閾値とすることができる。
ＵＥを構成して、よりソフトにもしくはよりソフトなハンドオーバーモードにおいて動作することができる。
ＣＱＩ情報のレポーティングをネットワークにより、１）Ｌ１シグナリングを介して動的に：ＨＳ−ＳＣＣＨオーダー（order）として、２）ＭＡＣシグナリングを介して半動的に、３）ＲＲＣシグナリングを介して半静的に、トリガすることができる。
ダウンリンクトラフィックアクティビティに基づく。例えば、ＵＥは、当該ＵＥが非サービングセルにおいてアドレスを成功裏に復号化するＤＬにおいて、ＨＳ−ＳＣＣＨの受信後にＣＱＩの送信をトリガすることができる。
代わりに、アクティブセットにおいて任意のセルから送信されたＨＳ−ＳＣＣＨ上の特定の識別子の成功裏の復号化に基づいて、ＣＱＩの送信をトリガすることができる。
【０３０２】
レポーティングのためにトリガされるＣＱＩフィールドは、ＣＱＩもしくはＰＣＩまたはＣＱＩとＰＣＩの両方のついての情報を含むことができることが以下に述べられる。
【０３０３】
１つの例示的な実施形態では、ＨＡＲＱ−ＡＣＫフィードバックのためにＨＳ−ＤＰＣＣＨを設計することができる。例えば、複数のＨＡＲＱ−ＡＣＫを、単一の周波数マルチフロー（ＭＦ）送信に使用することができる。サイト間セルおよびサイト内セルを目的とする設計は、対処される必要がある。したがって、それらを本明細書では別個に取り扱う。
【０３０４】
セル間ＨＳ−ＤＰＣＣＨを設計するときは、ＵＭＴＳシステムの非対称性により、２つのセルは同期することができない。サイト間セルでは、同期されたクロックを想定することができない。結果として、２つのフレームの境界間では変化するタイムオフセットが存在し、システムクロックは異なるソースからであるので、サブフレームは特定の期間中は互いに離れていく場合がある。このような非対称環境における単一のアップリンクフィードバックの設計は困難である場合がある。なぜなら、双方のダウンリンク送信から必要とされるタイミングを満たすことが困難であるからである。このような設計は、２つの異なるフレームの境界間で必要とされるタイミングを満たすために、ＵＥの実装に非常に厳格な制約をおくことになり得る。
【０３０５】
システムおよび方法の実施形態は、独立して符号化された２つのセルに対するＡＣＫ／ＮＡＣＫフィードバックを有し、関連するダウンリンクフレームの境界に各々が同期される、独立して構成された２つのＨＳ−ＤＰＣＣＨを有する技術を適用することができる。サブフレームにおける２つのＨＳ−ＤＰＣＣＨの概念を、本明細書で以下に説明する実施形態に準じた異なる方法で実装することができる。
【０３０６】
例えば、ＨＳ−ＤＰＣＣＨフレームストラクチャは、デュアルチャネライゼーションコードを含むことができる。一実施形態では、ＨＳ−ＤＰＣＣＨ物理チャネルは、ＡＣＫ／ＮＡＣＫフィールドが第１のスロットをとり、ＣＱＩフィールドが以下の２つのタイムスロットをとることができる、ＳＦ＝２５６であるスロットフォーマット０を維持することができる。さらに、ＳＦ＝２５６である別のチャネライゼーションコードを付加して、新たなフィードバックチャネルを円滑にすることができる。２つのダウンリンクデータフローについてのＡＣＫ／ＮＡＣＫフィードバックをそれぞれ符号化することができる。したがって、第１のセルからのダウンリンクに応じたＡＣＫ／ＮＡＣＫフィードバック情報を、１つのチャネライゼーションコードとともに第１のフィードバックチャネルに割り当てることができ、第２のセルについてのＡＣＫ／ＮＡＣＫフィードバック情報を、別のチャネライゼーションコードとともに第２のフィードバックチャネルに割り当てることができる。設計によるように、２つのフィードバックチャネルのタイミングの関係に関する特定の要件は存在せず、ＡＣＫ／ＮＡＣＫタイミングを、自身のダウンリンクサブフレームに結びつけることができる。ＣＱＩレポートを常に、ＡＣＫ／ＮＡＣＫフィールドに続く２つのタイムスロットに割り当てることができるので、同一のタイミングの関係を適用することができる。
【０３０７】
図１７は、デュアルチャネライゼーションコードを有するフレームストラクチャを使用した非対称フォードバック構成の例示的な実施形態を示す。例えば、図１７は、非対称ＨＡＲＱ−ＡＣＫによるデュアルチャネライゼーションコードＨＳ−ＤＰＣＣＨを示す。ＨＳ−ＤＰＣＣＨチャネル４９５およびＨＳ−ＤＰＣＣＨチャネル５００などの、２つのフィードバックチャネルの５０５および５１０において、ＡＣＫ／ＮＡＣＫおよびＣＱＩフィードバックの両方を独立して割り当てることができ、したがって、５１５および５２０において示す、それらの各々が７．５スロットなどの、関連するダウンリンクサブフレームへの時間の関係を維持することを可能にする例を見ることができる。
【０３０８】
正しく配列されていないフレーム構造に対処する能力以外に、この実施形態の追加的な利点を、その後方互換性から見ることができる。ＨＰ−ＨＳＤＰＡモードがアクティブ化されまたは非アクティブ化されるときに、追加的なＨＳ−ＤＰＣＣＨチャネルを単に停止させることができる。拡散率を切り替え、またはその他のパラメータを変更する必要性は存在しない。
【０３０９】
さらに、ＡＣＫ／ＮＡＣＫを独立して符号化することができる。１つのセルにおけるＨＳ−ＤＰＣＣＨの受信機は、サイト内の構成に特有となり得る、他のＨＳ−ＤＰＣＣＨチャネルが使用中であるか否かの知識を提供されるべきではない。したがって、ＡＣＫ／ＮＡＣＫ復号化のための検出性能は、その他のセルからの送信ステータス情報の欠如による、より大きいコードワードスペース上で決定すべきである、ともに符号化されたＡＣＫ／ＮＡＣＫスキーム上の利点を示すことができる。
【０３１０】
図１８は、非対称ＨＡＲＱ−ＡＣＫによるデュアルフィールドＨＳ−ＤＰＣＣＨ設計の例示的な実施形態を示す。例えば、ＨＳ−ＤＰＣＣＨ５２０などのＨＳ−ＤＰＣＣＨ物理チャネルは、ＳＦ＝１２８であるスロットフォーマット１を維持することができ、当該スロットフォーマットでは、ＨＡＲＱ−ＡＣＫ１フィールドがタイムスロットの２分の１をとり、その他のＨＡＲＱ−ＡＣＫ２がタイムスロットのもう半分をとるであろう。ＨＡＲＱ−ＡＣＫ１およびＨＡＲＱ−ＡＣＫ２は、同一のタイムスロットにあることが要求されない。使用するタイムスロットは、関連するダウンリンク送信のフレーム境界に依存し得る。ＣＱＩフィールドはまた、ハーフスロットフォーマットに入れ込む必要がある。例えば、ＣＱＩ１は第１のハーフスロットをとるであろうし、ＣＱＩは第２のハーフスロットをとるであろうし、ＣＱＩフィールドの各々は２つのハーフスロットで構成される。図１８の矢印により示されるように、ＨＳ−ＤＰＣＣＨ５２０などの非対称ＨＳ−ＤＰＣＣＨ内では、２つのアップリンクフィードバック（ＣＱＩもしくはＡＣＫ／ＮＡＣＫのいずれか）を５３０および５３５で示すダウンリンクのタイミングに結びつけることができる。第２のセルに対するダウンリンクサブフレームへのタイミングの関係は、およそ７．５のスロットにすることができる。なぜならば、２つのダウンリンクサブフレーム間のタイミングオフセットは、一般にタイムスロットの整数の関係ではないからである。
【０３１１】
ハーフスロット送信を回避するために、フィードバックがない場合に適用することができるスロットのその他の半分からの受信を、サブフレームにおける任意のハーフスロットに割り当てることができる。
【０３１２】
図１９は、ともに符号化されたＨＡＲＱ−ＡＣＫフィードバックの例示的な実施形態を示す。サイト内ＨＤ−ＤＰＣＣＨ設計に関して、サイト内セルについて、２つのセルのクロックを同期させるが、２つのセルからの送信信号のフレーム境界間でタイムオフセットがいまだに存在することが可能となり得る。このタイムオフセットは、一旦システムが構成されると、一定に保つことができる。
【０３１３】
このように、３ＧＰＰリリース９で規定されたコードブックなどの、ＨＡＲＱ−ＡＣＫコードブックを使用して１つのコードワードにともに符号化された２つのセルについてのＡＣＫ／ＮＡＣＫメッセージを有することが可能となり得る。例えば、ＭＩＭＯモードにおけるデュアルキャリア動作についてのコードブックを、構成するケースのために使用することができる。このことはとりわけ、サイト内ＭＦシナリオに適用可能であり、当該シナリオでは、２つのＡＣＫ／ＮＡＣＫメッセージを時間内に結び付けることができることから、５３５および５５０などの２つのダウンリンク信号のフレーム境界を、コンスタントなタイミングにより適度にオフセットすることができる。
【０３１４】
実装の一実施形態では、５５５における第１のＨＳ−ＤＰＣＣＨチャネルなどの、ＨＳ−ＤＰＣＣＨ物理チャネルは、ＳＦ＝２５６であるスロットフォーマット０を維持することができ、そこではともに符号化されたＡＣＫ／ＮＡＣＫ情報は、５６０における第１のタイミングスロットをとることができ、ＣＱＩフィールドは５６５に示す以下の２つのタイムスロットをとることができる。本開示で上記説明したように、時分割多重（ＴＤＭ）アプローチにより複数のＣＱＩレポートを送信することができる。例えば、図１９は、ともに符号化されたＡＣＫ／ＮＡＣＫフィードバックの例を示し、そこから、このサブフレームに応じて、当該サブフレームおよびＡＣＫ／ＮＡＣＫの受信の間の時間が６．３のタイムスロットであることを見ることができる。当該タイムスロットは５３５内のサブフレーム０および５５０内のサブフレーム０などの、２つのダウンリンクフレーム間のタイミングオフセットの機能として変化する。
【０３１５】
ダウンリンクサブフレームと第２のセルについてのＡＣＫ／ＮＡＣＫフィードバックとの間のこの固定されていないタイミングの関係により、当該第２のセルについてのＡＣＫ／ＮＡＣＫメッセージへのダウンリンクサブフレームをペアリングするときの不確実性が問題となり得る。実施形態に準じて、この状況のためにペアリングルールを定義し、以下のステップの少なくとも１つを備えることができる。
１．０と３の間の任意の現実の値をとることができるアローアンス（allowance）パラメータＲを定義すること。随意に、Ｒは０と３との間の任意の整数値をとることができる。Ｒの値は標準仕様により事前定義することができ、またはＲＲＣシグナリングを介してネットワークによりシグナリングすることができる。
２．ＵＥが特定のサブフレームについて第２のサービングセルからダウンリンクデータを受信するときに、当該サブフレームの最後に関連したＴｓと識別される、当該サブフレームの到着時間を、ほぼ同一のタイムフレームで到着する第１のサービングセルから受信されるサブフレームと比較することができる。第１のサービングセルにより受信されるサブフレームの到着時間をＴｐとして示すことができ、ＡＣＫ／ＮＡＣＫペアリングルールを式４０のように定義することができる。
【０３１６】
【数６７】
2013539325.tif 000075
【０３１７】
式４０の場合、２つのセルに関するＡＣＫ／ＮＡＣＫメッセージをペアにすることができ、ともに同一のＨＳ−ＤＰＣＣＨフレームに符号化することができる。一方で、セカンダリサービングセルについてのＡＣＫ／ＮＡＣＫメッセージを、ペアリング条件を満たす別のＨＳ−ＤＰＣＣＨフレームに符号化することができる。表現の単純化のために、式のタイムスロットの観点からＴｓおよびＴｐを表現することができることに留意されたい。
３．事前定義するか、またはＲＲＣシグナリングを介してネットワークにより構成することのいずれかをすることができる遅延パラメータとして、Ｔｐを定義するので、式４１である以上、第１のセルからＵＥがサブフレームを受信した後に、ペアとなったＡＣＫ／ＮＡＣＫメッセージを伝送するＨＳ−ＤＰＣＣＨをＴｐスロットで送信することができる。
【０３１８】
【数６８】
2013539325.tif 000076
【０３１９】
Δｍ１およびΔｍ２は、第２のサービングセルの対応するサブフレームが、２．で説明したペアリング条件の境界に近接して到着する場合に、曖昧性を回避するために導入されたオフセットパラメータである。例として、Ｔｐは、７．５スロットにセットされてもよく、Δｍ１およびΔｍ２は、０．５スロットにセットされてもよい。オフセットパラメータはまた、事前定義してもよく、またはネットワークにより構成されてもよい。
ｔｓが境界条件に該当する場合、すなわち、式４２であり、
【０３２０】
【数６９】
2013539325.tif 000077
【０３２１】
ＨＳ−ＤＰＣＣＨフレームを、Δｍ１により定義されることによる追加的な遅延により送信することができ、すなわち、ＵＥがプライマリサービングセルからダウンリンクサブフレームを受信した後に、当該フレームを、Ｔｐ＋Δｍ１スロットで送信することができる。
または、別の境界条件の場合、すなわち、式４３であり、
【０３２２】
【数７０】
2013539325.tif 000078
【０３２３】
ＨＳ−ＤＰＣＣＨをより早いタイミングで送信することができ、すなわち、ＵＥがプライマリサービングセルからサブフレームを受信した後のＴｐ−Δｍ２である。
４．ＡＣＫ／ＮＡＣＫメッセージのペアを伝送するＨＳ−ＤＰＣＣＨフレームが、時間ｔＨＳ−ＤＰＣＣＨにおいて第１のサービングセルのＮｏｄｅＢで受信されるときに、ネットワークは送信されたダウンリンクサブフレームを、そのタイミング関係が式４４の範囲を満たす場合に、関連付けることができる。
【０３２４】
【数７１】
2013539325.tif 000079
【０３２５】
ΔＴｐ１およびΔＴｐ２は事前定義するか、またはネットワークにより構成することのいずれであることができる、許容パラメータであってもよく、式４５を満たす必要がある。
【０３２６】
【数７２】
2013539325.tif 000080
【０３２７】
５．ＨＳ−ＤＰＣＣＨフレームが第２のサービングセルのＮｏｄｅＢにおいて受信されるときに、ネットワークは、そのタイミング関係が式４６を満たす場合に、当該フレームをダウンリンクサブフレームに関連付けることができる。
【０３２８】
【数７３】
2013539325.tif 000081
【０３２９】
図２０は、本開示に準じてペアリングルールを適用する例示的な実施形態を示す。提案されているルールを本明細書で説明するようにサイト間シナリオに適用することができる。
【０３３０】
図２０で示すように、ペアリングルール５７０は以下のように定義することができる。
１．セル１およびセル２のＡＣＫ／ＮＡＣＫメッセージをペアにして、当該２つのセルにおいて受信された対応するダウンリンクデータサブフレームが式４７のタイミング関係を満たす場合に、フレーム５６０などの同一のＨＳ−ＤＰＣＣＨフレームに符号化することができる。
【０３３１】
【数７４】
2013539325.tif 000082
【０３３２】
例示的な実施形態において、アローアンスパラメータＲは１．５タイムスロットにセットされる。
２．ＨＳ−ＤＰＣＣＨ５５５においてＡＣＫ／ＮＡＣＫメッセージのペアを伝送するフィードバックフレームを、式４８により算出されるＨＳ−ＤＰＣＣＨ遅延パラメータに準じて送信することができる。
【０３３３】
【数７５】
2013539325.tif 000083
【０３３４】
パラメータは、Δｍ１＝０．５スロット、Ｔｐ＝７．５スロット、およびｔｓ−ｔｐ＝１．３３スロットから選択される。なぜならば、式４９であり、
【０３３５】
【数７６】
2013539325.tif 000084
【０３３６】
Δｍ１の総計を有する追加的な遅延が、ペアリングルールに準じてＴｐ＝７．５スロットのトップに付加されるからである。
【０３３７】
上記説明したＳＦ＝２５６のデュアルチャネライゼーションコードもしくはＳＦ＝１２８のデュアルフィールドによるＨＳ−ＤＰＣＣＨストラクチャはまた、サイト内シナリオにも適用可能となる。例えば、タイミングオフセットが普遍であると考えることができるので、２つのセルに対する配置されたフィードバックが可能となる。結果として、デュアルフィールドストラクチャに対してＣＱＩフィールドを分割する必要がなくなる。したがって、ＣＱＩフィールドを１つのタイムスロットにより維持することができる。
【０３３８】
ペアリングルールはまた、デュアルチャネライゼーションコードおよびデュアルフィールドによるＨＳ−ＤＰＣＣＨ構成のそれぞれについての図１７および１８で説明した実施形態に適用可能となる。例えば、図２１は、配置されたＨＡＲＱ−ＡＣＫによるデュアルチャネライゼーションコードＨＳ−ＤＰＣＣＨの例示的な実施形態を示す。図２２は、配置されたＨＡＲＱ−ＡＣＫによるデュアルフィールドＨＳ−ＤＰＣＣＨ設計を示す。
【０３３９】
上記説明した実施形態において、用語「セル１」および「セル２」を使用する。しかしながら、セル１およびセル２の番号付けは、どのセルがプライマリまたはセカンダリセルであるかを区別しない。例えば、セル１がプライマリサービングセルであってもよく、セル２がセカンダリサービングセルであってもよい。また、セル２がプライマリサービングセルであってもよく、セル２がセカンダリサービングセルであってもよい。さらに、その他のネーミングがまたセル１およびセル２に対し区別なく関連付けられてもよい。
【０３４０】
デュアルセルＨＳＤＰＡ動作のコンテキストの下に説明したが、提案した実施形態、概念、システムおよび方法のほとんどが、２つ以上のセルを含めて応用に適用可能となる。
【０３４１】
１つの実施形態では、ＨＳ−ＤＰＣＣＨ電力を上げて、アップリンクフィードバックの信頼性を保証することができる。同一の周波数で動作しているので、１つのＨＳ−ＤＰＣＣＨが利用可能となり得る。フィードバックチャネルＨＳ−ＤＰＣＣＨは、複数のセル送信に含まれる両方のセルに対し、ＣＱＩおよびＨＡＲＱ−ＡＣＫ情報を伝送しなければならない場合がある。なぜならば、これらのセルに対する無線リンクは、チャネル条件に起因するアップリンク送信についての品質において変動し、セル間におけるアップリンクフィードバックを受信することの信頼性の問題に対処する必要が生じ得る。例えば、そこでは、２つのＮｏｄｅＢ間におけるダイレクトリンクが存在しない場合がある。方法およびシステムの実施形態が、異なるセルに送信されるフィードバック情報について、電力オフセットセッティングを別個に調節することができる。特に、ＣＱＩ／ＰＣＩを伝送することができるＨＳ−ＤＰＣＣＨの送信機電力が、引き上げる必要があるより弱い無線条件のサービングセルであってもよい。
【０３４２】
１つの例示的な実施形態では、アップリンク電力制御状態をモニタリングすることにより、電力オフセットを判定することができる。例えば、ＵＥは、アクティブセットにおける各セルに付随するアップリンク電力制御ループの状態を自発的に探索することにより、ＨＳ−ＤＰＣＣＨ電力オフセットを判定することができる。
【０３４３】
一実施形態では、ＵＥは、ダウンリンクＦ−ＤＰＣＨもしくはＤＰＣＣＨから受信されるＴＰＣコマンドをモニタリングすることにより、アップリンク無線リンク条件を判定することができる。可変のＴＰＣ＿ｃｍｄが定義され、ＴＰＣ＿ｃｍｄはマルチポイント送信に含まれるサービングセルの１つから受信されるＴＰＣコマンドに関連付けることができ、以下を含むことができる。
サービングセルから受信されるＴＰＣコマンドが、ｉ番目のスロットにおいて０である場合、当該スロットについてのＴＰＣ＿ｃｍｄ（ｉ）は−１を設定することができる。
サービングセルから受信されるＴＰＣコマンドが、ｉ番目のスロットにおいて１である場合、当該スロットについてのＴＰＣ＿ｃｍｄ（ｉ）は１を設定することができる。
【０３４４】
Ｎにより示される、先のタイムスロットの特定の番号上で、定義された変数に関して式５０のように平均値を実行することができる。
【０３４５】
【数７７】
2013539325.tif 000085
【０３４６】
Ｎは事前定義されてもよく、またはＲＲＣ接続においてネットワークにより構成されてもよい。
【０３４７】
ＴＰＣ＿ｃｍｄ＿ａｖｅｒａｇｅはさらに、Ｔｕにより示される事前定義されたもしくは事前構成された閾値と比較することができる。ＴＰＣ＿ｃｍｄ＿ａｖｅｒａｇｅ＞Ｔｕの場合、ＵＥはモニタリングされたサービングセルに対して送信されたＨＳ−ＤＰＣＣＨ上で電力ブーストが必要なことを決定することができる。また、別の閾値Ｔｄを導入して、サービングセルについてのＨＳ−ＤＰＣＣＨに関する送信電力を低く調整する必要があるケースに対処することができる。ＴＰＣ＿ｃｍｄ＿ａｖｅｒａｇｅ＜Ｔｄの場合、ＵＥはサービングセルに対して電力減少が必要であることを決定することができる。
【０３４８】
ＨＳ−ＤＰＣＣＨの送信電力を調整することの決定は、上記説明したＴＰＣベースの方法からなされてもよく、またはアップリンク送信に関してネットワークから受信される電力グラント状態を条件としてもよい。ＵＥがネットワークスケジューラから十分な電力グラントを受信しない場合、ＴＰＣベースの方法により要求された場合でさえ、ＨＳ−ＤＰＣＣＨ電力を上昇することが不可能となる場合がある。
【０３４９】
１つの例示的な実施形態では、電力オフセットテーブルにおいて１つまたは複数のエントリがアップ／ダウンに移動することにより、電力オフセットを調節することができる。スロットツースロット（slot to slot）ベースに、ＵＥにおいてＴＰＣコマンドが受信されるので、電力オフセット調節が、場合によってはサブフレームベースに動的になされてもよい。例えば、Δｓｅｃｏｎｄａｒ＿ｂｏｏｓｔにより示される追加電力オフセット値を、上位レイヤにより構成することができ、および、いつＣＱＩもしくはＨＡＲＱ−ＡＣＫフィールドがモニタリングされるサービングセルにレポートされることを意図していても、ΔＣＱＩ、ΔＮＡＣＫもしくはΔＡＣＫのトップに追加することができる。
【０３５０】
一実施形態では、いつマルチポイント送信モードが可能になり、もしくは構成されていても、両方のサービングセルにアドレス指定されるＨＳ−ＤＰＣＣＨ全体に、電力ブーストとして識別することができる追加的な電力オフセットを適用することができる。このケースでは、上記説明したＴＰＣモニタリング方法を使用した両方のサービングセルからの決定を組み合わせることにより、追加的な電力オフセットを判定することできる。例えば、セルの任意の１つに対し電力オフセットが要求される場合に、電力ブーストが常にＨＳ−ＤＰＣＣＨ全体に適用可能になり得る。
【０３５１】
上記実施形態を、ＴＰＣコマンドを処理するアルゴリズム３に従うものとして、例示的な標準テキストにおいて特定することができる。
【０３５２】
ＵＥがＭＰモードにあるときに、当該ＵＥは、Ｎ個のスロットサイクル上でサービングセルの１つからの受信したＴＰＣコマンドを処理することができ、Ｎは上位レイヤにより構成された整数とすることができる。合成された可変のＴＰＣ＿ｃｍｄ＿ａｖｅｒａｇｅを、式５１のようにＮ個のスロットサイクル上で平均化された受信ＴＰＣコマンドに基づいて算出することができる。
【０３５３】
【数７８】
2013539325.tif 000086
【０３５４】
ｉによりラベル付けされたスロットにおけるＴＰＣ＿ｃｍｄの値は、以下のように導出することができる。
セカンダリサービングセルから受信されたＴＰＣコマンドが０の場合、当該セルについてのＴＰＣ＿ｃｍｄ（ｉ）は−１とすることができる。
セカンダリサービングセルから受信されたＴＰＣコマンドが１の場合、当該セルについてのＴＰＣ＿ｃｍｄ（ｉ）は１とすることができる。
ＴＰＣ＿ｃｍｄ＿ａｖｅｒａｇｅ＞Ｔｕの場合（Ｔｕは上位レイヤにより構成された整数の閾値とすることができる）、上位レイヤにより構成されたその値による送信電力ブースト、Δｓｅｃｏｎｄａｒ＿ｂｏｏｓｔを、モニタリングされるサービングセルにそれらが関連付けられる場合に、対応するＨＳ−ＤＰＣＣＨフィールドの電力オフセットセッティングに付加することができる。
【０３５５】
別の実施形態では、電力制御アルゴリズムを修正して、アップリンク全体に電力ブーストをセットし、セカンダリサービングセルにおいてよりよい受信を可能にする。例えば、ＵＥが、異なる無線リンクの組における無線リンクからそれぞれ受信されたＴＰＣコマンドから、合成したＴＰＣ＿ｃｍｄを導出するときに、プライマリおよびセカンダリセルから受信されたＴＰＣコマンドにさらなる重みを適用することにより、上記概念を実現することができる。
【０３５６】
重み付けされたＴＰＣ＿ｃｍｄの実現の例は、ＴＰＣコマンドを処理するために以下のように指定することができる。周期を合成する各ＴＰＣコマンドに対し、ＵＥは、電力制御コマンドＴＰＣｉのそれぞれでソフトシンボル決定Ｗｉを実行することができ、ｉ＝１、２、．．．Ｎであり、Ｎは１より大きく、合成の第１の位相の結果となり得る、異なる無線リンクの組の無線リンクからのＴＰＣコマンドの数とすることができる。
【０３５７】
ＵＥは合成したＴＰＣコマンド、ＴＰＣ＿ｃｍｄを、すべてのＮのソフトシンボル決定Ｗｉの機能γとして導出することができる。
ＴＰＣ＿ｃｍｄ＝γ（αＷ１、αＷ２、．．．ＷＮ）であり、ＴＰＣ＿ｃｍｄは１もしくは−１の値をとることができる。α＞１はプライマリおよびセカンダリサービングセルについてのソフトシンボル決定に適用可能なスケーリングファクタであり、上位レイヤにより構成される。
【０３５８】
機能γは、以下の基準を満たす。
【０３５９】
ＮのＴＰＣｉコマンドが、「０」もしくは「１」として送信される等確率によりランダムかつ無相関の場合に、γの出力が１に等しい確率は、１／（２Ｎ）以上となり得、γの出力が−１に等しい確率は、０．５以上となり得る。さらに、すべての無線リンクの組からのＴＰＣコマンド（３ＧＰＰ−ＴＳ２５．２１４（「physical layer procedures（FDD）」と題する）５．１．２．２．１もしくは５．１．２．３章にしたがって看過されない）が確実に「１」の場合に、γの出力が１に等しくなり得、任意の無線リンクの組からのＴＰＣコマンド（看過されない）が確実に「０」の場合に、γの出力が１に等しくなり得る。
【０３６０】
重み付けされたＴＰＣ＿ｃｍｄ、ＴＰＣ処理アルゴリズムの実現の例示的な実施形態において、ＴＰＣ＿ｃｍｄの値は周期を合成する最初の４のＴＰＣコマンドに対し０となり得る。周期を合成する５のＴＰＣコマンドが経過した後に、ＵＥは以下の方法における周期を合成する５番目のＴＰＣコマンドについてのＴＰＣ＿ｃｍｄの値を判定することができる。
【０３６１】
ＵＥは、以下のような５のＴＰＣコマンドのＮの組のそれぞれに対し、１つのテンポラリＴＰＣコマンド、ＴＰＣ＿ｔｅｍｐｉを判定することができる。
ＭＰ送信に含まれるプライマリおよびセカンダリサービングセルに対し、
一組内のすべての５の硬判定（hard decisions）が「１」の場合、ＴＰＣ＿ｔｅｍｐｉ＝ａであり、
一組内のすべての５の硬判定が「０」の場合、ＴＰＣ＿ｔｅｍｐｉ＝−ａであり、
それ以外は、ＴＰＣ＿ｔｅｍｐｉ＝０であり、
ａ≧１は、上位レイヤにより構成される。
【０３６２】
アクティブセットにおけるその他のセルに対し、
一組内のすべての５の硬判定が「１」の場合、ＴＰＣ＿ｔｅｍｐｉ＝１であり、
一組内のすべての５の硬判定が「０」の場合、ＴＰＣ＿ｔｅｍｐｉ＝−１であり、
それ以外は、ＴＰＣ＿ｔｅｍｐｉ＝０である。
【０３６３】
さらに、ＵＥは、周期を合成する５番目のＴＰＣコマンド、ＴＰＣ＿ｃｍｄについての合成したＴＰＣコマンドを、すべてのＮのテンポラリ電力制御コマンド、ＴＰＣ＿ｔｅｍｐｉの機能γとして導出することができ、ＴＰＣ＿ｃｍｄ（周期を合成する５番目のＴＰＣコマンド）＝γ（ＴＰＣ＿ｔｅｍｐ１、ＴＰＣ＿ｔｅｍｐ２、ＴＰＣ＿ｔｅｍｐＮ）であり、ＴＰＣ＿ｃｍｄ（周期を合成する５番目のＴＰＣコマンド）は１、０もしくは−１をとることができ、γは以下の定義により与えられる。
ＴＰＣ＿ｔｅｍｐ１乃至ＴＰＣ＿ｔｅｍｐＮの任意が等しい場合、ＴＰＣ＿ｃｍｄは−１が設定され、
それ以外で、式５２の場合、
【０３６４】
【数７９】
2013539325.tif 000087
【０３６５】
ＴＰＣ＿ｃｍｄは１が設定され、
それ以外は、ＴＰＣ＿ｃｍｄは０が設定される。
【０３６６】
１つの例示的な実施形態では、ダウンリンクチャネル状態をモニタリングすることにより、電力オフセットを設定することができる。例えば、２つのセルのダウンリンクについて、ＵＥにおいて算出されたＣＱＩ値を比較することができる。セカンダリセルについてのＣＱＩがプライマリセルのＣＱＩよりも劣悪な場合、より高い電力オフセットが、セカンダリセルにフィードバック情報を伝送するＣＱＩおよびＨＡＲＱフィールドに適用されてもよい。ＣＱＩが良好な場合、より低いオフセットが代わりに適用されてもよい。
【０３６７】
別の実施形態では、ＵＥは、パスロスもしくはＤＬ−ＣＰＩＣＨチャネル品質などの異なるセルについてのＤＬ無線リンク状態をモニタリングすることにより、ＨＳ−ＤＰＣＣＨ電力オフセットを判定することができる。例えば、セカンダリセルのチャネル品質がプライマリセルよりも良好な場合、ＵＥはそのセルについてのＨＳ−ＤＰＣＣＨフィードバックチャネルに対し、より低い送信電力を適用することができる。それ以外は、ＵＥはより高い送信電力を適用することができる。追加的なオフセットを調節した電力オフセットのトップに適用して、ダウンリンクおよびアップリンクの伝搬の差異を補償することができる。
【０３６８】
例示的な実施形態では、電力オフセットルールはＨＳ−ＤＰＣＣＨフレームストラクチャに基づくことができる。どのＨＳ−ＤＰＣＣＨフレームストラクチャを使用するかに応じて、ＨＳ−ＤＰＣＣＨ電力オフセットについてのルールを事前定義することができ、または以下のようなＳＦ−ＤＣモード（１／０のそれぞれによる有効とされた／無効とされたＳＦ−ＤＣ動作のインジケーションとして定義される）およびＭＩＭＯ構成に基づいて特定することができる。
ＨＳ−ＤＰＣＣＨ物理チャネルは、ＳＦ＝２５６であるスロットフォーマット０を維持し、当該フォーマットでは、ＣＱＩフィールドは１つのタイムスロットをとることができ、複数のＣＱＩレポートをＴＤＭ形式で送信し、異なるサブフレームにおいて伝送することができ、ＣＱＩフィールドについての電力オフセットを以下に示す表７により与えることができる。
ＨＳ−ＤＰＣＣＨ物理チャネルは、ＳＦ＝１２８であるスロットフォーマット１を維持し、当該フォーマットでは、ＣＱＩフィールドは１つのタイムスロットをとることができ、デュアルＣＱＩフィールドを１つのサブフレームにおいて割り当てることができ、ＣＱＩフィールドについての電力オフセットを、表８により与えることができ、表７におけるスキーム１についての電力オフセットに１を加算して、ＳＦ１２８に起因するゲインを処理することのロスを補償することができる。
ＨＳ−ＤＰＣＣＨ物理チャネルは、ＳＦ＝２５６であるスロットフォーマット０を維持し、当該フォーマットでは、ＣＱＩフィールドは２つのタイムスロットをとることができ、ＳＦ＝２５６である別のチャネライゼーションコードを使用して新たなフォードバックチャネルを容易にし、ＣＱＩフィールドについての電力オフセットを表７により与えることができる。表７はＣＱＩ電力オフセットスキーム１を示し、表８はＣＱＩ電力オフセットスキーム２を示す。
【０３６９】
【表７】
2013539325.tif 000088
【０３７０】
【表８】
2013539325.tif 000089
【０３７１】
同様に、どのＨＳ−ＤＰＣＣＨフレームストラクチャを使用するかに応じて、上記概念をＨＡＲＱ−ＡＣＫフィールドについての電力オフセットに適用することができる。
デュアルチャネライゼーションコードによるＨＳ−ＤＰＣＣＨフレームストラクチャ、またはともに符号化されたＳＦ＝２５６であるＨＡＲＱ−ＡＣＫのときに、Ｒ９についての既存の電力オフセットを再使用することができる。
ＳＦ＝１２８であるデュアルフィールドによるＨＳ−ＤＰＣＣＨフレームストラクチャのときに、Ｒ９において使用される既存のルールについての電力オフセットに１（または２）を加算することが発生し、ＳＦ１２８に起因するゲインを処理することのロスを補償することができる。
【０３７２】
電力オフセット、（ΔＡＣＫ，ｉ，ΔＮＡＣＫ，ｉ，ΔＣＱＩ，ｉ）が２つのセルに対し同一である、すなわち、ｉ＝１および２のときに、ＳＦ−ＤＣモードにおける２つのセルに対応するＨＳ−ＤＰＣＣＨチャネルに、上記説明したルールを適用することができる。しかしながら、２つのセルの間の無線リンク条件およびＵＥが変化し得るので、２つの異なるセルに対応する２つのＨＳ−ＤＰＣＣＨチャネルの電力オフセットを判定するときに、これを考慮することが望ましい場合がある。本明細書で開示される多くの方法は、２つのフィードバックチャネルに異なる電力オフセットを適用することができる。例えば、当該方法を適用して、ノイズレベルの上昇に関連するシステム性能およびＵＥ電力制限などのその他の要因を考慮しつつ、両方のセルに対するＨＳ−ＤＰＣＣＨの受信を信頼できるものにすることを確実にすることができる。異なる電力オフセットを異なるセルからの異なる無線リンクに対しセットして、その他のセルよりも劣悪なチャネル条件に対応するＨＳ−ＤＰＣＣＨチャネルに、より高い送信電力を適用することができる。
【０３７３】
１つの例示的な実施形態では、ＨＳ−ＤＰＣＣＨ電力オフセットをネットワーク制御にすることができる。例えば、ネットワークは以下の技術の１つまたは任意の組み合わせによりＨＳ−ＤＰＣＣＨ電力オフセットを制御することができる。
【０３７４】
ネットワーク制御方法の一実施形態では、ＨＳ−ＤＰＣＣＨ電力オフセットの２つの組、（ΔＡＣＫ１，ΔＮＡＣＫ１，ΔＣＱＩ１）および（ΔＡＣＫ２，ΔＮＡＣＫ２，ΔＣＱＩ２）を、初期のＲＲＣ接続において、ＲＲＣメッセージを介して２つのセルに対して独立して構成することができる。ＵＥは、ＨＳ−ＤＰＣＣＨがいつ送信されようと、各フィードバックチャネルに対し、当該値のこれら２つの組をそれぞれ適用することができる。
【０３７５】
ネットワーク方法の別の実施形態では、ネットワークは初期のＲＲＣ接続において、電力オフセット値、（ΔＡＣＫ，ΔＮＡＣＫ，ΔＣＱＩ）の１つの組を構成することができる。ＵＥがこのオフセット値の組を適用するときに、さらにＵＥは異なるオフセットを２つのセル、Δｉについての異なるフィードバックチャネルに付加することができ、ｉ＝１、２はＳＦ−ＤＣモードにおいて動作するセルのインデックスである。この追加的な電力オフセットは、キャリア／ＭＩＭＯ構成および／または２つの無線リンクの最新の知識に応じた標準において事前に定義されてもよい。
【０３７６】
ネットワーク方法の別の実施形態では、動的ＨＳ−ＳＣＣＨは、異なるチャネル条件の情報に基づいて、電力オフセットの２つの組、または各フィードバックチャネルについての電力オフセットのインデックスをそれぞれシグナリングすることができる。
【０３７７】
ネットワーク方法の別の実施形態では、ネットワークが情報を受信していないと判定する場合に、セカンダリＨＳ−ＤＳＣＨセルはＵＥに対し、ＨＳ−ＳＣＣＨにおけるステップもしくは絶対値により電力オフセットを起動することを伝えることができる。ＵＥは特定の期間にそのことを使用することができ、プライマリＨＳ−ＤＳＣＨと同一のもの、もしくはシグナリングされた１つを使用してリセットすることができ、あるいはそれ以外に伝えられるまで、そのことを維持することができる。
【０３７８】
ＭＩＭＯモードが構成されるときに、ＡＣＫ／ＮＡＣＫフィードバックのより信頼できる検出を提供するために、１つの実施形態では、ＨＡＲＱ−ＡＣＫレポーティングに関する追加的な電力オフセットを、サイト間マルチポイント送信のために使用することができる。デュアルキャリアＨＳＤＰＡ送信においては、以下にＨＡＲＱ−ＡＣＫコードブックが示される。
【０３７９】
表９を使用して、ダウンリンク送信のＡＣＫ／ＮＡＣＫ状態をレポートすることができる。表９に示すように、各々の個別のキャリアにより送信されるデータストリームの数に準じて、表を異なるサブセットに分割することができる。キャリア上で送信されるストリームの数は、ネットワークスケジューラにおいてなされるスケジューリング決定に応じたＴＴＩごとをベースに動的に変化し得る。したがって、送信を認識するのに使用されるコードブックはまた、サブセットの間に応じて動的に切り替えることできる。より小さいサイズのコードブックのサブセット内で決定をすることは、ＡＣＫ／ＮＡＣＫ検出を可能にし、あるいはＨＳ−ＤＰＣＣＨにおいてＨＡＲＱ−ＡＣＫフィールドを送信するのに必要とされるより低い送信機電力についての改善された性能を可能にする。ＡＣＫ／ＮＡＣＫ受信機が両方のセルのスケジュール決定について通知されるときに、コードブックのサブセットを切り替えることが可能となり得る。なぜならば、このことが適切な決定を可能にして、ＴＴＩにおけるコードブックの適切な使用を確実にするからである。表９は、ＵＥがＭＩＭＯモードで構成されるときのＤＣ−ＨＳＤＰＡについてのＨＡＲＱ−ＡＣＫコードブックテーブルを示す。
【０３８０】
【表９】
2013539325.tif 000090
【０３８１】
異なるサイトに存在する２つのセルからのマルチポイント送信に関して、ダウンリンクデータ送信スケジューリングが各セルにおいて個別に行われる一方で、異なるセルにおいてＨＳ−ＤＰＣＣＨを復調および復号化することができる。スケジュール決定に関して２つのセルが互いに通信していない場合に、１つのセルにおいて実行されるＡＣＫ／ＮＡＣＫ検出は、いくつのストリームがその他のセルに送信されたかを把握することができない。したがって、コードブックテーブルにおけるコードワードの組全体を通じて動いている仮説検定により、ＡＣＫ／ＮＡＣＫ状態を判定する必要がある場合がある。結果として、ＡＣＫ／ＮＡＣＫ検出の信頼性は最適とはならない場合がある。
【０３８２】
上記問題の解決として、１つの例示的な実施形態では、ＵＥがＨＳ−ＤＰＣＣＨを送信しているときに、追加電力ブーストをＡＣＫ／ＮＡＣＫフィールドに導入することができる。電力ブーストは、サブセット特有となり得、異なる電力オフセットパラメータを、コードブックにおける異なるサブセットに適用することができる。例えば、多くの電力オフセットパラメータを以下の表１０に準じて、ＲＲＣを介してネットワークにより構成することができる。
【０３８３】
【表１０】
2013539325.tif 000091
【０３８４】
これらの電力オフセットパラメータを、例えばＨＡＲＱ−ＡＣＫを送信するときに、電力テーブルにおいていくつかのステップをアップまたはダウンに調節することにより、既存の電力オフセットセッティングに合成することができる。
【０３８５】
代わりに、一定の電力ブーストを、ネットワークからの１つの電力オフセットパラメータのみが構成されることを要求することができる、テーブル全体に適用することができる。
【０３８６】
１つの例示的な実施形態では、デュアル周波数（ＤＦ−４Ｃ）において４つのセルのマルチポイント送信のためにＨＳ−ＤＰＣＣＨを設計することができる。マルチポイント送信における４つのセルを含むデュアル周波数動作に関して、１つの例示的な実施形態では、各々が同一のサイトに互いに位置し、同一のＮｏｄｅＢによりサービスされるペアにより、セルをグループ化することができる。２つのサイトにおいて地理的に分離され得る異なるペアからの２つのセルが、１つの周波数で動作することができ、その他の２つのセルは別の周波数で動作することができる。すべての４つのセルは、ＵＥへのデータ送信を同時にスケジュールすることができる。したがって、すべてのセルから受信されるデータをアグリゲートして、セル端のスループットを改善することができる。
【０３８７】
３ＧＰＰリリース１０で規定されているような従来の４つのキャリア動作において行われる、単一のＨＳ−ＤＰＣＣＨにおいて、ＨＡＲＱ−ＡＣＫおよびＣＱＩレポーティングが伝送されると仮定すると、異なるサイトに存在するＮｏｄｅＢが個々に信号を復調し、自身のサイトからのダウンリンク送信に関連する、必要なＡＣＫ／ＮＡＣＫおよびＣＱＩメッセージを復号化することができる。
【０３８８】
４Ｃ−ＨＳＤＰＡについて現在定義されたＨＳ−ＤＰＣＣＨフレームストラクチャを、図２３において示すようにＤＦ−４Ｃマルチポイント送信のために再使用することができる。例えば、ＨＳ−ＤＰＣＣＨサブフレームにおいて６０ビット能力の総計を有するために、拡散率を１２８にセットすることができる。ＡＣＫ／ＮＡＣＫおよびＣＱＩフィールドを、図２４に準じて配置することができ、そこでは、ＡＣＫ／ＮＡＣＫおよびＣＱＩ情報の両方が１つのサブフレームにおける２つのメッセージに分割される。例えば、５１５におけるＡ／Ｎ１および５２５におけるＣＱＩ１を第１のメッセージとすることができ、５２０におけるＡ／Ｎ２および５３０におけるＣＱＩ２を第２のメッセージとすることができる。
【０３８９】
上記構成を有するＤＦ−４Ｃに関してのＨＳ−ＤＰＣＣＨ設計のための方法およびシステムの実施形態はさらに以下で説明される。
【０３９０】
図２４は、ＤＦ−４ＣのためのＨＡＲＱ−ＡＣＫマッピングの例示的な実施形態を示す。同一のサイトからのセルに関するＨＡＲＱ−ＡＣＫ情報を意図的に複合メッセージに合成することができ、１つのコードワードにともに符号化することができる。当該コードワードは、図２４における５３４および５４０で示すように、ＡＣＫ／ＮＡＣＫフィールドのために設計されるハーフスロットのうちの１つに配置することができる。Ｃ０およびＣ１として識別された２つのセルを、１つのＮｏｄｅＢによりサービスすることができ、Ｃ２およびＣ３によりラベル付けされたセルを別のＮｏｄｅＢによりサービルすることができる。任意のＮｏｄｅＢにおいて、ＨＳ−ＤＰＣＣＨデコーダは、対応するハーフスロットからの信号を変調する必要があるのみであり、関連するセルにサービスするスケジューラに対しＨＡＲＱ−ＡＣＫ情報を提供することができる。
【０３９１】
上記実施形態では、ＨＡＲＱ−ＡＣＫ信号の他の半分は処理される必要がない。さらに、セルの関連するペアに対するスケジュール決定が、同一のＮｏｄｅＢに存在するＨＳ−ＤＰＣＣＨ復号化に通知されるので、より小さいコードブックを使用することができる。
【０３９２】
図２５は非アクティブ化後のＤＦ−４ＣのためのＨＡＲＱ−ＡＣＫマッピングの例示的な実施形態を示す。４つのセルにより動作するように構成されるが、任意のセカンダリサービングセルをＬ１の順序により動的に非アクティブ化／アクティブ化することができる。異なるＮｏｄｅＢからなど、２つのセルを非アクティブ化した後に、ＤＣ−ＨＳＤＰＡのための既存のＨＳ−ＤＰＣＣＨ設計を再使用する場合に、ＡＣＫ／ＮＡＣＫメッセージを再マッピングし、ＨＳ−ＤＰＣＣＨ受信の信頼性を高めるために意図して繰り返すことができる。例は、図２５の５４５および５５０において示され、そこではＣ１およびＣ２が非アクティブ化される。
【０３９３】
１つの例示的な実施形態では、ＡＣＫ／ＮＡＣＫメッセージの再マッピングおよび繰り返しが許可されない。ｕを示すことができる、より大きなコードブック上で復号化をすることに起因する性能劣化の問題を回避するために、このことを行うことができる。さらにこのことを行うことにより、ＮｏｄｅＢのアクティブ化状態が他のサイトに通知されないことを回避して、ＨＳ−ＤＰＣＣＨデコーダがＡＣＫ／ＮＡＣＫ情報の適切な組を取得することができる。
【０３９４】
図２６は、非アクティブ化後のＤＦ−４ＣのためのＨＡＲＱ−ＡＣＫマッピングの別の実施形態を示す。図２６の５５５および５６０で示すように、１つのセルからの単一のＡＣＫ／ＮＡＣＫメッセージが、シングルキャリアのために設計される符号化方法に準じて符号化される。
【０３９５】
図２７は、非アクティブ化後のＤＦ−４ＣのためのＨＡＲＱ−ＡＣＫマッピングの別の実施形態を示す。例えば、図２７はすべての３つのセカンダリセルを非アクティブ化するときの、ＨＡＲＱ−ＡＣＫマッピング関係を示す。図２７は図２６に関して上記説明した類似の原理に従う。ここでの注目するべき差異は、５７０においてＤＴＸコードワードを第２のＨＡＲＱ−ＡＣＫフィールドに挿入して、ハーフスロット送信を回避することである。
【０３９６】
ＤＦ−４Ｃに関して、セルの各々からのＣＱＩメッセージをそれぞれ符号化し、２つのサブフレームにより伝送される２つのＣＱＩレポートにマッピングすることができる。このマッピング関係を図２８の５７５および５８０で示す。
【０３９７】
上記ＣＱＩマッピング設計においては、ＵＥおよび双方のＮｏｄｅＢに知られる共通のタイミングリファレンスを使用して、ＨＳ−ＤＰＣＣＨデコーダにおいてＣＱＩレポートを識別することができる（レポート１またはレポート２のいずれかであるか）。異なるサイトにおけるＮｏｄｅＢが異なるクロックソースの使用に起因して同期されない場合、およびタイミングオフセット情報が、各ＮｏｄｅＢに存在するＨＳ−ＤＰＣＣＨデコーダの各々に通信されない場合、誤って配信されるＣＱＩメッセージになるＣＱＩレポートを識別することが困難となり得る。
【０３９８】
図２９は、ＤＦ−４ＣのためのＣＱＩマッピングの別の実施形態を示す。１つの例示的な実施形態では、同一のＮｏｄｅＢにおけるセルからのＣＱＩメッセージを合成して、ともに１つのＣＱＩコードワードに符号化することができる。次に、このコードワードを特定のタイムスロットにマッピングすることができる。このことは、図２９の５８５および５９０において説明される。Ｃ０およびＣ１として識別される、同一のＮｏｄｅＢにおけるセルについてのＣＱＩ情報を、常に５８５のサブフレームにおけるタイムスロット２にマッピングすることができ、他のＮｏｄｅＢからの残りのセルを、常に５９０におけるタイムスロット３にマッピングすることができる。同様の理由から、セルが非アクティブ化されるときに、ＣＱＩフィールドの繰り返しおよび再マッピングが許可されない場合がある。代わりに、残りのＣＱＩメッセージをシングルキャリアのためのコーディング方法により符号化することができる。
【０３９９】
図３０は、図３０の６００で説明するように、Ｃ１およびＣ２が非アクティブ化されるときの、ＣＱＩマッピングの例示的な実施形態を示す。
【０４００】
別の例示的な実施形態として、すべての３つのセカンダリサービングセルが非アクティブ化される場合に、タイムスロット３が単純に不連続送信となり、すなわち、このタイムスロット上で信号送信がない。
【０４０１】
特定の組み合わせで特徴および要素を上記説明したが、当業者であれば各々の特徴および要素を単独でもしくはその他の特徴および要素との任意の組み合わせで使用することができることを理解するであろう。また、本明細書で説明した方法を、コンピュータもしくはプロセッサにより実行するためのコンピュータ可読媒体に組み込まれたコンピュータプログラム、ソフトウェアもしくはファームウェアにおいて実装することができる。コンピュータ可読記憶媒体の例は、電子信号（有線および無線接続上で送信される）およびコンピュータ可読記憶媒体を含む。コンピュータ可読記憶媒体の例は、ＲＯＭ（read only memory）、ＲＡＭ（random access memory）、レジスタ、キャッシュメモリ、半導体メモリデバイス、磁気−光学媒体およびＣＤ−ＲＯＭディスクおよびＤＶＤ（digital versatile disk）などの光学媒体を含むが、これらに限定されない。ソフトウェアに関連付けられたプロセッサを使用して、ＷＴＲＵ、ＵＥ、端末、基地局、ＲＮＣもしくは任意のホストコンピュータにおいて使用するための無線周波数トランシーバを実装することができる。
【図１Ａ】
2013539325.tif 000093
【図１Ｂ】
2013539325.tif 000094
【図１Ｃ】
2013539325.tif 000095
【図１Ｄ】
2013539325.tif 000096
【図１Ｅ】
2013539325.tif 000097
【図２】
2013539325.tif 000098
【図３】
2013539325.tif 000099
【図４】
2013539325.tif 000100
【図５】
2013539325.tif 000101
【図６】
2013539325.tif 000102
【図７】
2013539325.tif 000103
【図８】
2013539325.tif 000104
【図９】
2013539325.tif 000105
【図１０】
2013539325.tif 000106
【図１１】
2013539325.tif 000107
【図１２】
2013539325.tif 000108
【図１３】
2013539325.tif 000109
【図１４】
2013539325.tif 000110
【図１５】
2013539325.tif 000111
【図１６】
2013539325.tif 000112
【図１７】
2013539325.tif 000113
【図１８】
2013539325.tif 000114
【図１９】
2013539325.tif 000115
【図２０】
2013539325.tif 000116
【図２１】
2013539325.tif 000117
【図２２】
2013539325.tif 000118
【図２３】
2013539325.tif 000119
【図２４】
2013539325.tif 000120
【図２５】
2013539325.tif 000121
【図２６】
2013539325.tif 000122
【図２７】
2013539325.tif 000123
【図２８】
2013539325.tif 000124
【図２９】
2013539325.tif 000125
【図３０】
2013539325.tif 000126
【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
高速ダウンリンクパケットアクセスのマルチポイント送信（ＭＰ−ＨＳＤＰＡ）においてアップリンクフィードバックを提供するための方法であって、
第１のサブフレームについての第１の到着時間を判定するステップと、
第２のサブフレームについての第２の到着時間を判定するステップと、
アップリンクフィードバックを送信するためのアローアンス（allowance）パラメータを判定するステップと、
前記第１の到着時間、前記第２の到着時間および前記アローアンスパラメータを使用して、ペアリングルールを判定するステップと、
前記ペアリングルールを使用して、第１のセルについての第１のアップリンクフィードバックメッセージと第２のセルについての第２のアップリンクフィードバックメッセージとを符号化して、複合フィードバックメッセージにするステップと、
前記複合フィードバックメッセージを送信するステップと
を備えることを特徴とする方法。
【請求項２】
前記アローアンスパラメータを判定するステップは、プリセットされた値を読み出し、前記アローアンスパラメータを前記プリセットされた値に割り当てるステップを含むことを特徴とする請求項１に記載の方法。
【請求項３】
前記アローアンスパラメータを判定するステップは、ネットワークが無線リソース制御シグナリングを介して前記アローアンスパラメータを構成することを可能にするステップを含むことを特徴とする請求項１に記載の方法。
【請求項４】
前記第１のアップリンクフィードバックメッセージは、マルチポイント送信肯定応答／否定応答（ＡＣＫ／ＮＡＣＫ）メッセージであることを特徴とする請求項１に記載の方法。
【請求項５】
前記ペアリングルールを判定するステップは、
前記第２の到着時間から前記第１の到着時間を減算することにより、到着時間差を算出するステップと、
前記アローアンスパラメータからタイムスロットの数を減算することにより、下限範囲を判定するステップと、
前記アローアンスパラメータを使用して、上限範囲を判定するステップと、
前記到着時間差を、前記下限範囲および前記上限範囲により定義された範囲と比較するステップと、
前記到着時間差が前記範囲におさまるときに、前記第１のアップリンクフィードバックメッセージと前記第２のアップリンクフィードバックメッセージとをペアにするステップと
を含むことを特徴とする請求項１に記載の方法。
【請求項６】
タイムオフセットを判定するステップをさらに備えることを特徴とする請求項５に記載の方法。
【請求項７】
前記到着時間差が前記下限範囲もしくは前記上限範囲に近接するときに、前記タイムオフセットを調節するステップをさらに備えることを特徴とする請求項６に記載の方法。
【請求項８】
ネットワークが無線リソース制御シグナリングを介して前記タイムオフセットを構成することを可能にするステップをさらに備えることを特徴とする請求項６に記載の方法。
【請求項９】
前記第１の到着時間および前記第２の到着時間の前記到着時間差が、前記下限範囲もしくは前記上限範囲に近接するときに、前記タイムオフセットを調節するステップをさらに備えることを特徴とする請求項８に記載の方法。
【請求項１０】
前記複合フィードバックメッセージは、ともに符号化されたハイブリッド自動再送要求肯定応答（ＨＡＲＱ−ＡＣＫ）フィードバックメッセージであることを特徴とする請求項５に記載の方法。
【請求項１１】
前記複合フィードバックメッセージを送信するステップは、高速専用物理制御チャネル（ＨＳ−ＤＰＣＣＨ）を介して前記複合フィードバックメッセージを送信するステップを含むことを特徴とする請求項１０に記載の方法。
【請求項１２】
高速ダウンリンクパケットアクセスのマルチポイント送信（ＭＰ−ＨＳＤＰＡ）においてアップリンクフィードバックの受信を提供するための方法であって、
ダウンリンクにおいてサブフレームを送信するステップと、
アップリンクを介して、複合フィードバックメッセージを受信するステップと、
前記複合フィードバックメッセージについての到着時間を判定するステップと、
前記到着時間と前記サブフレームとの間の関係を使用して、ペアリングルールを判定するステップと、
前記ペアリングルールを使用して、前記複合フィードバックメッセージを復号して、第１のセルについての第１のアップリンクフィードバックメッセージおよび第２のセルについての第２のアップリンクフィードバックメッセージにするステップと
を備えることを特徴とする方法。
【請求項１３】
前記ペアリングルールを判定するステップは、
タイムオフセットパラメータを判定するステップと、
前記到着時間から前記サブフレームの送信時間を減算することにより、時間差を判定するステップと、
第１のアローアンス量を前記タイムオフセットパラメータに加算することにより、上限範囲を判定するステップと、
前記タイムオフセットパラメータから第２のアローアンス量を減算することにより、下限範囲を判定するステップと、
前記時間差を、前記下限範囲および前記上限範囲により定義された範囲と比較するステップと、
前記時間差が前記範囲内にあるときに、前記第１のアップリンクフィードバックメッセージを前記サブフレームに関連付けるステップと
を含むことを特徴とする請求項１２に記載の方法。
【請求項１４】
前記ペアリングルールを判定するステップは、
タイムオフセットを判定するステップと、
アローアンスパラメータを判定するステップであって、前記アローアンスパラメータはアップリンクフィードバックを受信するためのタイムスロットの許容値を示すことと、
前記到着時間から前記サブフレームの送信時間を減算することにより、時間差を算出するステップと、
前記タイムオフセットから前記アローアンスパラメータを減算することにより、下限範囲を判定するステップと、
前記下限範囲を使用して、上限範囲を判定するステップと、
前記時間差を、前記下限範囲および前記上限範囲により定義された範囲と比較するステップと、
前記時間差が前記範囲内にあるときに、前記アップリンクフィードバックを前記サブフレームに関連付けるステップと
を含むことを特徴とする請求項１２に記載の方法。
【請求項１５】
マルチポイント高速ダウンリンクパケットアクセス（ＭＰ−ＨＳＤＰＡ）送信においてアップリンクフィードバックの信頼性を向上させるための方法であって、
無線送信／受信ユニットを介して、ダウンリンクから１つまたは複数の送信電力制御（ＴＰＣ）コマンドを受信するステップと、
Ｎ個のスロットサイクル上で前記１つまたは複数のＴＰＣコマンドを処理するステップと、
前記１つまたは複数のＴＰＣコマンドに基づいて、ＴＰＣ＿ｃｍｄ＿ａｖｅｒａｇｅを算出するステップと、
前記ＴＰＣ＿ｃｍｄ＿ａｖｅｒａｇｅが閾値を上回るときに、送信電力ブーストを判定するステップと、
前記送信電力ブーストを使用して、アップリンクフィードバックについての電力オフセットを調節するステップと
を備えることを特徴とする方法。
【請求項１６】
前記ダウンリンクは、マルチポイント送信に含まれるサービングセルからであることを特徴とする請求項１５に記載の方法。
【請求項１７】
前記ＴＰＣ＿ｃｍｄ＿ａｖｅｒａｇｅを算出するステップは、前記Ｎ個のスロットサイクル上で前記１つまたは複数のＴＰＣコマンドを平均化するステップを含むことを特徴とする請求項１５に記載の方法。
【請求項１８】
前記ＴＰＣ＿ｃｍｄ＿ａｖｅｒａｇｅを算出するステップは、式１に準じて前記Ｎ個のスロットサイクル上で前記１つまたは複数のＴＰＣコマンドを平均化するステップを含み、
【数１】
2013539325.tif 000127
ｉによりラベル付けされたスロットにおけるＴＰＣ＿ｃｍｄの値は、
前記サービングセルから受信された前記１つまたは複数のＴＰＣコマンドにおけるＴＰＣコマンドが０であるときは、ＴＰＣ＿ｃｍｄ（ｉ）は−１であることと、
前記サービングセルから受信された前記１つまたは複数のＴＰＣコマンドにおけるＴＰＣコマンドが１であるときは、ＴＰＣ＿ｃｍｄ（ｉ）は１であることと
から導出される
ことを特徴とする請求項１６に記載の方法。
【請求項１９】
前記送信電力ブーストを使用して、前記アップリンクフィードバックについての前記電力オフセットを調節するステップは、前記送信電力ブーストを、モニタリングされるセルをターゲットとする高速送信専用物理制御チャネル（ＨＳ−ＤＰＣＣＨ）フィールドの送信電力に加算するステップを含むことを特徴とする請求項１５に記載の方法。
【請求項２０】
前記送信電力ブーストを使用して、前記アップリンクフィードバックについての前記電力オフセットを調節するステップは、前記送信電力ブーストを高速送信専用物理制御チャネル（ＨＳ−ＤＰＣＣＨ）フィールドの送信電力に加算するステップを含むことを特徴とする請求項１５に記載の方法。
【請求項２１】
高速ダウンリンクパケットアクセスのマルチポイント送信（ＭＰ−ＨＳＤＰＡ）において、アップリンクフィードバックを提供するための無線送信／受信ユニット（ＷＴＲＵ）であって、前記ＷＴＲＵはプロセッサを備え、前記プロセッサは、
第１のサブフレームについての第１の到着時間を判定し、
第２のサブフレームについての第２の到着時間を判定し、
アップリンクフィードバックを送信するためにアローアンスパラメータを判定し、
前記第１の到着時間、前記第２の到着時間および前記アローアンスパラメータを使用して、ペアリングルールを判定し、
前記ペアリングルールを使用して、第１のセルについての第１のアップリンクフィードバックメッセージおよび第２のセルについての第２のアップリンクフィードバックメッセージを符号化して復号フィードバックメッセージにし、
前記復号フィードバックメッセージを送信する
ように構成されたことを特徴とするＷＴＲＵ。
【請求項２２】
前記プロセッサは、プリセットされた値を読み出し、前記アローアンスパラメータを前記プリセットされた値に割り当てることにより、前記アローアンスパラメータを判定するようにさらに構成されたことを特徴とする請求項２１に記載のＷＴＲＵ。
【請求項２３】
前記プロセッサは、ネットワークが無線リソース制御シグナリングを介して前記アローアンスパラメータを構成することを可能にすることにより、前記アローアンスパラメータを判定するようにさらに構成されたことを特徴とする請求項２１に記載のＷＴＲＵ。
【請求項２４】
前記第１のアップリンクフィードバックメッセージは、マルチポイント送信肯定応答／否定応答（ＡＣＫ／ＮＡＣＫ）メッセージであることを特徴とする請求項２１に記載のＷＴＲＵ。
【請求項２５】
前記プロセッサは、
前記第２の到着時間から前記第１の到着時間を減算することにより、到着時間差を算出し、
前記アローアンスパラメータからタイムスロットの数を減算することにより、下限範囲を判定し、
前記アローアンスパラメータを使用して、上限範囲を判定し、
前記到着時間差を、前記下限範囲および前記上限範囲により定義された範囲と比較し、
前記到着時間差が前記範囲におさまるときに、前記第１のアップリンクフィードバックメッセージと前記第２のアップリンクフィードバックメッセージとをペアにする
ことにより前記ペアリングルールを判定する
ようにさらに構成されたことを特徴とする請求項２１に記載のＷＴＲＵ。
【請求項２６】
前記プロセッサは、タイムオフセットを判定するようにさらに構成されたことを特徴とする請求項２５に記載のＷＴＲＵ。
【請求項２７】
前記プロセッサは、前記到着時間差が前記下限範囲もしくは前記上限範囲に近接するときに、前記タイムオフセットを調節するようにさらに構成されたことを特徴とする請求項２６に記載のＷＴＲＵ。
【請求項２８】
前記プロセッサは、ネットワークが無線リソース制御シグナリングを介して前記タイムオフセットを構成することを可能にするようにさらに構成されたことを特徴とする請求項２６に記載のＷＴＲＵ。
【請求項２９】
前記プロセッサは、前記第１の到着時間および前記第２の到着時間の時間差が前記下限範囲もしくは前記上限範囲に近接するときに、前記タイムオフセットを調節するようにさらに構成されたことを特徴とする請求項２８に記載のＷＴＲＵ。
【請求項３０】
前記複合フィードバックメッセージは、ともに符号化されたハイブリッド自動再送要求肯定応答（ＨＡＲＱ−ＡＣＫ）フィードバックメッセージであることを特徴とする請求項２５に記載のＷＴＲＵ。
【請求項３１】
前記プロセッサは、高速専用物理制御チャネル（ＨＳ−ＤＰＣＣＨ）を介して、前記複合フィードバックメッセージを送信することにより、前記複合フィードバックメッセージを送信するようにさらに構成されたことを特徴とする請求項３０に記載のＷＴＲＵ。
【請求項３２】
高速ダウンリンクパケットアクセスのマルチポイント送信（ＭＰ−ＨＳＤＰＡ）においてアップリンクフィードバックの受信を提供するための基地局であって、前記基地局はプロセッサを備え、前記プロセッサは、
ダウンリンクにおいてサブフレームを送信し、
アップリンクを介して、複合フィードバックメッセージを受信し、
前記複合フィードバックメッセージについての到着時間を判定し、
前記到着時間と前記サブフレームとの間の関係を使用して、ペアリングルールを判定し、
前記ペアリングルールを使用して、前記複合フィードバックメッセージを復号化して、第１のセルについての第１のアップリンクフィードバックメッセージおよび第２のセルについての第２のアップリンクフィードバックメッセージにする
ように構成されたことを特徴とする基地局。
【請求項３３】
前記プロセッサは、
タイムオフセットパラメータを判定し、
前記時間差から前記サブフレームの送信時間を減算することにより、時間差を算出し、
第１のアローアンス量を前記タイムオフセットパラメータに加算することにより、上限範囲を判定し、
前記タイムオフセットパラメータから第２のアローアンス量を減算することにより、下限範囲を判定し、
前記時間差を、前記上限範囲および前記下限範囲により定義された範囲と比較し、
前記時間差が前記範囲内にあるときに、前記第１のアップリンクフィードバックメッセージを前記サブフレームに関連付ける
ことにより前記ペアリングルールを判定する
ようにさらに構成されたことを特徴とする請求項３２に記載の基地局。
【請求項３４】
前記プロセッサは、
タイムオフセットを判定し、
アップリンクフィードバックを受信するためのタイムスロットの許容量を示す、アローアンスパラメータを判定し、
前記到着時間から前記サブフレームの送信時間を減算することにより、時間差を算出し、
前記タイムオフセットから前記アローアンスパラメータを減算することにより、下限範囲を判定し、
前記下限値を使用することにより上限範囲を判定し、
前記時間差を、前記下限範囲および前記上限範囲により定義された範囲と比較し、
前記時間差が前記範囲内にあるときに、前記アップリンクフィードバックを前記サブフレームに関連付ける
ことにより前記ペアリングルールを判定する
ようにさらに構成されたことを特徴とする請求項３２に記載の基地局。
【請求項３５】
マルチポイント高速ダウンリンクパケットアクセス（ＭＰ−ＨＳＤＰＡ）送信においてアップリンクフィードバックの信頼性を向上させるための無線送信／受信ユニット（ＷＴＲＵ）であって、前記ＷＴＲＵはプロセッサを備え、前記プロセッサは、
ダウンリンクから１つまたは複数の送信電力制御（ＴＰＣ）コマンドを受信し、
Ｎ個のスロットサイクル上で前記１つまたは複数のＴＰＣコマンドを処理し、
前記１つまたは複数のＴＰＣコマンドに基づいて、ＴＰＣ＿ｃｍｄ＿ａｖｅｒａｇｅを算出し、
前記ＴＰＣ＿ｃｍｄ＿ａｖｅｒａｇｅが閾値を上回るときに、送信電力ブーストを判定し、
前記送信電力ブーストを使用して、アップリンクフィードバックについての電力オフセットを調節する
ように構成されたことを特徴とするＷＴＲＵ。
【請求項３６】
前記ダウンリンクは、マルチポイント送信に含まれるサービングセルからであることを特徴とする請求項３５に記載のＷＴＲＵ。
【請求項３７】
前記プロセッサは、前記Ｎ個のスロットサイクル上で前記１つまたは複数のＴＰＣコマンドを平均化することにより、前記ＴＰＣ＿ｃｍｄ＿ａｖｅｒａｇｅを算出するようにさらに構成されたことを特徴とする請求項３５に記載のＷＴＲＵ。
【請求項３８】
前記プロセッサは、式２に準じて前記Ｎ個のスロットサイクル上で前記１つまたは複数のＴＰＣコマンドを平均化することにより、前記ＴＰＣ＿ｃｍｄ＿ａｖｅｒａｇｅを算出するようにさらに構成され、
【数２】
2013539325.tif 000128
ｉによりラベル付けされたスロットにおけるＴＰＣ＿ｃｍｄの値は、
前記サービングセルから受信された前記１つまたは複数のＴＰＣコマンドにおけるＴＰＣコマンドが０であるときは、ＴＰＣ＿ｃｍｄ（ｉ）は−１であることと、
前記サービングセルから受信された前記１つまたは複数のＴＰＣコマンドにおけるＴＰＣコマンドが１であるときは、ＴＰＣ＿ｃｍｄ（ｉ）は１であることと
から導出される
ことを特徴とする請求項３６に記載のＷＴＲＵ。
【請求項３９】
前記プロセッサは、前記送信電力ブーストを、モニタリングされるセルをターゲットとする高速送信専用物理制御チャネル（ＨＳ−ＤＰＣＣＨ）フィールドの送信電力に加算することにより、前記送信電力ブーストを使用して前記アップリンクフィードバックについての前記電力オフセットを調節するようにさらに構成されたことを特徴とする請求項３５に記載のＷＴＲＵ。
【請求項４０】
前記プロセッサは、前記送信電力ブーストを、高速送信専用物理制御チャネル（ＨＳ−ＤＰＣＣＨ）フィールドの送信電力に加算することにより、前記送信電力ブーストを使用して前記アップリンクフィードバックについての前記電力オフセットを調節するようにさらに構成されたことを特徴とする請求項３５に記載のＷＴＲＵ。
【国際調査報告】
2013539325.tif 000129
2013539325.tif 000130
2013539325.tif 000131
2013539325.tif 000132
2013539325.tif 000133